(57)【特許請求の範囲】
【請求項１】
各々を識別可能な複数種類の識別情報の変動表示を変動表示手段において実行可能な遊技機であって、
前記変動表示手段を制御する表示制御手段を備え、
前記表示制御手段は、
第１表示領域における複数の表示領域において複数種類の識別情報を変動表示させる制御と、
第１表示領域に亘る画像を表示することによって第１表示領域における複数の表示領域において識別情報を視認困難または視認不可能な状態とし、前記第１表示領域における複数の表示領域に対応した第２表示領域における複数の表示領域において特殊識別情報を変動表示させる制御と、
識別情報と特殊識別情報とを同時に表示可能であり、識別情報が視認困難または視認不可能な状態とされた前記第１表示領域における複数の表示領域のうち少なくとも一部の表示領域において識別情報を視認容易化するときに、該視認容易化された表示領域に対応した前記第２表示領域における表示領域の特殊識別情報を消去しつつ、他の特殊識別情報を残して表示する制御と、
前記第１表示領域の視認容易化された表示領域において識別情報を視認容易化した後、該視認容易化した識別情報を別の識別情報に変更する変更演出を行なう制御とを実行可能であり、
前記変更演出は、予め定められた複数種類の変更演出のうちから選択される、遊技機。
【請求項２】
特定遊技状態に制御するか否か、および、所定の判定条件に基づいて、識別情報の変動表示における表示結果を決定する表示結果決定手段をさらに備えた、請求項１に記載の遊技機。
【請求項３】
第１識別情報の変動表示を実行して表示結果を導出する第１変動表示手段と、
第２識別情報の変動表示を実行して表示結果を導出する第２変動表示手段とを備え、
前記第１変動表示手段と、前記第２変動表示手段とのいずれかに特定表示結果が導出されたときに特定遊技状態に移行し、
第１識別情報の変動表示と第２識別情報の変動表示とを並行して実行させることが可能な変動表示実行手段と、
遊技状態を制御する遊技状態制御手段と、
第１識別情報の変動表示に関する情報を保留記憶情報として記憶可能な保留記憶手段とを備え、
前記表示制御手段は、少なくとも第１識別情報の変動表示に対応して装飾識別情報の変動表示を実行して装飾表示結果を導出し、
前記遊技状態制御手段は、前記特定遊技状態の終了後の遊技状態を、遊技者にとって有利な有利状態に制御可能であり、
前記有利状態は、第１識別情報の変動表示が実行されて前記特定表示結果が導出されたときの前記特定遊技状態の終了後の方が、第２識別情報の変動表示が実行されて前記特定表示結果が導出されたときの前記特定遊技状態の終了後よりも終了しやすく、
前記表示制御手段は、
第１識別情報の変動表示が実行されて前記特定表示結果が導出されるときには、前記装飾表示結果として、複数種類の装飾特定表示結果のうちのいずれかを導出可能であり、
所定条件が成立していることを条件に、前記装飾表示結果として、前記複数種類の装飾特定表示結果のうちの特定の装飾特定表示結果を導出可能である、請求項１または請求項２に記載の遊技機。
【請求項４】
第１識別情報の変動表示を実行して表示結果を導出する第１変動表示手段と、
第２識別情報の変動表示を実行して表示結果を導出する第２変動表示手段とを備え、
前記第１変動表示手段と、前記第２変動表示手段とのいずれかに特定表示結果が導出されたときに特定遊技状態に移行し、
第１識別情報の変動表示と第２識別情報の変動表示とを並行して実行させることが可能な変動表示実行手段と、
遊技状態を制御する遊技状態制御手段と、
第１識別情報の変動表示に関する情報を保留記憶情報として記憶可能な保留記憶手段とを備え、
前記表示制御手段は、少なくとも第１識別情報の変動表示に対応して装飾識別情報の変動表示を実行して装飾表示結果を導出し、
前記遊技状態制御手段は、前記特定遊技状態の終了後の遊技状態を、遊技者にとって有利な有利状態に制御可能であり、
前記有利状態は、第１識別情報の変動表示が実行されて前記特定表示結果が導出されたときの前記特定遊技状態の終了後の方が、第２識別情報の変動表示が実行されて前記特定表示結果が導出されたときの前記特定遊技状態の終了後よりも終了しやすく、
前記遊技機は、
少なくとも第１識別情報の変動表示において前記有利状態を終了させることとなる表示結果が導出されない非導出期間を報知する期間報知演出を実行する期間報知演出実行手段と、
報知されている前記非導出期間を延長する延長演出を実行する延長演出実行手段とをさらに備える、請求項１から請求項３のいずれかに記載の遊技機。
【発明の詳細な説明】
【技術分野】
【０００１】
本発明は、パチンコ遊技機等の遊技機に関し、特に、各々を識別可能な複数種類の識別情報の変動表示を変動表示手段において実行可能な遊技機に関する。
【背景技術】
【０００２】
この種の遊技機として一般的に知られているものとしては、各々を識別可能な複数種類の識別情報（図柄）の変動表示を変動表示手段において実行可能なものがあった。この遊技機では、装飾図柄のような複数の識別情報が視認不可能となるときに、複数の識別情報のそれぞれに対応する小図柄のような特殊識別情報が表示されるものがあった（特許文献１）。
【先行技術文献】
【特許文献】
【０００３】
【特許文献１】特開２０１１−１８３２０３号公報（段落００３３、図４３）
【発明の概要】
【発明が解決しようとする課題】
【０００４】
しかし、特許文献１では、識別情報の一部が視認不可能であっても特殊識別情報のすべてを表示する制御が行なわれるので、識別情報のうち視認可能なものに対応する特殊識別情報については、識別情報を停止表示させると、図柄同士の対応関係を整合させるために、対応する特殊識別情報を停止表示させる必要が生じる等、識別情報の表示に関する表示制御手段の処理負担が増大するおそれがあった。
【０００５】
本発明は、かかる実情に鑑み考え出されたものであり、その目的は、表示制御の処理負担を抑制することができる遊技機を提供することである。
【課題を解決するための手段】
【０００６】
（１）  各々を識別可能な複数種類の識別情報（飾り図柄）の変動表示を変動表示手段（画像表示装置５）において実行可能な遊技機（パチンコ遊技機１）であって、
前記変動表示手段を制御する表示制御手段（演出制御用ＣＰＵ１２０）を備え、
前記表示制御手段は、
第１表示領域（飾り図柄表示エリア５Ｌ，５Ｃ，５Ｒ）における複数の表示領域において複数種類の識別情報を変動表示させる制御と、
第１表示領域に亘る画像を表示することによって第１表示領域における複数の表示領域において識別情報（飾り図柄）を視認困難または視認不可能な状態とし（図５６（１１）のように飾り図柄を表示しない）、前記第１表示領域における複数の表示領域に対応した第２表示領域（小当り表示エリア９１，９２，９３）における複数の表示領域において特殊識別情報を変動表示させる制御（低確率第２演出モード以外の状態で飾り図柄を表示する図４１のＳ３７２，図５１のＳ４７２）と、
識別情報と特殊識別情報とを同時に表示可能であり、識別情報が視認困難または視認不可能な状態とされた前記第１表示領域における複数の表示領域のうち少なくとも一部の表示領域において識別情報を視認容易化する（図５６の（１２），（１６），（１７）のように順番に飾り図柄を出現させる）ときに、該視認容易化された表示領域に対応した前記第２表示領域における表示領域の特殊識別情報を消去しつつ、他の特殊識別情報を残して表示する（図５６の（１２）〜（１７））制御（低確率第２演出モードでキャラクタ９４を表示した後飾り図柄を出現させると同時に対応する小当りを消去する演出を実行する図４１のＳ３７２，図５１のＳ４７２）と、
前記第１表示領域の視認容易化された表示領域において識別情報を視認容易化した（図５６（１３）の右図柄の仮停止表示）後、該視認容易化した識別情報を別の識別情報に変更する変更演出（図５６（１４），（１５）の滑り演出による変更演出）を行なう制御（低確率第２演出モードで滑り演出を実行する図４１のＳ３７２，図５１のＳ４７２）とを実行可能であり、
前記変更演出は、予め定められた複数種類の変更演出（図４３の第１キャラクタ〜第３キャラクタによる複数種類の滑り演出）のうちから選択される（図４５のＳ３０１３，Ｓ３０１５）。
【０００７】
このような構成によれば、表示制御手段による表示制御の処理負担を抑制することができる。
【０００８】
（２）  前記（１）の遊技機において、特定遊技状態（大当り遊技状態）に制御するか否か、および、所定の判定条件に基づいて、識別情報の変動表示における表示結果を決定する表示結果決定手段（演出制御用ＣＰＵ１２０、図４４のＳ３０２３，Ｓ３０２４，Ｓ３０２７）をさらに備えた。
【０００９】
このような構成によれば、表示結果決定手段を備える構成において、表示制御手段の処理負担を抑制することができる。
【００１４】
（３）  前記（１）または（２）の遊技機において、第１識別情報（第１特別図柄）の変動表示を実行して表示結果を導出する第１変動表示手段（第１特別図柄表示装置４Ａ）と、
第２識別情報（第２特別図柄）の変動表示を実行して表示結果を導出する第２変動表示手段（第２特別図柄表示装置４Ｂ）とを備え、
前記第１変動表示手段と、前記第２変動表示手段とのいずれかに特定表示結果が導出されたときに特定遊技状態に移行し（図１８のＳ１３０６、図３１のＳ２３０６）、
第１識別情報の変動表示と第２識別情報の変動表示とを並行して実行させることが可能な変動表示実行手段（ＣＰＵ１０３、Ｓ９２１，Ｓ９２２）と、
遊技状態を制御する遊技状態制御手段（ＣＰＵ１０３、Ｓ１５０３，Ｓ２５０３）と、
第１識別情報の変動表示に関する情報を保留記憶情報として記憶可能な保留記憶手段と（第１特図保留記憶部）を備え、
前記表示制御手段は、少なくとも第１識別情報の変動表示に対応して装飾識別情報の変動表示を実行して装飾表示結果を導出し（Ｓ３７２）、
前記遊技状態制御手段は、前記特定遊技状態の終了後の遊技状態を、遊技者にとって有利な有利状態（高確高ベース状態）に制御可能であり（Ｓ１５０３，Ｓ２５０３）、
前記有利状態は、第１識別情報の変動表示が実行されて前記特定表示結果が導出されたときの前記特定遊技状態の終了後の方が、第２識別情報の変動表示が実行されて前記特定表示結果が導出されたときの前記特定遊技状態の終了後よりも終了しやすく（第１特図ゲームでは、高確高ベース状態を終了させる「５Ｒ短期」の「大当り」が導出表示されるが、第２特図ゲームでは、高確高ベース状態を終了させる「５Ｒ短期」の「大当り」が導出表示されない）、
前記表示制御手段は、
第１識別情報の変動表示が実行されて前記特定表示結果が導出されるときには、前記装飾表示結果として、複数種類の装飾特定表示結果のうちのいずれかを導出可能であり（演出制御用ＣＰＵ１２０が、「５」又は「７」のいずれかが揃う大当り組合せを構成する確定飾り図柄を導出表示する）、
所定条件（第１特別図柄の可変表示で大当り図柄が導出表示され、かつ、第１特図保留記憶数が「０」であるとき等）が成立していることを条件に、前記装飾表示結果として、前記複数種類の装飾特定表示結果のうちの特定の装飾特定表示結果（例えば、「７」が揃う特定大当り図柄等）を導出可能である。
【００１５】
このような構成によれば、装飾特定表示結果の種類によって有利状態の継続し易さを分かり易くでき、遊技の興趣を向上させることができる。
【００１６】
（４）  前記（１）から（３）のいずれかの遊技機において、第１識別情報（第１特別図柄）の変動表示を実行して表示結果を導出する第１変動表示手段（第１特別図柄表示装置４Ａ）と、
第２識別情報（第２特別図柄）の変動表示を実行して表示結果を導出する第２変動表示手段（第２特別図柄表示装置４Ｂ）とを備え、
前記第１変動表示手段と、前記第２変動表示手段とのいずれかに特定表示結果が導出されたときに特定遊技状態に移行し（図１８のＳ１３０６、図３１のＳ２３０６）、
第１識別情報の変動表示と第２識別情報の変動表示とを並行して実行させることが可能な変動表示実行手段（ＣＰＵ１０３、Ｓ９２１，Ｓ９２２）と、
遊技状態を制御する遊技状態制御手段（ＣＰＵ１０３、Ｓ１５０３，Ｓ２５０３）と、
第１識別情報の変動表示に関する情報を保留記憶情報として記憶可能な保留記憶手段と（第１特図保留記憶部）を備え、
前記表示制御手段は、少なくとも第１識別情報の変動表示に対応して装飾識別情報の変動表示を実行して装飾表示結果を導出し（Ｓ３７２）、
前記遊技状態制御手段は、前記特定遊技状態の終了後の遊技状態を、遊技者にとって有利な有利状態（高確高ベース状態）に制御可能であり（Ｓ１５０３，Ｓ２５０３）、
前記有利状態は、第１識別情報の変動表示が実行されて前記特定表示結果が導出されたときの前記特定遊技状態の終了後の方が、第２識別情報の変動表示が実行されて前記特定表示結果が導出されたときの前記特定遊技状態の終了後よりも終了しやすく（第１特図ゲームでは、高確高ベース状態を終了させる「５Ｒ短期」の「大当り」が導出表示されるが、第２特図ゲームでは、高確高ベース状態を終了させる「５Ｒ短期」の「大当り」が導出表示されない）、
前記遊技機は、
少なくとも第１識別情報の変動表示において前記有利状態を終了させることとなる表示結果が導出されない非導出期間を報知する期間報知演出（チャンス期間において実行され
る残り時間報知）を実行する期間報知演出実行手段（演出制御用ＣＰＵ１２０、Ｓ８６２）と、
報知されている前記非導出期間を延長する延長演出（延長報知）を実行する延長演出実行手段（演出制御用ＣＰＵ１２０、Ｓ８６９）とをさらに備える。
【００１７】
このような構成によれば、有利状態の継続期間を分かり易くでき、遊技の興趣を向上させることができる。
（５）  前記（１）から（４）のいずれかの遊技機において、前記表示制御手段は、特定状態（リーチ状態）において前記変更演出の実行を制限し、前記特定状態において特殊識別情報が表示されているときに、一部の識別情報が視認容易化されても、特殊識別情報の消去を制限する（第２実施形態）。
このような構成によれば、所定状態となっているか否かに応じて実行される演出が異なり、遊技の興趣を向上させることができる。
【図面の簡単な説明】
【００１８】
【図１】本発明の１つの実施の形態におけるパチンコ遊技機の正面図である。
【図２】パチンコ遊技機に搭載された各種の制御基板等を示す構成図である。
【図３】大当り遊技状態の態様例を示す図である。
【図４】第１特図ゲームと第２特図ゲームとの関係を示す図である。
【図５】演出制御パターンの一例を示す図である。
【図６】特別図柄プロセス処理の一例を示すフローチャートである。
【図７】第１特別図柄プロセス処理の一例を示すフローチャートである。
【図８】第１始動入賞判定処理の一例を示すフローチャートである。
【図９】第１特図保留記憶部の構成一例を示す図である。
【図１０】入賞時乱数値判定処理の一例を示すフローチャートである。
【図１１】第１特別図柄通常処理の一例を示すフローチャートである。
【図１２】第１特図表示結果決定テーブルの構成例を示す説明図である。
【図１３】第１大当り種別決定テーブルの構成例を示す説明図である。
【図１４】第１変動パターン設定処理の一例を示すフローチャートである。
【図１５】第１特図用の変動パターンの構成例を示す図である。
【図１６】第１特図大当り時変動パターン決定テーブルの構成例を示す図である。
【図１７】第１特図ハズレ時変動パターン決定テーブルの構成例を示す図である。
【図１８】第１特別図柄停止処理の一例を示すフローチャートである。
【図１９】図７のＳ１１５内で実行される処理の一例を示すフローチャートである。
【図２０】第１大当り終了処理の一例を示すフローチャートである。
【図２１】第２特別図柄プロセス処理の一例を示すフローチャートである。
【図２２】第２始動入賞判定処理の一例を示すフローチャートである。
【図２３】第２特図保留記憶部の構成一例を示す図である。
【図２４】第２特別図柄通常処理の一例を示すフローチャートである。
【図２５】第２特図表示結果決定テーブルの構成例を示す説明図である。
【図２６】第２大当り種別決定テーブルの構成例を示す説明図である。
【図２７】第２変動パターン設定処理の一例を示すフローチャートである。
【図２８】第２特図用の変動パターンの構成例を示す図である。
【図２９】第２特図大当り時変動パターン決定テーブルの構成例を示す図である。
【図３０】第２特図ハズレ時変動パターン決定テーブルの構成例を示す図である。
【図３１】第２特別図柄停止処理の一例を示すフローチャートである。
【図３２】図２１のＳ２１５内で実行される処理の一例を示すフローチャートである。
【図３３】第２大当り終了処理の一例を示すフローチャートである。
【図３４】コマンド解析処理の一例を示すフローチャートである。
【図３５】演出制御基板側で受信した演出制御コマンドについての処理内容を説明する図である。
【図３６】始動入賞時コマンドバッファの構成例を示す説明図である。
【図３７】演出制御プロセス処理の一例を示すフローチャートである。
【図３８】繰り下げ決定テーブルの構成例を示す説明図である。
【図３９】延長報知処理の一例を示すフローチャートである。
【図４０】長期延長決定テーブル及び短期延長決定テーブルの構成例を示す図である。
【図４１】第１演出制御プロセス処理の一例を示すフローチャートである。
【図４２】第１演出モードと第２演出モードとの開始条件、終了条件、および、演出態様を説明する図である。
【図４３】第２演出モードキャラクタ選択テーブルおよび変更演出選択テーブルを示す説明図である。
【図４４】第１可変表示開始設定処理の一例を示すフローチャートである。
【図４５】モード演出設定処理の一例を示すフローチャートである。
【図４６】第１演出制御パターン決定処理の一例を示すフローチャートである。
【図４７】第１可変表示中演出処理の一例を示すフローチャートである。
【図４８】飾り図柄の可変表示の最終停止図柄の一例を示す図である。
【図４９】図４１のＳ３７３の処理が実行されているときに実行される処理の一例を示すフローチャートである。
【図５０】図４１のＳ３７５の処理が実行されているときに実行される処理の一例を示すフローチャートである。
【図５１】第２演出制御プロセス処理の一例を示すフローチャートである。
【図５２】第２表示開始設定処理の一例を示すフローチャートである。
【図５３】第２表示中演出処理の一例を示すフローチャートである。
【図５４】遊技状態の変化等について説明するための図である。
【図５５】演出画面の一例を示す図である。
【図５６】演出画面の一例を示す図である。
【図５７】第２演出モードでの飾り図柄と小図柄との制御タイミングの関係を示すタイミングチャートである。
【図５８】演出画面の一例を示す図である。
【図５９】演出画面の一例を示す図である。
【図６０】演出画面の一例を示す図である。
【図６１】演出画面の一例を示す図である。
【図６２】チャンス期間と残り時間報知との関係例を示す図である。
【図６３】特定演出を実行する可変表示を決定する様子を示す図である。
【図６４】特定演出の繰り下げの様子を示す図である。
【図６５】延長報知を説明するための図である。
【図６６】延長報知の態様を説明するための図である。
【図６７】特定演出の実行期間の拡大を説明するための図である。
【図６８】残り時間延長処理の一例を示すフローチャートである。
【図６９】残り時間延長処理の一例を示すフローチャートである。
【図７０】延長報知の態様を説明するための図である。
【図７１】変形例を説明するための図である。
【図７２】大当り種別と、大当り後に使用される変動パターン決定テーブルと、の関係例を説明する図である。
【図７３】飾り図柄の可変表示の最終停止図柄の一例を示す図である。
【発明を実施するための形態】
【００１９】
以下、図面を参照しつつ、本発明の一実施形態を詳細に説明する。
〔第１実施形態〕
図１は、本実施の形態におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成される。遊技盤２には、ガイドレールにより囲まれた、ほぼ円形状の遊技領域が形成される。この遊技領域には、遊技媒体としての遊技球が、所定の打球発射装置から発射されて打込まれる。
【００２０】
遊技盤２の所定位置（図１に示す例では、遊技領域の右側方）には、第１特別図柄表示装置４Ａと、第２特別図柄表示装置４Ｂとが設けられる。第１特別図柄表示装置４Ａと第２特別図柄表示装置４Ｂとはそれぞれ、例えば７セグメントやドットマトリクスのＬＥＤ（発光ダイオード）等から構成される。第１特別図柄表示装置４Ａと第２特別図柄表示装置４Ｂとのそれぞれにおいては、可変表示（変動表示ともいう）ゲームの一例となる特図ゲームとして、各々を識別可能な複数種類の識別情報（特別識別情報）である特別図柄（「特図」ともいう）が、変動可能に表示（可変表示）される。例えば、第１特別図柄表示装置４Ａと第２特別図柄表示装置４Ｂとはそれぞれ、「０」〜「９」を示す数字や「−」を示す記号等から構成される複数種類の特別図柄を可変表示する。そして、可変表示の最後に、特図ゲームにおける可変表示結果として確定特別図柄が停止表示される。なお、確定特別図柄は、可変表示中に表示される特別図柄とは異なるものでもよい。
【００２１】
第１特別図柄表示装置４Ａにおいて可変表示される特別図柄は、「第１特別図柄」、「第１特図」ともいい、第２特別図柄表示装置４Ｂにおいて可変表示される特別図柄は、「第２特別図柄」、「第２特図」ともいう。第１特図を用いた特図ゲーム（第１特図ゲームともいう。）（第１特図の可変表示）と、第２特図を用いた特図ゲーム（第２特図ゲームともいう。）（第２特図の可変表示）とは同時に並行して行なわれることもある。
【００２２】
遊技盤２における遊技領域の中央付近には、画像表示装置５が設けられる。画像表示装置５は、例えばＬＣＤ（液晶表示装置）等から構成され、各種の演出画像を表示する表示領域を形成している。画像表示装置５の画面上（主に、メイン画面となる領域５Ａ）では、第１特図ゲームに対応して、例えば３つという複数の可変表示部となる飾り図柄表示エリアで、各々を識別可能な複数種類の識別情報（装飾識別情報）である飾り図柄が可変表示される。この飾り図柄の可変表示も、可変表示ゲームに含まれる。
【００２３】
一例として、画像表示装置５の画面上には、「左」，「中」，「右」の飾り図柄表示エリア５Ｌ，５Ｃ，５Ｒが配置されている。第１特図ゲーム（第１特図の可変表示）が開始されることに対応して、「左」，「中」，「右」の各飾り図柄表示エリア５Ｌ，５Ｃ，５Ｒにおいて飾り図柄の変動（例えば上下方向のスクロール表示）が開始される。その後、第１特図ゲームにおける可変表示結果として第１確定特別図柄が停止表示されるときに、画像表示装置５における「左」，「中」，「右」の各飾り図柄表示エリア５Ｌ，５Ｃ，５Ｒで、飾り図柄の可変表示結果となる確定飾り図柄（最終停止図柄）が停止表示される。なお、確定飾り図柄は、可変表示中に表示される飾り図柄とは異なるものでもよい。例えば、スクロール表示される飾り図柄以外の飾り図柄が確定飾り図柄となってもよい。
【００２４】
画像表示装置５の画面上では、第１特図ゲームに対応して、各々が識別可能な複数種類の飾り図柄の可変表示を行ない、可変表示結果となる確定飾り図柄を導出表示（単に「導出」ともいう）する。例えば特別図柄や飾り図柄という、各種の表示図柄を導出表示するとは、飾り図柄等の識別情報を停止表示（完全停止表示や最終停止表示ともいう）して可変表示を終了させることである。これに対して、飾り図柄の可変表示を開始してから可変表示結果となる確定飾り図柄が導出表示されるまでの可変表示中には、飾り図柄の変動速度が「０」となって、飾り図柄が停留して表示され、例えば微少な揺れや伸縮等を生じさせる表示状態となることがある。この表示状態は、仮停止表示ともいい、可変表示における表示結果が確定的に表示されていないが、スクロール表示や更新表示による飾り図柄の変動が進行していないことを遊技者が認識可能となる。飾り図柄は、たとえば、「０」〜「９」というような複数種類の数字よりなる図柄が所定の順番で配列され、その図柄配列順番にしたがって変動表示（可変表示）される。
【００２５】
画像表示装置５の表示領域の右下に設けられた領域５Ｂでは、第２特図ゲームに対応し、例えば第２特図ゲームが実行中であることを示す画像が表示され（識別情報の可変表示（可変表示ゲーム）の一種として、「○」の画像と「×」の画像とが可変表示され）、最後に、第２特図ゲームでの可変表示結果を報知する画像（表示結果としての「○」の画像と「×」の画像とのいずれかの画像）等が表示される。
【００２６】
画像表示装置５の画面上には、所定の表示エリア５Ｈが配置される。表示エリア５Ｈでは、特図ゲーム（特図の可変表示）の保留数（特図保留記憶数）を特定可能に表示する保留記憶表示が行なわれる。特図ゲームの保留は、後述の普通入賞球装置６Ａが形成する第１始動入賞口や、普通可変入賞球装置６Ｂが形成する第２始動入賞口に、遊技球が進入（例えば、通過）することによる始動入賞に基づいて発生する。すなわち、特図ゲームや飾り図柄の可変表示等という可変表示ゲームを実行するための始動条件（実行条件ともいう）は成立したが、先に成立した開始条件に基づく可変表示ゲームが実行中であることや大当り遊技状態に制御されていること等により、可変表示ゲームの開始を許容する開始条件が成立していないときに、成立した始動条件に対応する可変表示の保留が行なわれる。保留記憶表示は、保留されている可変表示と同じ個数の図柄（丸印等であり、以下、保留表示図柄ともいう。）を表示することにより行なう。第１特図を用いた特図ゲームに対応した、保留されている可変表示は、表示エリア５Ｈにおける向かって左側の領域（第１保留表示領域５ＨＡ）に表示される保留表示図柄により表される。第２特図を用いた特図ゲームに対応した、保留されている可変表示は、表示エリア５Ｈにおける向かって右側の領域（第２保留表示領域５ＨＢ）に表示される保留表示図柄により表される。保留表示図柄と保留中の可変表示とは、一対一で対応するようにするとよい。
【００２７】
第１始動入賞口に遊技球が進入する第１始動入賞の発生により、第１特別図柄表示装置４Ａによる第１特図を用いた特図ゲームの始動条件（第１始動条件）が成立したときに、当該第１始動条件の成立に基づく第１特図ゲームを開始するための第１開始条件が成立しなければ、第１特図保留記憶数が１加算（インクリメント）され、第１特図ゲーム（第１特図の可変表示）が保留される（保留表示図柄が１つ増やされる。）。また、第２始動入賞口を遊技球が進入する第２始動入賞の発生により、第２特別図柄表示装置４Ｂによる第２特図を用いた特図ゲームの始動条件（第２始動条件）が成立したときに、当該第２始動条件の成立に基づく第２特図ゲームを開始するための第２開始条件が成立しなければ、第２特図保留記憶数が１加算（インクリメント）され、第２特図ゲーム（第２特図の可変表示）が保留される（保留表示図柄が１つ増やされる。）。これに対し、第１特図ゲームの実行が開始されるときは、第１特図保留記憶数が１減算（デクリメント）され（保留表示図柄が１つ減らされる。）、第２特図ゲームの実行が開始されるときには、第２特図保留記憶数が１減算（デクリメント）される（保留表示図柄が１つ減らされる。）。
【００２８】
第１特図保留記憶数と第２特図保留記憶数とを加算した可変表示の特図保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部（例えば第１特図保留記憶数と第２特図保留記憶数を含む一方で合計保留記憶数は除く概念）を指すこともあるものとする。
【００２９】
前記表示エリア５Ｈとともに、または表示エリア５Ｈに代えて、特図保留記憶数を表示する表示器を設けてもよい。図１に示す例では、第１特別図柄表示装置４Ａ及び第２特別図柄表示装置４Ｂの上部に、特図保留記憶数を特定可能に表示する第１保留表示器２５Ａと第２保留表示器２５Ｂとが設けられる。第１保留表示器２５Ａは、第１特図保留記憶数を特定可能に表示する。第２保留表示器２５Ｂは、第２特図保留記憶数を特定可能に表示する。第１保留表示器２５Ａと第２保留表示器２５Ｂは、それぞれ例えば第１特図保留記憶数と第２特図保留記憶数のそれぞれにおける上限値（例えば「４」）に対応した個数（例えば４個）のＬＥＤを含むＬＥＤの点灯個数により、第１特図保留記憶数と第２特図保留記憶数とを表示する。
【００３０】
画像表示装置５の下方には、普通入賞球装置６Ａが設けられる。画像表示装置５の右側方には、普通可変入賞球装置６Ｂが設けられる。普通入賞球装置６Ａは、例えば所定の玉受部材により常に一定の開放状態に保たれる始動領域（第１始動領域）としての第１始動入賞口を形成する。
【００３１】
普通可変入賞球装置６Ｂは、普通電動役物用のソレノイド８１により垂直位置となる垂直状態と傾動位置となる傾動状態とに変化する一対の可動翼片を有する電動チューリップ型役物（普通電動役物）を備え、第２始動入賞口を形成する。普通可変入賞球装置６Ｂの上方には、遊技盤２の盤面に固定された固定部材３０が配置されている。固定部材３０は、遊技盤２の盤面から前方に張り出した略板状の部材であり、可動翼片が垂直状態にあるときの第２始動入賞口を完全に塞ぎ、遊技球が第２始動入賞口に進入できないようにする。つまり、可動翼片が垂直状態にあるときには、第２始動入賞口は、遊技球が進入できない閉鎖状態となる。また、可動翼片が傾動状態にあるときは、第２始動入賞口は開放状態となり、遊技球は進入可能となる。例えば、普通可変入賞球装置６Ｂでは、普通電動役物用のソレノイド８１がオフ状態であるときに可動翼片が垂直状態となり、ソレノイド８１がオン状態であるときに可動翼片が傾動状態となる。
【００３２】
普通入賞球装置６Ａに形成された第１始動入賞口に進入した遊技球は、例えば第１始動口スイッチ２２Ａにより検出される。普通可変入賞球装置６Ｂに形成された第２始動入賞口に進入した遊技球は、例えば第２始動口スイッチ２２Ｂにより検出される。第１始動口スイッチ２２Ａにより遊技球が検出されたことに基づき、所定個数（例えば３個）の遊技球が賞球（景品遊技媒体）として払出され、第１特図保留記憶数が所定の上限値（例えば「４」）未満であれば、第１始動条件が成立する。第２始動口スイッチ２２Ｂにより遊技球が検出されたことに基づき、所定個数（例えば３個）の遊技球が賞球として払出され、第２特図保留記憶数が所定の上限値未満であれば、第２始動条件が成立する。
【００３３】
普通入賞球装置６Ｂの下方には、特別可変入賞球装置７が設けられる。特別可変入賞球装置７は、大入賞口扉用となるソレノイド８２により開閉駆動される大入賞口扉を備え、大入賞口扉により開放状態と閉鎖状態とに変化する特定領域として大入賞口を形成する。
【００３４】
一例として、特別可変入賞球装置７では、大入賞口扉用のソレノイド８２がオフ状態であるときに大入賞口扉が大入賞口を閉鎖状態として、遊技球が大入賞口に進入（例えば、通過）できなくなる。一方で、特別可変入賞球装置７では、大入賞口扉用のソレノイド８２がオン状態であるときに大入賞口扉が大入賞口を開放状態として、遊技球が大入賞口に進入しやすくなる。特定領域としての大入賞口は、遊技球が進入しやすく遊技者にとって有利な開放状態と、遊技球が進入できず遊技者にとって不利な閉鎖状態とに変化する。
【００３５】
大入賞口に進入（入賞）した遊技球は、遊技盤２の裏側に設けられた内部通路３１を通り所定の玉受部材により常に一定の開放状態に保たれる確変検出領域４０に進入する。遊技盤２の一部、内部通路３１を形成する部材、球受部材等を透明にすることで、内部通路３１を進んで確変検出領域４０に進入する遊技球を遊技者が視認可能としてもよい。内部通路３１を通る遊技媒体は、確変検出領域４０に必ず進入できる（大入賞口に入賞した遊技球は、必ず確変検出領域４０に進入する。）。
【００３６】
大入賞口に進入（入賞）した遊技球は、カウントスイッチ２３により検出される。カウントスイッチ２３により遊技球が検出されると、所定個数（例えば１４個）の遊技球が賞球として払出される。特別可変入賞球装置７において開放状態となった大入賞口に遊技球が進入したときには、第１始動入賞口や第２始動入賞口という、他の入賞口に遊技球が進入したときよりも多くの賞球が払出される。したがって、特別可変入賞球装置７において大入賞口が開放状態となれば、大入賞口に遊技球が進入可能となり、特別可変入賞球装置７は遊技者にとって有利な第１状態となる。一方で、特別可変入賞球装置７で大入賞口が閉鎖状態となれば、大入賞口に遊技球を進入させて賞球を得ることが不可能になり、特別可変入賞球装置７は遊技者にとって不利な第２状態となる。なお、上記第１状態は遊技球が進入可能な状態であればよく、第２状態は第１状態よりも遊技球が進入し難い状態であればよい。
【００３７】
確変検出領域４０に進入した遊技球は、確変検出スイッチ２４により検出される。確変検出スイッチ２４により遊技球が検出されたときには、その後の遊技状態（後述の大当り遊技状態終了後の遊技状態）が確変状態になる。
【００３８】
遊技盤２の所定位置（図１に示す例では、遊技領域の左側方）には、普通図柄表示器２０が設けられる。一例として、普通図柄表示器２０は、第１特別図柄表示装置４Ａや第２特別図柄表示装置４Ｂと同様に７セグメントやドットマトリクスのＬＥＤ等から構成され、例えば、特別図柄とは異なる複数種類の識別情報である普通図柄（「普図」あるいは「普通図」ともいう）を変動可能に表示（可変表示）する。このような普通図柄の可変表示は、普図ゲーム（「普通図ゲーム」ともいう）と称される。普図ゲームは、画像表示装置５の右側方に設けられた通過ゲート４１（所定の部材により遊技球が通過可能に形成されている）を遊技球が通過したことに基づいて開始される。通過ゲート４１への遊技球の通過はゲートスイッチ２１により検出される。普通図柄表示器２０の上方には、普図保留表示器２５Ｃが設けられる。普図保留表示器２５Ｃは、例えば４個のＬＥＤを含んで構成され、通過ゲート４１を通過した有効通過球数としての普図保留記憶数（普図ゲームの始動条件は成立したが未だ開始されていない普図ゲームの保留記憶の数）を表示する。普図ゲームの保留記憶数は、所定数を上限（例えば、４つ）とする。
【００３９】
遊技盤２の表面には、遊技球の流下方向や速度を変化させる風車及び多数の障害釘が設けられる。第１始動入賞口、第２始動入賞口及び大入賞口とは異なる入賞口として、単一または複数の一般入賞口が設けられてもよい。一般入賞口のいずれかに進入（入賞）した遊技球が所定の一般入賞球スイッチにより検出されたことに基づき、所定個数（例えば１０個）の遊技球が賞球として払出されればよい。遊技領域の最下方には、いずれの入賞口にも進入しなかった遊技球が取込まれるアウト口１９が設けられる。
【００４０】
アウト口１９から取込まれた遊技球や、第１始動入賞口に進入（入賞）した遊技球、第２始動入賞口に進入（入賞）した遊技球、大入賞口に進入（入賞）して確変検出領域に進入した遊技球、及び、これらとは異なる前記入賞口に進入（入賞）した遊技球等の遊技領域に打ち込まれた遊技球は、すべてが、パチンコ遊技機１の内部の所定の通路（例えば、各入賞口、確変検出領域、アウト口１９に進入した遊技球が通る各通路を全て合流させた通路）を通過する。
【００４１】
遊技機用枠３の左右上部位置には、効果音等を再生出力するためのスピーカ８Ｌ、８Ｒが設けられており、さらに遊技領域周辺部には、遊技効果ランプ９が設けられる。パチンコ遊技機１の遊技領域における各構造物（例えば普通入賞球装置６Ａ、普通入賞球装置６Ｂ、特別可変入賞球装置７等）の周囲には、装飾用ＬＥＤが配置されていてもよい。遊技機用枠３の右下部位置には、遊技媒体としての遊技球を遊技領域に向けて発射するために遊技者等により操作される打球操作ハンドル（操作ノブ）が設けられる。例えば、打球操作ハンドルは、遊技者等による操作量（回転量）に応じて遊技球の弾発力を調整する。
【００４２】
遊技領域の下方における遊技機用枠３の所定位置には、賞球として払出された遊技球や所定の球貸機により貸し出された遊技球を、打球発射装置へと供給可能に保持（貯留）する上皿（打球供給皿）が設けられる。遊技機用枠３の下部には、上皿から溢れた余剰球等を、パチンコ遊技機１の外部へと排出可能に保持（貯留）する下皿が設けられる。
【００４３】
パチンコ遊技機１の遊技領域の左側を狙って遊技球を打ち込む左打ちと、右側を狙って遊技球を打ち込む右打ちとが行なわれる。左打ちされた遊技球は、普通入賞球装置６Ａが形成する第１始動入賞口に入賞可能となっており、通過ゲート４１、普通可変入賞球装置６Ｂが形成する第２始動入賞口、特別可変入賞球装置７が形成する大入賞口等には通過不可能又は入賞不可能となっている。一方、右打ちされた遊技球は、通過ゲート４１を通過可能であり、第２始動入賞口、大入賞口、第１始動入賞口のいずれにも入賞可能である。第１始動入賞口へは、右打ちされたが第２始動入賞口、大入賞口のいずれにも入賞できなかった遊技球の一部が入賞し得る。右打ちと、左打ちとでは、左打ちの方が第１始動入賞口への入賞割合が高くなっている（このように、障害釘が設けられればよい。）。
【００４４】
パチンコ遊技機１には、例えば図２に示すような主基板１１、演出制御基板１２、音声制御基板１３、ランプ制御基板１４という、各種の制御基板が搭載されている。また、パチンコ遊技機１には、主基板１１と演出制御基板１２との間で伝送される各種の制御信号を中継するための中継基板１５等も搭載されている。
【００４５】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号を受け取る機能、演出制御基板１２、払出制御基板等のサブ側の制御基板に宛てて、指令情報の一例となる制御コマンドを制御信号として出力して送信する機能、ホールの管理コンピュータに対して各種情報を出力する機能等を備える。また、主基板１１は、第１特別図柄表示装置４Ａ、第２特別図柄表示装置４Ｂ、普通図柄表示器２０を構成する各ＬＥＤ（例えばセグメントＬＥＤ）等の点灯／消灯制御を行なって第１特図や第２特図の可変表示、普通図柄の可変表示を制御すること（第１特図ゲームや第２特図ゲーム、普図ゲームを実行すること）という、所定の表示図柄の可変表示を実行する機能も備えている。主基板１１は、第１保留表示器２５Ａ、第２保留表示器２５Ｂ、普図保留表示器２５Ｃの制御を行ない、第１特図保留記憶数、第２特図保留記憶数、普図保留記憶数それぞれを第１保留表示器２５Ａ、第２保留表示器２５Ｂ、普図保留表示器２５Ｃそれぞれに表示する機能も備えている。
【００４６】
主基板１１には、遊技制御用マイクロコンピュータ１００やスイッチ回路１１０、ソレノイド回路１１１等が搭載されている。スイッチ回路１１０は、遊技球検出用の各種スイッチ（第１始動口スイッチ２２Ａおよび第２始動口スイッチ２２Ｂ、カウントスイッチ２３、確変検出スイッチ１０等）からの検出信号（遊技媒体の進入を検出したことを示す各種スイッチのオン信号等）を取込んで遊技制御用マイクロコンピュータ１００に伝送する。ソレノイド回路１１１は、遊技制御用マイクロコンピュータ１００からのソレノイド駆動信号（ソレノイド８１やソレノイド８２をオン状態又はオフ状態にする信号等の、各ソレノイドを駆動する信号）を、普通電動役物用のソレノイド８１や大入賞口扉用のソレノイド８２に伝送する。
【００４７】
演出制御基板１２は、主基板１１とは独立したサブ側の制御基板であり、中継基板１５を介して主基板１１から伝送された制御信号を受信して、画像表示装置５、スピーカ８Ｌ、８Ｒ及び遊技効果ランプ９や装飾用ＬＥＤという演出用の電気部品による演出動作を制御するための各種回路が搭載される。演出制御基板１２は、画像表示装置５における表示動作や、スピーカ８Ｌ、８Ｒからの音声出力動作の全部または一部、遊技効果ランプ９や装飾用ＬＥＤ等における点灯／消灯動作の全部または一部という、演出用の電気部品に所定の演出動作を実行させるための制御内容を決定し、決定した制御内容での制御を行なう。
【００４８】
音声制御基板１３は、演出制御基板１２とは別個に設けられた音声出力制御用の制御基板であり、演出制御基板１２からの制御信号等に基づき、スピーカ８Ｌ、８Ｒから音声を出力させる音声信号処理を実行する処理回路等が搭載される。ランプ制御基板１４は、演出制御基板１２とは別個に設けられたランプ出力制御用の制御基板であり、演出制御基板１２からの制御信号等に基づき、遊技効果ランプ９や装飾用ＬＥＤ等の点灯／消灯駆動を行なうランプドライバ回路等が搭載される。
【００４９】
図２に示すように、主基板１１には、始動口スイッチ（第１始動口スイッチ２２Ａおよび第２始動口スイッチ２２Ｂ）、カウントスイッチ２３、確変検出スイッチ２４という、各種スイッチからの検出信号を伝送する配線が接続される。主基板１１には、第１特別図柄表示装置４Ａ、第２特別図柄表示装置４Ｂ、普通図柄表示器２０、第１保留表示器２５Ａ、第２保留表示器２５Ｂ、普図保留表示器２５Ｃ等の表示制御を行なうための制御信号（ＬＥＤを駆動する駆動信号等）を伝送する配線が接続される。また、主基板１１には、ソレノイド８１やソレノイド８２にソレノイド駆動信号を伝送する配線が接続される。
【００５０】
主基板１１から演出制御基板１２に向けて伝送される制御信号は、制御コマンドとして、中継基板１５により中継される。中継基板１５を介して主基板１１から演出制御基板１２に対して伝送される制御コマンドは、電気信号として送受信される演出制御コマンドである。演出制御コマンドには、画像表示装置５における画像表示動作を制御するために用いられる表示制御コマンドや、スピーカ８Ｌ、８Ｒからの音声出力を制御するために用いられる音声制御コマンド、遊技効果ランプ９や装飾用ＬＥＤの点灯動作等を制御するために用いられるランプ制御コマンドが含まれてもよい。演出制御コマンドはいずれも、２バイト構成であり、１バイト目はＭＯＤＥ（コマンドの分類）を示し、２バイト目はＥＸＴ（コマンドの種類）を表す。ＭＯＤＥデータの先頭ビット（ビット７）は必ず「１」となり、ＥＸＴデータの先頭ビットは「０」となるように、予め設定されていればよい。
【００５１】
主基板１１に搭載された遊技制御用マイクロコンピュータ１００は、１チップのマイクロコンピュータであり、遊技制御用のプログラムや固定データ等を記憶するＲＯＭ（Read Only Memory）１０１と、遊技制御用のワークエリアを提供するＲＡＭ（Random Access Memory）１０２と、遊技制御用のプログラムを実行して制御動作を行なうＣＰＵ（Central Processing Unit）１０３と、ＣＰＵ１０３とは独立して乱数値を示す数値データの更新を行なう乱数回路１０４と、Ｉ／Ｏ（Input/Output port）１０５とを備える。
【００５２】
遊技制御用マイクロコンピュータ１００では、ＣＰＵ１０３がＲＯＭ１０１から読出したプログラムを実行することにより、パチンコ遊技機１における遊技の進行を制御するための処理が実行される。このときには、ＣＰＵ１０３がＲＯＭ１０１から固定データを読出す固定データ読出動作や、ＣＰＵ１０３がＲＡＭ１０２に各種の変動データを書込んで一時記憶させる変動データ書込動作、ＣＰＵ１０３がＲＡＭ１０２に一時記憶されている各種の変動データを読出す変動データ読出動作、ＣＰＵ１０３がＩ／Ｏ１０５を介して遊技制御用マイクロコンピュータ１００の外部から各種信号の入力を受付ける受信動作、ＣＰＵ１０３がＩ／Ｏ１０５を介して遊技制御用マイクロコンピュータ１００の外部へと各種信号を出力する送信動作等も行なわれる。
【００５３】
遊技制御用マイクロコンピュータ１００では、例えば乱数回路１０４等により、遊技の進行を制御するために用いられる各種の乱数値を示す数値データが更新可能にカウントされる。遊技の進行を制御するための乱数は、遊技用乱数ともいう。
【００５４】
ＲＯＭ１０１には、ゲーム制御用のプログラムの他にも、遊技の進行を制御するために用いられる各種の選択用データ、テーブルデータ等が格納される。Ｉ／Ｏ１０５は、スイッチ回路１１０等の遊技制御用マイクロコンピュータ１００外部から伝送された検出信号を取込むための入力ポートと、遊技制御用マイクロコンピュータ１００外部へと各種信号（演出制御基板１２や払出制御基板等に向けて伝送される制御コマンドや、ソレノイド駆動信号、第１特別図柄表示装置４Ａ、第２特別図柄表示装置４Ｂ、第１保留表示器２５Ａ等を制御する制御信号等）を伝送するための出力ポートとを含む。
【００５５】
演出制御基板１２には、プログラムに従って制御動作を行なう演出制御用ＣＰＵ１２０と、演出制御用のプログラムや固定データ等を記憶するＲＯＭ１２１と、演出制御用ＣＰＵ１２０のワークエリアを提供するＲＡＭ１２２と、画像表示装置５における表示動作の制御内容に応じた映像信号を出力する処理等を実行する表示制御部１２３と、演出制御用ＣＰＵ１２０とは独立して乱数値を示す数値データの更新を行なう乱数回路１２４と、Ｉ／Ｏ１２５とが搭載される。
【００５６】
演出制御基板１２では、演出制御用ＣＰＵ１２０がＲＯＭ１２１から読出した演出制御用のプログラムを実行することにより、演出用の電気部品による演出動作を制御する処理が実行される。このときは、演出制御用ＣＰＵ１２０により、ＲＯＭ１２１から固定データを読出す固定データ読出動作、ＲＡＭ１２２に各種の変動データを書込み一時記憶させる変動データ書込動作、ＲＡＭ１２２に一時記憶されている各種の変動データを読出す変動データ読出動作、Ｉ／Ｏ１２５を介し演出制御基板１２の外部から各種信号の入力を受付ける受信動作、および、Ｉ／Ｏ１２５を介して演出制御基板１２の外部へと各種信号を出力する送信動作等も行なわれる。
【００５７】
演出制御用ＣＰＵ１２０、ＲＯＭ１２１、ＲＡＭ１２２は、演出制御基板１２に搭載された１チップの演出制御用マイクロコンピュータに含まれてもよい。演出制御基板１２には、画像表示装置５に対して映像信号（画像表示装置５に表示する画像を表す信号）を伝送するための配線や、音声制御基板１３に対して音番号データを示す情報信号（制御信号）としての効果音信号を伝送するための配線、ランプ制御基板１４に対してランプデータを示す情報信号（制御信号）としての電飾信号を伝送するための配線等が接続される。
【００５８】
演出制御基板１２では、例えば乱数回路１２４等により、演出動作を制御するために用いられる各種の乱数値を示す数値データが更新可能にカウントされる。こうした演出動作を制御するために用いられる乱数は、演出用乱数ともいう。
【００５９】
図２に示す演出制御基板１２に搭載されたＲＯＭ１２１には、演出制御用のプログラムの他に、演出動作を制御するために用いられる各種のデータテーブル等が格納される。ＲＯＭ１２１には、演出制御用ＣＰＵ１２０が各種の判定や決定、設定を行なうために用意された複数の判定テーブルや決定テーブルを構成するテーブルデータ、各種の演出制御パターンを構成するパターンデータ等が記憶されている。演出制御パターンは、例えば演出制御プロセスタイマ判定値と対応付けられた演出制御実行データ（表示制御データ、音声制御データ、ランプ制御データ等）や終了コード等を含んだプロセスデータから構成される。演出制御基板１２に搭載されたＲＡＭ１２２には、演出動作を制御するために用いられる各種データが記憶される。
【００６０】
演出制御基板１２に搭載された表示制御部１２３は、演出制御用ＣＰＵ１２０の制御に基づいて（例えば、演出制御用ＣＰＵ１２０からの表示制御指令等に基づき）、画像表示装置５において表示する演出画像の映像信号を出力し、画像表示装置５に演出画像を表示する。一例として、表示制御部１２３には、ＶＤＰ（Video Display Processor）、ＣＧＲＯＭ（Character Generator ROM）、ＶＲＡＭ（Video RAM）等が搭載されていればよい。演出制御用ＣＰＵ１２０は、上記の演出制御パターンに含まれる表示制御データ等に従って、画像表示装置５の表示画面内に表示させる演出画像を指定する表示制御指令を表示制御部１２３に送信する。表示制御部１２３は、演出制御用ＣＰＵ１２０からの表示制御指令に従って、ＣＧＲＯＭ等（記憶部）に格納されているデータに基づいて、当該表示制御指令により指定される演出画像を表示するための映像信号を出力する。これにより、演出制御用ＣＰＵ１２０の制御（演出制御パターン等）に従った演出画像の映像信号が出力されたことになり、画像表示装置５に当該演出画像が表示される。
【００６１】
演出制御基板１２に搭載されたＩ／Ｏ１２５は、主基板１１等から伝送された演出制御コマンドを取込むための入力ポートと、演出制御基板１２の外部へと各種信号を伝送するための出力ポートとを含んで構成される。Ｉ／Ｏ１２５の出力ポートからは、画像表示装置５へと伝送される映像信号や、音声制御基板１３へと伝送される制御信号（効果音信号）、ランプ制御基板１４へと伝送される制御信号（電飾信号）等が出力される。
【００６２】
画像表示装置５は、液晶パネル等からなる表示パネルと、当該表示パネルを駆動するドライバ回路等を備える。演出制御用ＣＰＵ１２０の制御に基づいて表示制御部１２３からＩ／Ｏ１２５を介して画像表示装置５に供給された映像信号は、前記ドライバ回路に入力される。ドライバ回路は、入力された映像信号に基づいて、表示パネルを駆動し、当該映像信号が表す画像を表示パネルに表示させる。これにより、画像表示装置５には、各種の演出画像が表示される。
【００６３】
演出制御用ＣＰＵ１２０は、音声制御基板１３を介してスピーカ８Ｌ、８Ｒを制御して音声を出力させたり、ランプ制御基板１４を介して遊技効果ランプ９や装飾用ＬＥＤ等における点灯／消灯駆動を行なわせたり、表示制御部１２３を介して画像表示装置５の表示領域に演出画像を表示させたりして、各種の演出（詳しくは後述する、リーチ演出等、遊技を盛り上げるための演出等）を実行する。
【００６４】
パチンコ遊技機１においては、遊技価値（ここでは、遊技媒体の一例である遊技球）を使用して、この遊技球を発射して行なわれる所定の遊技が行なわれ、その遊技結果に基づいて所定の遊技価値（ここでは、賞球としての遊技媒体）が付与（ここでは、払出し）可能となる。遊技球を用いた遊技の一例として、パチンコ遊技機１における筐体前面の右下方に設置された打球操作ハンドルが遊技者により所定操作（例えば回転操作）されたことに基づいて、所定の打球発射装置が備える発射モータ等により、遊技媒体としての遊技球が遊技領域に向けて発射される。発射された遊技球は遊技領域を流下し、遊技領域を流下した遊技球が、普通入賞球装置６Ａに形成された第１始動入賞口（第１始動領域）に進入すると、第１始動条件が成立する。その後、例えば前回の第１特図ゲームや大当り遊技状態が終了したこと等により第１開始条件が成立したことに基づいて、第１特図ゲームが開始される。また、遊技領域を流下した遊技球が、普通可変入賞球装置６Ｂに形成された第２始動入賞口（第２始動領域）に進入すると、第２始動条件が成立する。その後、例えば前回の第２特図ゲームや大当り遊技状態が終了したこと等により第２開始条件が成立したことに基づいて、第２特図ゲームが開始される。
【００６５】
また、通過ゲート４１を遊技球が通過したこと（ゲートスイッチ２１により当該通過が検出されたこと（ゲートスイッチ２１がオンになったこと））に基づいて、普通図柄表示器２０で普通図柄の可変表示を実行するための普図始動条件が成立する（これにより、普図保留記憶数が１加算（インクリメント）される）。その後、例えば前回の普図ゲームが終了したという、普通図柄の可変表示を開始するための普図開始条件が成立したことに基づいて、普通図柄表示器２０による普図ゲームが開始される（普図保留記憶数が１減算（デクリメント）される）。この普図ゲームとしては、普通図柄の可変表示が実行される。普通図柄の可変表示では、普通図柄の変動を開始させた後、所定時間が経過すると、普通図柄の可変表示の最後として、普通図柄の可変表示結果となる確定普通図柄を停止表示（導出表示）する。確定普通図柄として特定の普通図柄（普図当り図柄）が停止表示されれば、普通図柄の可変表示結果が「普図当り」となる。一方、確定普通図柄として普図当り図柄以外の普通図柄が停止表示されれば、普通図柄の可変表示結果が「普図ハズレ」となる。普通図柄の可変表示結果が「普図当り」となったことに対応して、普通可変入賞球装置６Ｂを構成する電動チューリップの可動翼片が傾動位置となる開放制御が行なわれ、所定時間が経過すると垂直位置に戻る閉鎖制御が行なわれる（開放制御は、複数回行なわれてもよい。）。普通図柄の可変表示結果を、予め定められた特定表示結果を「普図当り」にするか否かは、普通図柄表示器２０による普図ゲームが開始されるとき等、その可変表示結果を導出表示する以前に決定（事前決定）される。
【００６６】
第１特図ゲームが開始されるときや、第２特図ゲームが開始されるときには、特別図柄の可変表示結果（第１特図ゲームや第２特図ゲームにおける可変表示結果）を、特定表示結果としての「大当り」にするか否かが、その可変表示結果を導出表示する以前に決定（事前決定）される。そして、可変表示結果の決定に基づく所定割合で、可変表示のパターンである変動パターン（図１５、２８参照）の決定等が行なわれ、可変表示結果や変動パターンを指定する演出制御コマンドが、遊技制御用マイクロコンピュータ１００から演出制御基板１２に向けて伝送される。
【００６７】
可変表示結果や変動パターンの決定に基づいて第１特図ゲームや第２特図ゲームが開始された後、変動パターンに対応して予め定められた可変表示時間が経過したときは、可変表示結果となる確定特別図柄（第１確定特別図柄又は第２確定特別図柄）が第１特別図柄表示装置４Ａや第２特別図柄表示装置４Ｂに導出表示される。
【００６８】
第１特図ゲームに対応して、画像表示装置５の画面上の領域５Ａに配置された「左」，「中」，「右」の飾り図柄表示エリア５Ｌ，５Ｃ，５Ｒでは、特別図柄とは異なる飾り図柄（演出図柄）の可変表示が行なわれる。第１特図ゲームにおいて、第１特別図柄の可変表示結果となる第１確定特別図柄が導出表示されるときは、この導出表示に同期して（導出表示と略同じタイミングで）、画像表示装置５の表示領域における領域５Ａ等において飾り図柄の可変表示結果となる確定飾り図柄が導出表示される（図５５、図５８等）。
【００６９】
また、画像表示装置５の表示領域における領域５Ｂでは、第２特図ゲームに対応して、第２特図ゲームが実行中であることを示す画像が表示される。例えば、装飾識別情報の可変表示（可変表示ゲーム）の一種として、「○」の画像と「×」の画像とが領域５Ｂで可変表示される（図６１等）。第２特図ゲームにおいて、第２特別図柄の可変表示結果となる第２確定特別図柄が導出表示されるときには、この導出表示に同期して（この導出表示と略同じタイミングで）、画像表示装置５の領域５Ｂにおいて第２特図ゲームにおける可変表示結果を報知する画像が表示（導出表示）される。例えば、装飾識別情報の可変表示（可変表示ゲーム）の表示結果として、「○」の画像（「大当り」を示す画像）と「×」の画像（「ハズレ」を示す画像）とのいずれかの画像を導出表示される。
【００７０】
第１特図ゲーム又は第２特図ゲームにおいて、可変表示結果として予め定められた大当り図柄が導出表示されたときには、可変表示結果（特図表示結果）が「大当り」（特定表示結果）となり、遊技者にとって有利な特定遊技状態としての大当り遊技状態に制御される。大当り遊技状態に制御されるか否かは、第１特図ゲーム又は第２特図ゲームにおける可変表示結果が「大当り」となるか否かに対応しており、その可変表示結果を導出表示する以前に決定（事前決定）される。特別図柄の可変表示結果として、大当り図柄が導出表示されず、ハズレ図柄が導出表示されたときには、可変表示結果（特図表示結果）が「ハズレ」となる。
【００７１】
一例として、「６」及び「７」の数字を示す特別図柄を大当り図柄とし、「−」を示す特別図柄をハズレ図柄とする。なお、第１特図ゲームにおける大当り図柄やハズレ図柄という各図柄は、第２特図ゲームにおける各図柄とは異なる特別図柄とならせてもよいし、双方の特図ゲームにおいて共通の特別図柄が大当り図柄やハズレ図柄となるようにしてもよい。
【００７２】
特図表示結果が「大当り」となる場合は、大当り種別が「５Ｒ通常」、「５Ｒ短期」のいずれかとなる場合が含まれる。特別図柄（第１特図又は第２特図）の可変表示結果として、「７」の数字を示す大当り図柄が導出表示されたときは大当り種別が「５Ｒ通常」となり、「６」の数字を示す大当り図柄が導出表示されたときは大当り種別が「５Ｒ短期」となる。「５Ｒ通常」の「大当り」が導出表示されたときの大当り遊技状態を通常開放大当り遊技状態ともいう。「５Ｒ短期」の「大当り」が導出表示されたときの大当り遊技状態を短期開放大当り遊技状態ともいう。
【００７３】
大当り遊技状態では、大入賞口が開放状態となって特別可変入賞球装置７が遊技者にとって有利な第１状態となる。そして、上限期間あるいは第１の所定個数の遊技球が大入賞口に進入して入賞が発生するまでの期間で、大入賞口を継続して開放状態とするラウンド遊技（単に「ラウンド」ともいう）が実行される。こうしたラウンド遊技の実行期間以外の期間では、大入賞口が閉鎖状態等となり、入賞が発生困難または発生不可能となる。大入賞口に遊技球が進入したときには、カウントスイッチ２３により入賞が検出され、その検出ごと（入賞ごと）に所定個数（例えば１４個）の遊技球が賞球として払出される。大当り遊技状態におけるラウンド遊技は、所定の上限回数に達するまで繰返し実行される。
【００７４】
上限期間は、大当り遊技状態の種類（大当り種別）に応じて異なる。図３に、各大当り遊技状態での大入賞口の開放態様を示す。図３（Ａ）のように短期開放大当り遊技状態（大当り種別：「５Ｒ短期」）では、上限期間が、０．１秒（短期開放ラウンド）で、ラウンド数が通常開放大当り遊技状態（大当り種別：「５Ｒ通常」）と同じ５Ｒ（ラウンド）である。図３（Ｂ）のように通常開放大当り遊技状態（大当り種別：「５Ｒ通常」）では、上限期間が５秒となる（通常開放ラウンド）。
【００７５】
短期開放大当り遊技状態では、大入賞口の開放の上限期間が極めて短く（０．１秒）、遊技球の入賞がほとんど期待できない。従って、短期開放大当り遊技状態は、遊技者にとって有利な特定遊技状態と言い難いが、大入賞口が開放しているので、短期開放大当り遊技状態も、遊技者にとって有利な特定遊技状態とする。遊技者にとって有利な特定遊技状態は、大入賞口の開放態様に関わらず、大入賞口が開放する状態であればよい。また大当り遊技状態後に、遊技状態が変化することがある。遊技状態として、通常状態と、確変状態と、高ベース状態とが用意されている。
【００７６】
通常状態とは、大当り遊技状態等の特定遊技状態や、確変状態、高ベース状態等の遊技者にとって有利な状態以外の遊技状態のことであり、普図ゲームにおける可変表示結果が「普図当り」となる確率及び特図ゲームにおける可変表示結果が「大当り」となる確率が、パチンコ遊技機１の初期設定状態（例えばシステムリセットが行なわれた場合のように、電源投入後に所定の復帰処理を実行しなかったとき）と同一に制御される状態である。
【００７７】
確変状態とは、可変表示結果が「大当り」となる確率（大当り確率）が通常状態よりも高くなる遊技状態をいう。確変状態に制御されているときの遊技状態は、高確状態ともいう。
【００７８】
高ベース状態とは、通常状態等の時短状態になっていない非時短状態よりも第２始動入賞口に遊技球が進入しやすい有利変化態様で、普通可変入賞球装置６Ｂを開放状態と閉鎖状態とに変化させる。高ベース状態では、例えば、普通図柄表示器２０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく普通可変入賞球装置６Ｂにおける可動翼片の傾動制御を行なう傾動制御時間（第２始動入賞口の開放時間）を通常状態のときよりも長くする制御、その傾動回数（第２始動入賞口の開放回数）を通常状態のときよりも増加させる制御等により、普通可変入賞球装置６Ｂを有利変化態様で開放状態と閉鎖状態とに変化させればよい。なお、これらの制御のいずれか１つが行なわれてもよいし、複数の制御が組合せられて行なわれてもよい。高ベース状態では、次に可変表示結果が「大当り」となるまでの所要時間が短縮される。高ベース状態のときには、平均的な可変表示時間（特図ゲームの実行時間）を通常状態よりも短くする制御を行なってもよい（所謂時短状態）。
【００７９】
確変状態に制御されるときに、高ベース状態にも制御される。遊技状態として、通常状態に制御されるか、確変状態かつ高ベース状態（高確高ベース状態ともいう）に制御されるかのいずれかになる。
【００８０】
大当り遊技状態において大入賞口に入賞した遊技球が確変検出領域４０に進入したとき（確変検出スイッチ２４に検出されたとき）に、当該大当り遊技状態の終了直後からの遊技状態が、高確高ベース状態となる。上述のように、大当り遊技状態のうちの短期開放大当り遊技状態のときには、大入賞口の開放期間が非常に短いので、大入賞口への入賞は非常に困難である。このため、短期開放大当り遊技状態後の遊技状態（大当り種別が「５Ｒ短期」のときのその後の遊技状態）は、高確高ベース状態にはならず、通常状態となる。一方で、通常開放大当り遊技状態のときには、大入賞口の開放期間が長いので、大入賞口への入賞は容易である。大入賞口に入賞した遊技球はすべて確変検出領域４０に進入するので（つまり、通常は、確変検出領域４０への遊技球の進入が発生するので）、通常開放大当り遊技状態後の遊技状態（大当り種別が「５Ｒ通常」のときのその後の遊技状態）は、通常、高確高ベース状態になる。但し、通常開放大当り遊技状態中に、一度も大入賞口への入賞が発生しなかったときには、通常開放大当り遊技状態後であっても、遊技状態が通常状態になることがある（但し、このようなことは、遊技者が意図して遊技球を発射させない等、特殊な場合にのみ発生するものである。）。
【００８１】
また、高確高ベース状態は、次の大当り遊技状態に制御されるまで継続する。高確高ベース状態は、当該次の大当り遊技状態中には一旦終了し、当該次の大当り遊技状態が通常開放大当り遊技状態であって、確変検出領域４０への遊技球の進入があったときには、再開される。高確高ベース状態は、通常開放大当り遊技状態に制御されることが連続する限り（間に短期開放大当り遊技状態に制御されることがない限り）、継続される。この実施形態では、間に大当り遊技状態に制御されることにより通常状態に移行する期間があっても、その前後が高確高ベース状態になっていれば、全体的に見ると１つの高確高ベース状態に見ることができるため、高確高ベース状態が継続されていると表現する。継続される高確高ベース状態の期間には、大当り遊技状態により通常状態になる期間が含まれる。
【００８２】
高確高ベース状態は、次の大当り遊技状態中には一旦終了するが、次の大当り遊技状態が短期開放大当り遊技状態であるときには、再開されない。短期開放大当り遊技状態後は、高確高ベース状態に制御されなくなる。つまり、短期開放大当り遊技状態により、それまでの高確高ベース状態は終了しする。厳密には、短期開放大当り遊技状態に制御されることで、それまでの高確高ベース状態は終了しているが、短期開放大当り遊技状態後に高確高ベース状態に再度制御されないので（高確高ベース状態が継続することにならないので）、短期開放大当り遊技状態により、それまでの高確高ベース状態は終了してしまう。
【００８３】
次に、パチンコ遊技機１の遊技について説明する。通常状態時（遊技開始時等）は、普通可変入賞球装置６Ｂにより形成された第２始動入賞口も、特別可変入賞球装置７により形成された大入賞口も閉鎖状態となるので、遊技者は、普通入賞球装置６Ａにより形成された第１始動入賞口への入賞が発生しやすい左打ちを行なう。
【００８４】
左打ちされて、第１始動入賞口への入賞が発生した場合には、第１特図ゲーム（第１特図の可変表示）が実行される。第１特図ゲームの可変表示結果が「大当り」になったときの大当り種別は、「５Ｒ通常」、「５Ｒ短期」のいずれにもなる。大当り種別が「５Ｒ短期」である場合は、短期開放大当り遊技状態に制御されるが、大入賞口の開放期間が極めて短いため、大入賞口への入賞はできず、当該短期開放大当り遊技状態の後は再び通常状態となる。一方、大当り種別が「５Ｒ通常」である場合には、通常開放大当り遊技状態に制御されるが、大入賞口の開放期間が長いため、通常は大入賞口への入賞が発生し、確変検出領域４０への遊技球の進入が発生し、当該通常開放大当り遊技状態の終了後（終了直後）から、高確高ベース状態が開始される。大当り遊技状態では、大入賞口を狙うために右打ちが行なわれる。
【００８５】
大当り高確高ベース状態が開始されると、高ベース制御により、普図ゲームにおいて「普図当り」が発生しやすくなり（１／２の確率で「普図当り」になる等）、第２始動入賞口が開放状態となって、第２始動入賞が発生し易くなるので、遊技者は右打ちをする。通常状態では、普図ゲームの表示結果が「普図当り」となることは殆どないので（「普図当り」となる確率は、１／１００等）、通常状態で右打ちがされても、第２始動入賞口が開放状態となることは殆どなく、第２始動入賞は発生しない。このようなことからも、通常状態において遊技者は、左打ちを行なう。
【００８６】
右打ちされて、第２始動入賞口への入賞が発生した場合には、第２特図ゲーム（第２特図の可変表示）が実行される。第２特図ゲームの可変表示結果が「大当り」になったときの大当り種別は「５Ｒ通常」のみである。このため、第２特図ゲームで「大当り」が導出表示されると、通常開放大当り遊技状態に制御され、通常は大入賞口への入賞が発生し、これにより、確変検出領域４０への遊技球の進入が発生し、当該大当り遊技状態終了後、高確高ベース状態に再度制御される（高確高ベース状態が継続する）。第２特図ゲームの実行時間（可変表示期間であり、後述の第２特図変動時間）は、極めて短く設定されるため、高確高ベース状態で右打ちがなされると、第２特図ゲームが高頻度で実行される。高確高ベース状態では、「大当り」となる可能性も高いので、第２特図ゲームが高頻度で実行される分、「大当り」も発生し易くなる。このため、継続する高確高ベース状態では、第２特図ゲームの「大当り」が高い頻度で発生し、途中で通常開放大当り遊技状態に制御される頻度が高くなり（第２特図ゲームでは、「５Ｒ短期」の「大当り」は発生しないため、第２特図ゲームでの大当り時は、常に通常開放大当り遊技状態に制御される。）、その結果、より多くの賞球が得られる。
【００８７】
一方、高確高ベース状態において右打ちされたが第２始動入賞口に入賞できなかった遊技球や、通常開放大当り遊技状態において大入賞口に入賞できなかった遊技球は、第１始動入賞口に入賞する可能性がある。第１始動入賞口に遊技球が入賞すると、第１特図ゲームが開始され、可変表示結果が「５Ｒ通常」の「大当り」となった場合には、通常開放大当り遊技状態に制御されて、その後、通常は、高確高ベース状態になるので、高確高ベース状態に再度移行する（高確高ベース状態が継続する）。しかし、第１特図ゲームが開始され、可変表示結果が「５Ｒ短期」の「大当り」となった場合には、短期開放大当り遊技状態に制御されてしまい、その後の遊技状態は通常状態となってしまうので、高確高ベース状態に制御されなくなってしまう（高確高ベース状態が終了してしまう）。
【００８８】
このように、高確高ベース状態は、第２特図ゲームで「大当り」が発生する限りは基本的に継続し（大当り種別が「５Ｒ通常」のみであるため。）、長く継続する。高確高ベース状態が長く継続すれば、多くの「５Ｒ通常」の「大当り」が発生し、多くの賞球が得られる。一方、第１特図ゲームで「大当り」が発生することで当該高確高ベース状態は、終了してしまう可能性がある（「５Ｒ短期」の「大当り」で高確高ベース状態が終了するため）。これらのように、高確高ベース状態における第２特図ゲームの実行は、通常開放大当り遊技状態に制御されることにも繋がり、多くの賞球を得るチャンスが生まれ、遊技者にとって望ましいものである。一方で、第１特図ゲームの実行は、高確高ベース状態を終了させる可能性もあるので遊技者にとって望ましいものではない。このような設定により、遊技性を高めている。大当り遊技状態中は、一旦通常状態に戻るため、右打ちされたとしても、第２始動入賞口は開放状態になり難く（普図当りが発生し難いため。）、第２始動入賞口への入賞は発生し難くい。また、高確高ベース状態における第１特図ゲームの実行時間（可変表示期間であり、後述の第１特図変動時間）は、通常時よりも長く設定されており、可変表示結果が導出される頻度が少なく、これにより、「大当り」になるまでの期間を長くして（つまり、高確高ベース状態の終了の契機となる「５Ｒ短期」の「大当り」が発生するまでの期間を長くして）、遊技性を高めている。
【００８９】
高確高ベース状態が継続する期間は、多くの賞球が得られる可能性がある期間であるので、チャンス期間でもある。当該チャンス期間は、大当り遊技状態において一旦遊技状態が通常状態になる期間も含む。チャンス期間では、後述の種々の演出が実行される。例えば、チャンス期間を報知するチャンス期間演出（図５８等）や、チャンス期間が少なくとも終了しない期間を当該チャンス期間の残り時間として報知する残り時間報知（図５８等）や、報知された残り時間を延長する演出である延長報知（図５９等）や、残り時間報知による残り時間が「０」になったときにチャンス期間終了の危機感を煽る特定演出（図６０等）等が実行される。特定演出は、第１特図ゲームの実行期間の最後に実行されることがある。チャンス期間は、特定演出の終了とともに終了する。その後、特定演出が実行された第１特図ゲームの可変表示結果が「ハズレ」又は「５Ｒ通常」の「大当り」であった場合には、再度チャンス期間が到来する。また、特定演出は、チャンス期間終了の危機感を煽る演出であり、第１特図ゲームに対応する飾り図柄の可変表示中に実行され、第２特図ゲームに対応しては実行されない。
【００９０】
各遊技状態における第１特図ゲームと第２特図ゲームとの関係について、図４を参照して説明する。通常状態では、基本的に左打ちされ、また、右打ちがなされ、遊技球が通過ゲート４１を通過しても「普図当り」となることが殆どないため、通常、第１特図ゲームのみが実行される（図４（Ａ）参照）。高確高ベース時には、第１始動入賞口と第２始動入賞口とのうちのいずれにも遊技球が入賞する可能性があるため、第１特図ゲームと第２特図ゲームとは並行して実行され得る。このとき、第１特図ゲームの平均的な実行期間（可変表示期間）は、第２特図ゲームの平均的な実行期間よりも長く設定されるため、ここでは、第２特図ゲームは、第１特図ゲームに比べて高い頻度で実行される（図４（Ｂ）参照）。第１特図ゲームと第２特図ゲームとのうち、一方において「大当り」が発生して（導出表示されて）大当り遊技状態に制御されるときには、他方の特図ゲームに関する処理が一時中断される（大当り遊技状態が終了すれば再開する）。特に、他方の特図ゲームが実行中であれば、当該実行中の他方の特図ゲームは一時中断される（大当り遊技状態が終了すれば、特図ゲームは再開する）（図４（Ｃ）及び（Ｄ）参照）。
【００９１】
画像表示装置５の領域５Ａ等に設けられた「左」，「中」，「右」の飾り図柄表示エリア５Ｌ，５Ｃ，５Ｒでは、第１特図ゲームが開始されることに対応して、飾り図柄の可変表示が開始される。飾り図柄の可変表示が開始されてから「左」，「中」，「右」の各飾り図柄表示エリア５Ｌ，５Ｃ，５Ｒにおける確定飾り図柄の停止表示により可変表示が終了するまでの期間（可変表示中の期間）では、飾り図柄の可変表示態様が所定のリーチ態様となる（リーチが成立する）ことがある。
【００９２】
リーチ態様とは、画像表示装置５の画面上（特に領域５Ａ）で停止表示された飾り図柄が大当り組合せの一部を構成しているときに未だ停止表示されていない飾り図柄（「リーチ変動図柄」ともいう）は変動が継続している表示態様、または、全部または一部の飾り図柄が大当り組合せの全部または一部を構成しながら同期して変動している表示態様のことである。具体的に、「左」，「中」，「右」の飾り図柄表示エリア５Ｌ，５Ｃ，５Ｒにおける一部（例えば「左」及び「右」の飾り図柄表示エリア５Ｌ，５Ｒ等）では予め定められた大当り組合せを構成する飾り図柄（例えば「７」の英数字を示す飾り図柄）が停止表示されているときに未だ停止表示していない残りの飾り図柄表示エリア（例えば「中」の飾り図柄表示エリア５Ｃ等）では飾り図柄が変動している表示態様、または、「左」，「中」，「右」の飾り図柄表示エリア５Ｌ，５Ｃ，５Ｒにおける全部または一部で飾り図柄が大当り組合せの全部または一部を構成しながら同期変動している表示態様である。
【００９３】
また、リーチ態様となったことに対応して、飾り図柄の変動速度を低下させたり、画像表示装置５の画面上に飾り図柄とは異なるキャラクタ画像（人物等を模した演出画像）を表示させたり、背景画像の表示態様を変化させたり、飾り図柄とは異なる動画像を再生表示させたり、飾り図柄の変動態様を変化させたりすることで、リーチ態様となる以前とは異なる演出動作が実行される場合がある。このキャラクタ画像の表示や背景画像の表示態様の変化、動画像の再生表示、飾り図柄の変動態様の変化という演出動作を、リーチ演出表示（あるいは単にリーチ演出）という。リーチ演出の画像は、領域５Ａに表示される。リーチ演出には、画像表示装置５における表示動作のみならず、スピーカ８Ｌ、８Ｒによる音声出力動作や、遊技効果ランプ９等の発光体における点灯動作（点滅動作）等を、リーチ態様となる以前の動作態様とは異なる動作態様とすることが含まれてもよい。
【００９４】
リーチ演出における演出動作としては、互いに動作態様（演出態様）が異なる複数種類の演出パターン（「リーチパターン」ともいう）が、予め用意されていればよい。そして、それぞれのリーチ演出における演出態様に応じて、「大当り」となる可能性（「信頼度」または「大当り信頼度」、「期待度」または「大当り期待度」ともいう）が異なる。すなわち、複数種類のリーチ演出のいずれが実行されるかに応じて、可変表示結果が「大当り」となる可能性を異ならせることができる。
【００９５】
この実施の形態では、一例として、ノーマル、スーパーＡ、スーパーＢというリーチ演出が予め設定される（図１５参照）。スーパーＡ〜Ｂは、所謂スーパーリーチのリーチ演出である。以下、スーパーＡのリーチ演出をスーパーリーチＡといい、スーパーＢのリーチ演出をスーパーリーチＢということがある。ノーマルのリーチ演出は、ノーマルリーチということがある。スーパーリーチＡやスーパーリーチＢは、ノーマルリーチの実行後（又は実行の途中）に開始される。つまり、スーパーリーチＡやスーパーリーチＢは、ノーマルリーチから発展する。
【００９６】
リーチ演出は、通常状態における第１特図ゲームに対応して実行される飾り図柄の可変表示の実行時に実行される（図５５等を参照）。一方、高確高ベース状態では、チャンス期間における演出が実行されるので、第１特図ゲームに対応して実行される飾り図柄の可変表示は、通常、画像表示装置５の領域５Ａの左隅で実行され、リーチ演出等は実行されない（但し、可変表示態様がリーチ態様になったり、チャンス期間終了の危機感を煽る特定演出が実行されたりすることがある）。
【００９７】
第１特図ゲームでの可変表示結果である第１特図表示結果が「大当り」となるときは、画像表示装置５の画面上において（領域５Ａ等において）、予め定められた大当り組合せとなる確定飾り図柄が導出表示される。一例として、「左」，「中」，「右」の飾り図柄表示エリア５Ｌ，５Ｃ，５Ｒにおける所定の有効ライン上に同一の飾り図柄が揃って停止表示されることで（例えば、「７」等が表示される。なお、状況に応じて異なる飾り図柄が揃って表示される。）、大当り組合せとなる確定飾り図柄が導出表示されればよい。
【００９８】
第１特図表示結果が「ハズレ」となる場合には、飾り図柄の可変表示態様がリーチ態様とならずに、所定の非リーチ組合せ（例えば、全て異なる飾り図柄からなる組合せ）を構成する飾り図柄が停止表示され、非特定表示結果となる確定飾り図柄が導出表示されることがある。また、第１特図表示結果が「ハズレ」となる場合には、飾り図柄の可変表示態様がリーチ態様となった後に、所定のリーチ組合せ（リーチ態様にはなったが、所定の有効ライン上に同一の飾り図柄が揃わなかった組合せ）を構成する飾り図柄が停止表示されることにより、非特定表示結果となる確定飾り図柄が導出表示されることもある。
【００９９】
画像表示装置５の表示領域の右下に設けられた領域５Ｂでは、第２特図ゲームに対応して、第２特図ゲームが実行中であることを示す画像が表示され（識別情報の可変表示（可変表示ゲーム）の一種として、「○」の画像と「×」の画像とが可変表示され）、最後に、第２特図ゲームにおける可変表示結果を報知する画像（表示結果としての「○」の画像と「×」の画像とのいずれかの画像）等が表示される。
【０１００】
第１特図ゲームで「大当り」が導出されたときの大当り遊技状態中は、大当り遊技状態であることを報知し、チャンス期間が到来すること又は到来しないこと等を報知する演出等が実行される（図５５、図６０等を参照）。第２特図ゲームにおいて「大当り」が導出されたときの大当り遊技状態中は、主にチャンス期間中の演出が実行されているので、大当り遊技状態であることが報知される特別な演出等は基本的に実行されず、領域５Ｂに大当り遊技状態中である旨の画像を表示する（図６１等）。一方の特図ゲームで「大当り」が導出表示されたとき（「大当り」が発生したとき）は、大当り遊技状態の期間中、他方の特図ゲームに関する処理が中断されるので、中断している旨が領域５Ａ（第１特図ゲームが中断される場合）又は領域５Ｂ（第２特図ゲームが中断される場合）に表示される（図６０、図６１等）。
【０１０１】
次に、本実施例におけるパチンコ遊技機１の主要な動作（作用）を説明する。以下では、フローチャート等を参照して動作を説明するが、各動作（各処理）では、実際には、フローチャートに現れていない処理等が適宜行なわれる場合がある。まず、主基板１１側の主要な動作について説明する。
【０１０２】
主基板１１では、所定の電源基板からの電力供給が開始されると、遊技制御用マイクロコンピュータ１００が起動し、ＣＰＵ１０３により遊技制御メイン処理となる所定の処理が実行される。遊技制御メイン処理を開始するとＣＰＵ１０３は、割込み禁止に設定した後、必要な初期設定を行なう。初期設定では、例えばＲＡＭ１０１がクリアされる。ＲＡＭ１０２のクリアは、例えば、電源投入時に、パチンコ遊技機１に設けられた図示しないクリアスイッチ等の初期化用操作手段が操作されたこと等により行なわれる。以後、所定時間（例えば、２ミリ秒）ごとにＣＴＣから割込み要求信号がＣＰＵ１０３へ送出され、ＣＰＵ１０３は定期的にタイマ割込み処理を実行する。初期設定が終了すると、割込みを許可した後、ループ処理に入る。
【０１０３】
このような遊技制御メイン処理を実行したＣＰＵ１０３は、ＣＴＣからの割込み要求信号を受信して割込み要求を受付けると、割込み禁止状態に設定して、所定の遊技制御用タイマ割込み処理を実行する。
【０１０４】
ＣＰＵ１０３は、遊技制御用タイマ割込処理において、例えば、スイッチ処理を行ない、メイン側エラー処理を行ない、情報出力処理を行ない、その後、遊技用乱数更新処理、特別図柄プロセス処理、普通図柄プロセス処理、コマンド制御処理という、パチンコ遊技機１における遊技の進行等を制御するための処理を行なう。遊技制御用タイマ割込処理の終了時には、割込み許可状態に設定される。これにより、遊技制御用タイマ割込み処理は、タイマ割り込みが発生するごと、つまり、割込み要求信号の供給間隔である所定時間（例えば、２ミリ秒）ごとに実行される。
【０１０５】
スイッチ処理は、スイッチ回路１１０を介してゲートスイッチ２１、第１始動口スイッチ２２Ａ、第２始動口スイッチ２２Ｂ、カウントスイッチ２３、確変検出スイッチという各種スイッチから検出信号が入力されたかを判定することにより、各スイッチがオン状態であるか否か（つまり、遊技球の進入又は通過があったか否か）をスイッチごとに判定する処理である。スイッチ処理では、例えば、オン状態と判定したスイッチに対応する賞球個数を示す賞球個数コマンドの送信設定も行なう。賞球個数コマンドはコマンド制御処理で払出制御基板に送信され、払出制御基板は、このコマンドを受信すると、球払出装置を制御して、このコマンドが示す賞球個数分だけ賞球を払出す処理を実行する。
【０１０６】
メイン側エラー処理は、パチンコ遊技機１の異常診断を行ない、その診断結果に応じて必要ならば警告を発生可能とする処理である。情報出力処理は、例えばパチンコ遊技機１の外部に設置されたホール管理用コンピュータに供給される大当り情報、始動情報、確率変動情報等のデータを出力する処理である。
【０１０７】
遊技用乱数更新処理は、主基板１１の側で用いられる複数種類の遊技用乱数のうち、少なくとも一部をソフトウェアにより更新する処理である。一例として、主基板１１の側で用いられる遊技用乱数には、特図表示結果決定用の乱数値ＭＲ１と、大当り種別決定用の乱数値ＭＲ２と、変動パターン決定用の乱数値ＭＲ３と、特図表示結果決定用の乱数値ＭＲ４と、大当り種別決定用の乱数値ＭＲ５と、変動パターン決定用の乱数値ＭＲ６とが含まれていればよい。乱数値ＭＲ１〜ＭＲ３は、第１特図ゲーム（第１特図の可変表示）用である。乱数値ＭＲ４〜ＭＲ６は、第２特図ゲーム（第２特図の可変表示）用である。
【０１０８】
特図表示結果決定用の乱数値ＭＲ１、ＭＲ４は、第１特図ゲーム又は第２特図ゲームにおける特別図柄等の可変表示結果を「大当り」として大当り遊技状態に制御するか否かの決定に用いられる乱数値であり、「１」〜「６５５３５」のいずれかの値を取得る。
【０１０９】
大当り種別決定用の乱数値ＭＲ２、ＭＲ５は、可変表示結果を「大当り」とする場合に、大当り種別を「５Ｒ通常」、「５Ｒ短期」のいずれかに決定するために用いられる乱数値であり、「１」〜「１００」のいずれかの値を取得る。変動パターン決定用の乱数値ＭＲ３、ＭＲ６は、第１特図又は第２特図や飾り図柄の可変表示における変動パターンを、予め用意された複数の変動パターンのいずれかに決定するために用いられる乱数値であり、「１」〜「２５１」のいずれかの値を取得る。
【０１１０】
特別図柄プロセス処理では、ＲＡＭ１０２に設けられた第１特図プロセスフラグの値をパチンコ遊技機１における遊技の進行状況に応じて更新し、第１特図ゲーム（第１特図の可変表示）の可変表示結果を「大当り」として大当り遊技状態に制御するか否か等の決定や変動パターンの決定、当該決定結果に基づく第１特別図柄表示装置４Ａにおける表示動作の制御（第１特図ゲームの実行）、大当り遊技状態におけるラウンド遊技の制御（大当り遊技状態の実行）等を、所定の手順で行なうために、各種の処理が選択されて実行される。特別図柄プロセス処理では、ＲＡＭ１０２に設けられた第２特図プロセスフラグの値をパチンコ遊技機１における遊技の進行状況に応じて更新し、第２特図ゲーム（第２特図の可変表示）の可変表示結果を「大当り」として大当り遊技状態に制御するか否か等の決定や変動パターンの決定、当該決定結果に基づく第２特別図柄表示装置４Ｂにおける表示動作の制御（第２特図ゲームの実行）、大当り遊技状態におけるラウンド遊技の制御（大当り遊技状態の実行）等を、所定の手順で行なうために、各種の処理が選択されて実行される。特別図柄プロセス処理の詳細は後述するが、タイマ割り込みの発生毎に特別図柄プロセス処理が実行されることにより、第１特図ゲーム及び第２特図ゲームにおける可変表示結果や変動パターンの決定、当該決定に基づく第１特図ゲーム及び第２特図ゲームの実行、大当り遊技状態等が実現される。
【０１１１】
普通図柄プロセス処理では、例えば、通過ゲート４１を遊技球が通過した場合（例えば、スイッチ処理でゲートスイッチ２１がオン状態になっていると判定された場合）に保留数が上限数に達していなければ普図ゲームの保留記憶（例えば、乱数値を抽出してＲＡＭ１０２に記憶させること）を行なったり、保留記憶（ＲＡＭ１０２に記憶した乱数値）を用いて普図ゲームの可変表示結果を決定したり、普図ゲームの変動パターン（変動時間等）を決定したり、変動パターンに従って普通図柄表示器２０における表示動作（例えばセグメントＬＥＤの点灯、消灯等）を制御して普通図柄の可変表示を実行して普図ゲームの可変表示結果を導出表示したり、可変表示結果が「普図当り」の場合に普通可変入賞球装置６Ｂ（第２始動入賞口）を開放状態にする処理を行なったりする。タイマ割込みの発生毎に普通図柄プロセス処理が実行されることにより、普図ゲームの実行や、「普図当り」のときの普通可変入賞球装置６Ｂ（第２始動入賞口）の所定期間の開放状態等が実現される。
【０１１２】
コマンド制御処理は、主基板１１から演出制御基板１２等のサブ側の制御基板に対して制御コマンドを伝送させる処理である。一例として、特別図柄プロセス処理や普通図柄プロセス処理、スイッチ処理等では、制御コマンド（演出制御コマンド等）の送信設定（例えば、送信する制御コマンドの記憶アドレス値をＲＡＭ１０２に格納する等）が行なわれ、コマンド制御処理では、送信設定された制御コマンドを、実際に演出制御基板１２等に対して送信する処理が行なわれる。この送信する処理では、演出制御ＩＮＴ信号等が用いられ、制御コマンドの送信が行なわれる。コマンド制御処理を実行した後には、割込み許可状態に設定してから、遊技制御用タイマ割込み処理を終了する。
【０１１３】
コマンド制御処理により主基板１１から演出制御基板１２に送信される主な演出制御コマンドについて図７を参照して説明する。「（Ｈ）」は１６進数であることを示す。
【０１１４】
８００１（Ｈ）は、第１特別図柄の可変表示（変動）を開始することを指定する第１変動開始指定コマンドである。８００２（Ｈ）は、第２特別図柄の可変表示（変動）を開始することを指定する第２変動開始指定コマンドである。これら変動開始指定コマンドは、変動パターン指定コマンド等とともに、変動パターンの設定時に送信設定される。
【０１１５】
８１ＸＸ（Ｈ）は、特別図柄の可変表示に対応して画像表示装置５の領域５Ａにおいて可変表示される飾り図柄等の変動パターン（図１５参照）や領域５Ｂにおいて表示される所定の画像の可変表示のパターン（変動パターン）（図２８参照）を指定する変動パターン指定コマンドである。なお、変動パターンは、第１特図ゲームや第２特図ゲームのパターン（特に、可変表示を開始してから、可変表示結果を導出するまでの期間である特図変動時間）を指定するものでもある。変動パターンそれぞれに対応する変動パターン指定コマンドが設定される。例えば、各変動パターンには、一意の番号（変動パターン番号）が振られ、その番号がコマンド中の「ＸＸ」に設定される（例えば、変動パターンＰＡ１−１なら「０１」等）。変動パターン指定コマンドは、飾り図柄の変動開始を指定するためのコマンドでもあり、変動パターンの設定時に送信設定される。変動パターン指定コマンドは、第１特図の変動パターンと第２特図の変動パターンとで別コマンドとしてもよい。
【０１１６】
８ＣＸＸ（Ｈ）は、可変表示結果を大当りとするか否かおよび大当り種別（つまり、可変表示結果）を指定する表示結果指定コマンドである。表示結果それぞれに対応する表示結果指定コマンドが設定される。例えば、各表示結果には、一意の番号が振られ、その番号がコマンド中の「ＸＸ」に設定される（例えば、「ハズレ」なら「００」、大当り種別が「５Ｒ通常」の「大当り」なら「０１」等）。表示結果指定コマンドは、変動パターン指定コマンド等とともに、変動パターンの設定時に送信設定される。なお、表示結果指定コマンドは、第１特図と第２特図とで別コマンドとしてもよい。
【０１１７】
８Ｆ０１（Ｈ）は、第１特図ゲーム（領域５Ａで実行される飾り図柄の可変表示等）を終了して可変表示結果（停止図柄）を導出表示することを指定する第１図柄確定指定コマンドである。８Ｆ０２（Ｈ）は、第２特図ゲーム（領域５Ｂにおける、第２特図ゲームが実行中であることを示す画像の表示等）を終了して可変表示結果（第２特図ゲームにおける可変表示結果を報知する画像）を導出表示することを指定する第２図柄確定指定コマンドである。これら図柄確定指定コマンドは、特図ゲーム終了時に送信設定される。
【０１１８】
９５ＸＸ（Ｈ）は、遊技状態を指定する遊技状態指定コマンドである。遊技状態それぞれに対応する遊技状態指定コマンドが設定される。遊技状態が通常状態（低確低ベース）であれば、「ＸＸ」は「００」に設定される。遊技状態が高確高ベース状態であれば、「ＸＸ」は、「０１」に設定される。遊技状態指定コマンドは、遊技状態が変化するとき等に送信設定される。
【０１１９】
Ａ００１（Ｈ）は、第１特図ゲームが「大当り」になったことに基づいて制御される大当り遊技状態の開始（ファンファーレの開始等）を指定する第１当り開始指定コマンドである。Ａ００２（Ｈ）は、第２特図ゲームが「大当り」になったことに基づいて制御される大当り遊技状態の開始（ファンファーレの開始等）を指定する第２当り開始指定コマンドである。
【０１２０】
Ａ３０１（Ｈ）は、第１特図ゲームが「大当り」になったことに基づいて制御される大当り遊技状態の終了（エンディングの開始等）を指定する第１当り終了指定コマンドである。Ａ３０２（Ｈ）は、第２特図ゲームが「大当り」になったことに基づいて制御される大当り遊技状態の終了（エンディングの開始等）を指定する第２当り終了指定コマンドである。エンディングとは、大当り遊技状態の終了時に実行される、大当り遊技状態が終了することを報知する演出である。これら当り終了指定コマンドは、最後のラウンド遊技が終了したときに送信設定される。
【０１２１】
コマンドＢ１００（Ｈ）は、第１始動入賞口に遊技媒体が進入したことによる第１始動入賞が発生したことを指定する第１始動口入賞指定コマンドである。コマンドＢ２００（Ｈ）は、第２始動入賞口に遊技媒体が進入したことによる第２始動入賞が発生したことを指定する第２始動口入賞指定コマンドである。第１始動口入賞指定コマンドと第２始動口入賞指定コマンドとを始動口入賞指定コマンドと総称することがある。これらコマンドは、後述の始動入賞判定処理で送信設定される。
【０１２２】
Ｃ１ＸＸ（Ｈ）は、第１特図保留記憶数を指定する第１特図保留記憶数指定コマンドである。「ＸＸ」が、第１特図保留記憶数を示す。Ｃ２ＸＸ（Ｈ）は、第２特図保留記憶数を指定する第２特図保留記憶数指定コマンドである。「ＸＸ」が、第２特図保留記憶数を示す。第１特図保留記憶数指定コマンドと第２特図保留記憶数指定コマンドとを総称して、特図保留記憶数指定コマンドという場合がある。特図保留記憶数指定コマンドは、第１特図保留記憶数又は第２特図保留記憶数が変化し得るタイミングで送信設定される。
【０１２３】
Ｃ４ＸＸ（Ｈ）は、始動入賞時の判定結果のうち表示結果の判定結果を指定する図柄判定結果指定コマンドである。Ｃ６ＸＸ（Ｈ）は、始動入賞時の判定結果のうち変動パターンの判定結果を指定する変動パターン指定コマンドである。第１始動入賞が発生したときに、上記乱数値ＭＲ１〜３が抽出される。当該抽出された乱数値ＭＲ１〜３に対応する可変表示について、当該可変表示（第１特図ゲーム）の開始条件の成立前に、この抽出された乱数値ＭＲ１〜３に基づいて、当該可変表示の可変表示結果が「大当り」になるか否か、大当り種別、及び、当該可変表示の変動パターンが判定される（詳しくは後述するが、当該判定は、遊技状態が高確高ベース状態であるとの仮定のもとで判定される）。始動入賞時の判定とは、この判定のことをいい、当該判定は、Ｓ１００６の入賞時乱数値判定処理で行なわれる。表示結果の判定結果には、一意の番号が振られ、その番号が図柄指定コマンド中の「ＸＸ」に設定される（例えば、「ハズレ」なら「００」、「５Ｒ短期」の「大当り」なら「０１」、「５Ｒ通常」の「大当り」なら「０２」等）。変動パターンの判定結果には、変動パターン毎に一意の番号が振られ、その番号が変動パターン指定コマンド中の「ＸＸ」に設定される。これらコマンドは、後述の始動入賞判定処理（Ｓ１００６）で送信設定される。
【０１２４】
Ｃ７０１（Ｈ）は、第２特図ゲームの表示結果が「大当り」になったことに基づく大当り遊技状態が開始されることにより、第１特図ゲームに関する処理（後述の第１特別図柄プロセス処理のうちの一部の処理であり、第１特図ゲームの実行等）が中断されることを指定する第１中断指定コマンドである。コマンドＣ７０２（Ｈ）は、第１特図ゲームの表示結果が「大当り」になったことに基づく大当り遊技状態が開始されることにより、第２特図ゲームに関する処理（後述の第２特別図柄プロセス処理のうちの一部の処理であり、第２特図ゲームの実行等）が中断されることを指定する第２中断指定コマンドである。Ｃ８０１（Ｈ）は、大当り遊技状態が終了することにより、中断中であった第１特図ゲームに関する処理が再開されることを指定する第１再開指定コマンドである。Ｃ８０２（Ｈ）は、大当り遊技状態の終了により、中断中であった第２特図ゲームに関する処理が再開されることを指定する第２再開指定コマンドである。これら中断指定コマンド又は再開指定コマンドは、前記処理の中断時又は再開時に送信設定される。
【０１２５】
図６は、特別図柄プロセス処理の一例を示すフローチャートである。この特別図柄プロセス処理において、ＣＰＵ１０３は、以下の処理をする。まず、第１特別図柄プロセス処理（第１特図についてのプロセス処理）を実行し（ステップＳ（以下、単にＳと呼ぶ）９２１）、その後、第２特別図柄プロセス処理（第２特図についてのプロセス処理）を実行する（Ｓ９２２）。その後、デモ表示を行なうかを判定する（Ｓ９２３）。例えば、第１特図保留記憶数が「０」であり（第１特図保留記憶数カウント値により特定できる）、第２特図保留記憶数が「０」であり（第２特図保留記憶数カウント値により特定できる）、高確高ベースフラグ等が全てオフ状態であり、第１特図及び第２特図が変動中でなく（例えば、後述の第１特図プロセスフラグ及び第２特図プロセスフラグの値が「０」でない場合等）、かつ、大当り遊技状態に制御されていない（例えば、後述の、第１大当りフラグ、第２大当りフラグ等が全てオフ状態になっている等）等し、所定のデモ表示の条件が成立している場合には、デモ表示を行なうと判定する（Ｓ９２３；Ｙｅｓ）。
【０１２６】
デモ表示を行なう場合（Ｓ９２３；Ｙｅｓ）、所定のデモ表示設定を行なってから（Ｓ９２４）、特別図柄通常処理を終了する。デモ表示設定では、例えば画像表示装置５において所定の演出画像を表示すること等によるデモンストレーション表示（デモ画面表示）を指定する演出制御コマンド（客待ちデモ指定コマンド）が、主基板１１から演出制御基板１２に対して送信済みであるか否かを判定する。送信済みであれば、そのままデモ表示設定を終了する。未送信であれば、客待ちデモ指定コマンドを送信するための設定を行なってから、デモ表示設定を終了する。演出制御基板１２では、客待ちデモ指定コマンドが送信されると、デモ画面表示を行なう。デモ表示を行なわない場合（Ｓ９２３；Ｎｏ）、特別図柄プロセス処理は終了する。
【０１２７】
図７は、第１特別図柄プロセス処理の一例を示すフローチャートである。この第１特別図柄プロセス処理において、ＣＰＵ１０３は、次のような処理を行なう。まず、第１始動入賞判定処理を実行する（Ｓ１０１）。図８は、Ｓ１０１で実行される第１始動入賞判定処理の一例を示すフローチャートである。
【０１２８】
第１始動入賞判定処理を開始すると、まず、スイッチ処理の判定結果等に基づいて、第１始動口スイッチ２２Ａがオン状態であるか否かを判定する（Ｓ１００１）。このとき、第１始動口スイッチ２２Ａがオン状態（スイッチ処理で、第１始動口スイッチ２２Ａがオン状態と判定されているとき）であれば（Ｓ１００１；Ｙｅｓ）、遊技球の進入（つまり、第１始動入賞口への入賞）が検出されたので、第１特図ゲームの保留記憶数である第１特図保留記憶数が、所定の上限値（例えば「４」）となっているか否かを判定する（Ｓ１００２）。このとき、ＲＡＭ１０２の所定領域に設けられた第１特図保留記憶数カウンタ（第１特図保留記憶数をカウントするためのカウンタ）の格納値である第１特図保留記憶数カウント値を読み取ることにより、第１特図保留記憶数を特定できればよい。第１特図保留記憶数が上限値ではないときは（Ｓ１００２；Ｎｏ）、第１特図保留記憶数カウント値を１加算するように更新する（Ｓ１００３）。第１特図保留記憶数カウント値は、第１始動入賞口に遊技球が進入して第１特図ゲームの第１始動条件が成立したとき、１増加（インクリメント）するように更新される。
【０１２９】
Ｓ１００３の後、第１始動入賞口での第１始動入賞の発生時に対応した第１始動入賞時遊技用乱数を抽出する（Ｓ１００４）。Ｓ１００４の処理では、乱数回路１０４やＲＡＭ１０２の所定領域に設けられたランダムカウンタ等により更新される数値データのうち、第１特図ゲーム用の乱数値とし、特図表示結果決定用の乱数値ＭＲ１、大当り種別決定用の乱数値ＭＲ２、変動パターン決定用の乱数値ＭＲ３を示す数値データが抽出される。抽出された各乱数値を示す数値データが保留データとして、ＲＡＭ１０２の所定領域に設けられた第１特図保留記憶部における空きエントリの先頭にセットされることで記憶される（Ｓ１００５）。例えば、保留データが図９に示す第１特図保留記憶部にセットされる。
【０１３０】
図９に示す第１特図保留記憶部は、普通入賞球装置６Ａが形成する第１始動入賞口を遊技球が進入して第１始動入賞が発生したが、未だ開始されてない第１特図ゲームの保留データを記憶する。第１特図保留記憶部は、第１始動入賞口への入賞順（遊技球の検出順）に保留番号と関連付け、遊技球の進入による第１始動条件の成立に基づきＣＰＵ１０３が乱数回路１０４等から抽出した乱数値ＭＲ１や乱数値ＭＲ２、乱数値ＭＲ３を示す数値データ等を保留データとし、記憶数が所定の上限値（例えば「４」）に達するまで記憶する。第１特図保留記憶部に記憶された保留データは、第１特図ゲームの実行（第１特図の可変表示）が保留されていることを示し、第１特図ゲームの可変表示結果（第１特図表示結果）に基づき大当り遊技状態に制御すると決定されるか否か、飾り図柄の可変表示態様が特定態様（例えばリーチ態様等）となるか否か等を判定可能にする保留記憶情報となる。
【０１３１】
Ｓ１００５の処理に続いて入賞時乱数値判定処理（Ｓ１００６）が実行される。図１０は、Ｓ１００６で実行される入賞時乱数値判定処理の一例を示すフローチャートである。
【０１３２】
入賞時乱数値判定処理を開始すると、Ｓ１００４で抽出した乱数値ＭＲ１が大当りの判定範囲内であるかを判定する（Ｓ４０２）。大当りの判定範囲は、後述の第１特図表示結果決定テーブル（図１２参照）における、確変状態のときに「大当り」の決定結果に割当てられた決定値の範囲であればよい。この決定値の範囲内に乱数値ＭＲ１が入るか否かを判定する。今回の判定対象の可変表示（今回の第１始動入賞口への入賞により実行される第１特図ゲーム）が高確高ベース状態中に実行された場合の可変表示結果を判定結果として知りたいので（変動パターン等の判定結果についても同様。）、前記判定範囲としては、確変状態のときに「大当り」の決定結果に割当てられた決定値の範囲が設定される。
【０１３３】
Ｓ４０２の後、乱数値ＭＲ１が大当りの判定範囲内（前記決定値の範囲内）であるか否かを判定し（Ｓ４０３）、判定範囲内でない場合には（Ｓ４０３；Ｎｏ）、今回の判定対象の可変表示の可変表示結果（確変状態時での表示結果）の判定結果が「ハズレ」であるので、表示結果が「ハズレ」の判定結果を指定する図柄判定結果指定コマンドの送信設定を行なう（Ｓ４０５）。その後、今回の判定対象の可変表示の変動パターンを判定する（Ｓ４０６）。Ｓ４０６では、Ｓ１００４で抽出した乱数値ＭＲ３に基づいて、図１７（Ｂ）の第１特図ハズレ時変動パターン決定テーブル（詳しくは後述。）を参照し、当該乱数値ＭＲ３に合致する決定値に割当てられた変動パターンを今回の判定結果とする。
【０１３４】
Ｓ４０３で判定範囲内であると判定した場合（Ｓ４０３；Ｙｅｓ）、今回の判定対象の可変表示の可変表示結果（確変状態時での表示結果）の判定結果が「大当り」であるので、大当り種別を判定する（Ｓ４０９）。Ｓ４０９では、Ｓ１００４で抽出した乱数値ＭＲ２に基づいて、図１３の第１大当り種別決定テーブル（詳しくは後述。）を参照し、当該乱数値ＭＲ２に合致する決定値に割当てられた大当り種別（「５Ｒ通常」又は「５Ｒ短期」）を今回の判定結果とする。その後、Ｓ４０９の判定結果（「５Ｒ短期」の「大当り」又は「５Ｒ通常」の「大当り」のいずれかの表示結果）を指定する図柄判定結果指定コマンドの送信設定を行なう（Ｓ４１０）。その後、今回の判定対象の可変表示の変動パターンを判定する（Ｓ４１１）。Ｓ４１１では、Ｓ１００４で抽出した乱数値ＭＲ３に基づいて、図１６（Ｂ）の第１特図大当り時変動パターン決定テーブル（後述）を参照し、当該乱数値ＭＲ３に合致する決定値に割当てられた変動パターンを今回の判定結果とする。
【０１３５】
Ｓ４０６、Ｓ４１１の後、変動パターンの判定結果（Ｓ４０６、Ｓ４１１での判定結果）を指定する（つまり、今回判定された変動パターンを指定する）変動パターン判定結果指定コマンドの送信設定を行ない（Ｓ４１３）、第１特図保留記憶数指定コマンド（Ｓ１００３で１加算した第１特図保留記憶数カウント値を指定するコマンド）と、第１始動口入賞指定コマンドと、の送信設定を行なう（Ｓ４１４）。
【０１３６】
Ｓ４０５又はＳ４１０、Ｓ４１３、Ｓ４１４の処理が行なわれ、その後にコマンド制御処理が行なわれることにより、始動入賞時のコマンド（図柄判定結果指定コマンド、変動パターン判定結果指定コマンド、第１特図保留記憶数指定コマンド、第１始動口入賞指定コマンド）が一セットとして送信される。
【０１３７】
図８に戻り、第１始動口スイッチ２２Ａがオフ状態である場合（Ｓ１００１；Ｎｏ）、第１特図保留記憶数が上限値である場合（Ｓ１００２；Ｙｅｓ）、又は、Ｓ１００６の後、第１始動入賞判定処理は終了する。
【０１３８】
図７に戻り、ステップ１０１の後、ＲＡＭ１０２の所定領域に設けられた第２特図プロセスフラグ（第２特別図柄プロセス処理で使用されるフラグ）の値が「４」〜「７」であるかを判定する（Ｓ１０２）。第２特図プロセスフラグの値が「４」〜「７」となっている期間は、第２特図ゲームで「大当り」が導出されたことに基づいてパチンコ遊技機１が大当り遊技状態に制御される期間（以下、第２大当り期間ともいう。）である。
【０１３９】
第２特図プロセスフラグの値が「４」〜「７」である場合（Ｓ１０２；Ｙｅｓ）、つまり、現在が、第２大当り期間である場合、この期間が開始されてから第１中断指定コマンドが未送信であるか否かを判定する（Ｓ１０５）。
【０１４０】
第２特図ゲームで「大当り」が導出表示されてパチンコ遊技機１が大当り遊技状態に移行する場合、第１特別図柄プロセス処理のうちの一部の処理は一旦中断され、大当り遊技状態の終了時（第２大当り期間の終了時）に再開される。特に、第１特図ゲームの実行中に、第２特図ゲームにおいて「大当り」が導出表示されてパチンコ遊技機１が大当り遊技状態に移行する場合には、当該第１特図ゲームの実行が中断され、当該大当り遊技状態の終了後に当該第１特図ゲームは再開する。第１中断指定コマンドは、この中断を演出制御基板１２に指定する。第１中断指定コマンドが未送信であるか否かの判定は、ＲＡＭ１０２の所定領域に第１中断指定コマンド送信フラグ（第１中断指定コマンドが送信されたときにオン状態となり、処理再開時にオフ状態となるフラグ）を設けておき、このフラグがオン状態となっているか否かの判定により行なわれる。
【０１４１】
第１中断指定コマンド送信フラグがオフ状態である等して、第１中断指定コマンドが未送信である場合（Ｓ１０５；Ｙｅｓ）、第１中断指定コマンドを送信する必要があるので、第１中断指定コマンド送信フラグをオン状態とするとともに第１中断指定コマンドの送信設定を行なって（Ｓ１０６）、第１特別図柄プロセス処理を終了する。送信設定されたコマンドは、例えば特別図柄プロセス処理が終了した後、コマンド制御処理が実行されること等により、主基板１１から演出制御基板１２に対して伝送される。第１中断指定コマンド送信フラグがオン状態である等して、第１中断指定コマンドが１回の中断ですでに送信されている場合（Ｓ１０５；Ｎｏ）、そのまま第１特別図柄プロセス処理を終了する。
【０１４２】
第２特図プロセスフラグの値が「４」〜「７」でない場合（Ｓ１０２；Ｎｏ）、つまり、現在が、第２大当り期間中でない場合、第１中断指定コマンドが送信されているか否か（第１中断指定コマンド送信フラグがオン状態であるか否か）を判定する（Ｓ１０３）。第１中断指定コマンド送信フラグがオン状態等であり、第１中断指定コマンドが送信されている場合（Ｓ１０３；Ｙｅｓ）、第１特別図柄プロセス処理のうちの一部の処理の中断が実行されていたので、第１特別図柄プロセス処理のうちの一部の処理の再開（第１特図ゲームの実行再開等）を指定する第１再開指定コマンドの送信処理を行なう（Ｓ１０４）。Ｓ１０４では、第１中断指定コマンド送信フラグをオフ状態にリセットすることも行なわれる。送信設定されたコマンドは、例えば特別図柄プロセス処理が終了した後、コマンド制御処理が実行されること等により、主基板１１から演出制御基板１２に対して伝送される。Ｓ１０４の処理の後、又は、第１中断指定コマンド送信フラグがオフ状態で第１中断指定コマンドが送信されていないと判定した場合（Ｓ１０３；Ｎｏ、つまり、前記の中断が直前になかった場合）、Ｓ１１０〜Ｓ１１７のいずれかの処理が実行される。
【０１４３】
上記Ｓ１０２〜Ｓ１０６の処理により、第２特図ゲームにおける可変表示結果が「大当り」となって、パチンコ遊技機１が大当り遊技状態に制御されている期間（第２大当り期間）には、第１特別図柄プロセス処理の一部の処理が中断され、当該期間の終了後には中断された処理が再開される。第１特図ゲームの実行中に、第２特図ゲームにおいて「大当り」が導出表示されてパチンコ遊技機１が大当り遊技状態に移行する場合には、当該第１特図ゲームの実行（タイマ割り込み毎に実行されるＳ１１２等）が中断され、当該大当り遊技状態の終了後に第１特図ゲーム（タイマ割り込み毎に実行されるＳ１１２等）は再開する。中断時及び再開時には、それを通知する制御コマンド（第１中断指定コマンド及び第１再開指定コマンド）が送信され、演出制御基板１２に中断又は再開が通知される。
【０１４４】
なお、Ｓ１０６では、第１特図プロセスフラグの値が「２」であるとき（第１特図ゲームの実行中の期間内）等に、第１特別図柄表示装置４Ａにおける第１特図の表示を更新させる制御信号（詳しくは後述）の送信を中断することも行ない、これ以降、第１特図ゲームが再開されるまで、第１特別図柄表示装置４Ａに何も表示しないようにして、第１特図ゲームの実行が中断されたことを報知してもよい。またＳ１０５でＮｏと判定したときに、第１特図プロセスフラグの値が「２」であるとき（第１特図ゲームの実行中の期間内）等に、所定の制御信号を送信する設定を行ない、第１特別図柄表示装置４Ａに第１特図のハズレ図柄等（又は中断用の所定の図柄等でもよい。）を所定期間表示させることにより、第１特図ゲームの実行が中断されたことを報知してもよい。または、第１特図の表示を更新させる制御信号の送信は中断せずに、内部的には、第１特図ゲームの実行を中断させるが（例えば、後述の第１特図ゲームの経過時間の計測等を中断させるが）、第１特別図柄表示装置４Ａの見た目上、第１特図ゲームが中断されたことを報知しなくてもよい。
【０１４５】
ＲＡＭ１０２の所定領域に設けられた第１特図プロセスフラグの値（初期値は「０」）に応じて、Ｓ１１０〜Ｓ１１７の処理のいずれかを選択して実行する。
【０１４６】
Ｓ１１０の第１特別図柄通常処理は、第１特図プロセスフラグの値が「０」のときに実行される。図１１は、第１特別図柄通常処理として、図７のＳ１１０で実行される処理の一例を示すフローチャートである。図１１に示す第１特別図柄通常処理において、ＣＰＵ１０３は以下のような処理を行なう。まず、第１特図保留記憶数が「０」であるか否かを判定する（Ｓ１１０１）。第１特図保留記憶数カウント値を読出し、その読出値が「０」であるか否かを判定すればよい。
【０１４７】
Ｓ１１０１で第１特図保留記憶数が「０」以外であるときには（Ｓ１１０１；Ｎｏ）、例えば第１特図保留記憶部の先頭領域（例えば保留番号「１」に対応する記憶領域）という、ＲＡＭ１０２の所定領域に記憶されている保留データとして、所定の乱数値を示す数値データ（乱数値ＭＲ１〜ＭＲ３）を読出す（Ｓ１１０２）。これにより、図８に示すＳ１００４の処理で第１始動入賞口における始動入賞（第１始動入賞）の発生に対応して抽出された遊技用乱数（第１始動入賞時遊技用乱数）が読出される。このとき読出された数値データは、例えばＲＡＭ１０２の所定領域に設けられた第１変動用乱数バッファ等に格納され、一時記憶されればよい。
【０１４８】
Ｓ１１０２の処理に続いて、例えば第１特図保留記憶数カウント値を１減算して更新すること等により、第１特図保留記憶数を１減算させるように更新するとともに、第１特図保留記憶部における記憶内容をシフトさせる（Ｓ１１０３）。例えば、第１特図保留記憶部で保留番号「１」より下位の記憶領域（保留番号「２」〜「４」に対応する記憶領域）に記憶された保留データを、１エントリずつ上位にシフトする。
【０１４９】
Ｓ１１０３の処理のいずれかを実行した後には、第１特別図柄の可変表示結果（第１特図ゲームにおける可変表示結果）である第１特図表示結果を、「大当り」と「ハズレ」とのいずれかに決定する（Ｓ１１０４）。一例として、Ｓ１１０４の処理では、予めＲＯＭ１０１の所定領域に記憶する等して用意された第１特図表示結果決定テーブルを選択し、第１特図表示結果を決定するための使用テーブルに設定する。第１特図表示結果決定テーブルでは、例えば、図１２に示すように、特図表示結果決定用の乱数値ＭＲ１と比較される数値（決定値）が、第１特図表示結果を「大当り」と「ハズレ」とのいずれとするかの決定結果に、遊技状態が確変状態であるか否かに応じて割当てられていればよい。
【０１５０】
乱数値ＭＲ１を示す数値データを第１変動用乱数バッファから読出し、遊技状態が確変状態であるか否かと、乱数値ＭＲ１を示す数値データとに基づいて、使用テーブルに設定された第１特図表示結果決定テーブルを参照することにより、遊技状態が確変状態であるか否かに応じて乱数値ＭＲ１に該当する決定値に割当てられた「大当り」と「ハズレ」とのいずれかの決定結果を第１特図表示結果として決定すればよい。また、ＲＡＭ１０２の所定領域に設けられた高確高ベースフラグ（高確高ベース状態のときにオン状態になるフラグ）がオン状態である場合に、確変状態であると判定すればよい。例えば、乱数値ＭＲ１が「９０００」であるとき、高確高ベースフラグがオン状態である場合には、第１特図表示結果を「大当り」にすると決定し、高確高ベースフラグがオフ状態である場合には、第１特図表示結果を「ハズレ」にすると決定する。
【０１５１】
図１２に示すように、確変状態（高確高ベース状態）のときには、非確変状態のときよりも高い割合で、第１特図表示結果が「大当り」に決定される。したがって、大当り遊技状態終了時において高確高ベースフラグがオン状態にセットされたこと等に基づいて、現在が確変状態（高確高ベース）であるときには、非確変状態のときよりも、第１特図表示結果が「大当り」になりやすく、大当り遊技状態になりやすい。その後、Ｓ１１０４の処理で決定された第１特図表示結果が「大当り」であるか否かを判定する（Ｓ１１０５）。第１特図表示結果が「大当り」に決定された場合は（Ｓ１１０５；Ｙｅｓ）、ＲＡＭ１０２の所定領域に設けられた第１大当りフラグをオン状態にセットする（Ｓ１１０６）。
【０１５２】
また、第１特図ゲームの表示結果が「大当り」のときの大当り種別（第１大当り種別）を複数種類のいずれかに決定する（Ｓ１１０７）。一例として、Ｓ１１０７の処理では、予めＲＯＭ１０１の所定領域に記憶する等して用意された第１大当り種別決定テーブルを選択し、第１大当り種別を決定するための使用テーブルに設定する。第１大当り種別決定テーブルでは、大当り種別決定用の乱数値ＭＲ２と比較される数値（決定値）が、大当り種別の決定結果として「５Ｒ通常」又は「５Ｒ短期」に割当てられていればよい（図１３参照）。Ｓ１１０２で第１変動用乱数バッファに一時格納した遊技用乱数に含まれる乱数値ＭＲ２を示す数値データを第１変動用乱数バッファから読出し、読出した乱数値ＭＲ２を示す数値データに基づいて、使用テーブルに設定された第１大当り種別決定テーブルを参照することにより、乱数値ＭＲ２に該当する決定値に割当てられた「５Ｒ通常」又は「５Ｒ短期」を大当り種別として決定すればよい。
【０１５３】
第１特図ゲームでの「大当り」の大当り種別としては、「５Ｒ通常」及び「５Ｒ短期」がある。図１３に示すように、大当り種別として「５Ｒ通常」の方が選択される割合が高くなっている。
【０１５４】
Ｓ１１０７の処理の実行後は、大当り種別を記憶させる（Ｓ１１０８）。ＲＡＭ１０２の所定領域に設けられた第１大当り種別バッファに、大当り種別の決定結果を示す大当り種別バッファ設定値（図１３参照）を格納することで、大当り種別を記憶させればよい。
【０１５５】
第１特図表示結果が「大当り」ではない場合（Ｓ１１０５；Ｎｏ）、Ｓ１１０８を実行した後には、第１特図ゲームで最終的に導出表示される第１確定特別図柄を決定する（Ｓ１１１１）。第１大当りフラグがオフ状態のときには、ハズレ図柄として予め定められた特別図柄「−」を第１確定特別図柄に決定する。一方、第１大当りフラグがオン状態のときには、Ｓ１１０７における大当り種別の決定結果に応じて（大当り種別バッファ設定値に応じて）、複数種類の大当り図柄として予め定められた特別図柄のいずれか（大当り種別が「５Ｒ通常」であれば「７」、「５Ｒ短期」であれば「６」）を第１確定特別図柄に決定すればよい。
【０１５６】
Ｓ１１１１の処理を実行した後には、第１特図プロセスフラグの値を「１」に更新してから（Ｓ１１１２）、第１特別図柄通常処理を終了する。Ｓ１１１１で特図プロセスフラグの値が「１」に更新されることにより、次回のタイマ割込みが発生したときには、図１２に示すＳ１１１の変動パターン設定処理が実行される。第１特図ゲームの保留記憶数が「０」である場合には（Ｓ１１０１；Ｙｅｓ）、第１特別図柄通常処理を終了する。
【０１５７】
図７のＳ１１１の第１変動パターン設定処理（変動パターンを設定する処理）は、第１特図プロセスフラグの値が「１」のときに実行される。図１４は、第１変動パターン設定処理として、図７のＳ１１１で実行される処理の一例を示すフローチャートである。
【０１５８】
なお、変動パターンは、第１特図の可変表示に対応する飾り図柄の可変表示の内容（可変表示態様）や第１特図ゲームの内容（ここでは、可変表示の特図変動時間（可変表示の開始から表示結果の導出表示までの期間））等を指定するものであればよい。
【０１５９】
ここで、図１５に、この実施の形態で使用される第１特図用の変動パターンを示す。図１５のように、第１特図表示結果が「ハズレ」となる場合のうち、飾り図柄の可変表示態様がリーチ態様にはならない「非リーチ」である場合とリーチ態様になる「リーチ」である場合のそれぞれに対応して、また、第１特図表示結果が「大当り」となる場合等に対応して、変動パターンが予め用意される。
【０１６０】
遊技状態が通常状態のときに使用され、かつ、飾り図柄の可変表示結果が「ハズレ」で「非リーチ」を指定する変動パターンとして、変動パターンＰＡ１−１が用意される。遊技状態が通常状態のときに使用され、かつ、可変表示結果が「ハズレ」で「リーチ成立」を指定する変動パターンとして、リーチ成立後にノーマルリーチの実行を指定する変動パターンＰＡ２−１、リーチ成立後にノーマルリーチからスーパーリーチＡに発展させることを指定する変動パターンＰＡ２−２、リーチ成立後にノーマルリーチからスーパーリーチＢに発展させることを指定する変動パターンＰＡ２−３が用意される。
【０１６１】
遊技状態が通常状態のときに使用され、かつ、可変表示結果が「大当り」のときの変動パターンとして、リーチ成立後にノーマルリーチの実行を指定する変動パターンＰＡ３−１、リーチ成立後にノーマルリーチからスーパーリーチＡに発展させることを指定する変動パターンＰＡ３−２、リーチ成立後にノーマルリーチからスーパーリーチＢに発展させることを指定する変動パターンＰＡ３−３が用意される。
【０１６２】
また、遊技状態が高確高ベース状態のときに使用され（チャンス期間用）、かつ、可変表示結果が「ハズレ」で「リーチ成立」のときの変動パターンとして、リーチ成立を指定する変動パターンＰＡ４−１〜ＰＡ４−３（リーチ演出は特に実行されない）が用意される。また、遊技状態が高確高ベース状態のときに使用され（チャンス期間用）、かつ、可変表示結果が「大当り」のときの変動パターンとして、リーチ成立を指定する変動パターンＰＡ５−１〜ＰＡ５−３（リーチ演出は特に実行されない）が用意される。
【０１６３】
上記各変動パターンは、図１６に示すような第１特図変動時間（第１特図の可変表示の開始から表示結果の導出表示までの期間）を指定するが、チャンス期間用の変動パターンの第１特図変動時間は、通常状態のときに使用される変動パターンの第１特図変動時間よりも長くなっている。
【０１６４】
図１４に示す第１変動パターン設定処理において、ＣＰＵ１０３は、以下のような処理を行なう。第１大当りフラグがオン状態であるか否かを判定する（Ｓ１２０１）。
【０１６５】
そして、第１大当りフラグがオン状態である場合には（Ｓ１２０１；Ｙｅｓ）、高確高ベースフラグの状態に応じた第１特図大当り時変動パターン決定テーブルを使用テーブルに設定する（Ｓ１２０２）。その後、使用テーブルに設定した第１特図大当り時変動パターン決定テーブルを参照して、変動パターン（第１特図大当り時変動パターン）を決定する（Ｓ１２０３）。
【０１６６】
高確高ベースフラグがオフ状態となっている場合（つまり、通常状態のとき）には、Ｓ１２０２において、図１６（Ａ）に示す第１特図大当り時変動パターン決定テーブルを使用テーブルに設定する。高確高ベースフラグがオン状態となっている場合（つまり、高確高ベース状態のとき）には、Ｓ１２０２において、図１６（Ｂ）に示す第１特図大当り時変動パターン決定テーブルを使用テーブルに設定する。各テーブルは、予めＲＯＭ１０１の所定領域に記憶する等して用意される。
【０１６７】
第１特図大当り時変動パターン決定テーブルでは、変動パターン決定用の乱数値ＭＲ３と比較される数値（決定値）が、変動パターンの決定結果に、割当てられていればよい。第１変動用乱数バッファから読出した乱数値ＭＲ３を示す数値データに基づいて、使用テーブルとして設定された第１特図大当り時変動パターン決定テーブルを参照することにより、乱数値ＭＲ３に該当する決定値に割当てられた変動パターンを今回使用される変動パターンとして決定（選択）すればよい。
【０１６８】
第１大当りフラグがオフ状態である場合には（Ｓ１２０１；Ｎｏ）、高確高ベースフラグの状態に応じた第１特図ハズレ時変動パターン決定テーブルを使用テーブルに設定する（Ｓ１２０７）。使用テーブルに設定した第１特図ハズレ時変動パターン決定テーブルを参照して、変動パターン（第１特図ハズレ時変動パターン）を決定する（Ｓ１２０８）。
【０１６９】
高確高ベースフラグがオフ状態となっている場合（つまり、通常状態のとき）には、Ｓ１２０７において、図１７（Ａ）に示す第１特図ハズレ時変動パターン決定テーブルを使用テーブルに設定する。高確高ベースフラグがオン状態となっている場合（つまり、高確高ベース状態のとき）には、Ｓ１２０２において、図１７（Ｂ）に示す第１特図ハズレ時変動パターン決定テーブルを使用テーブルに設定する。各テーブルは、予めＲＯＭ１０１の所定領域に記憶する等して用意される。
【０１７０】
第１特図ハズレ時変動パターン決定テーブルでは、変動パターン決定用の乱数値ＭＲ３と比較される数値（決定値）が、変動パターンの決定結果に、割当てられていればよい。第１変動用乱数バッファから読出した乱数値ＭＲ３を示す数値データに基づいて、使用テーブルとして設定された第１特図ハズレ時変動パターン決定テーブルを参照することにより、乱数値ＭＲ３に該当する決定値に割当てられた変動パターンを今回使用される変動パターンとして決定（選択）すればよい。
【０１７１】
図１６及び図１７の決定割合から分かるように、通常状態時においては、スーパーリーチＢが実行されるときの大当り期待度（可変表示結果が「大当り」となる可能性）が最も高く、スーパーリーチＡが実行されるときの大当り期待度が次に高く、スーパーリーチが実行されないノーマルリーチときの大当り期待度が次に高い。なお、高確高ベース状態時においての各変動パターンの決定割合は、任意に変更可能である。各変動パターンにおいて、大当り期待度が異なるようにテーブルの内容を設定してもよい。
【０１７２】
大当り期待度は、例えば、（大当り時にその演出が実行される確率）×（大当りになる確率）／｛（大当り時にその演出が実行される確率）×（大当りになる確率）＋（大当り時以外にその演出が実行される確率）×（大当りにならない確率）｝により算出される（大当り期待度が「１」になる場合は、可変表示結果は必ず「大当り」になる。以下、大当り期待度について同じ。）。
【０１７３】
図１６及び図１７のように、通常状態であれば、通常状態用の変動パターンＰＡ１−１、ＰＡ２−１〜ＰＡ２−３、ＰＡ３−１〜ＰＡ３−３のいずれかが選択され、高確高ベース状態であれば、高確高ベース状態用の変動パターンＰＡ４−１〜ＰＡ４−３、ＰＡ５−１〜ＰＡ５−３のいずれかが選択される。
【０１７４】
図１４に戻り、Ｓ１２０３、Ｓ１２０８の処理のいずれかを実行した後には、第１特図変動時間を設定する（Ｓ１２０９）。第１特図変動時間は、上記でも説明しているように、第１特図ゲームにおいて第１特別図柄の変動を開始してから可変表示結果（第１特図表示結果）となる第１確定特別図柄が導出表示されるまでの所要時間である。第１特図変動時間は、予め用意された複数の変動パターンそれぞれにより指定される（ここでは、第１特図変動時間が各変動パターンに対応して用意されることで、各変動パターンは第１特図変動時間を指定している。）。Ｓ１２０３、Ｓ１２０８の処理で選択した変動パターンにより指定される第１特図変動時間を設定することにより、第１特別図柄や飾り図柄の可変表示結果が導出されるタイミングを設定できる。第１特図変動時間の設定は、例えば、第１特図変動時間に応じたタイマ値を、ＲＡＭ１０２の所定領域に設けられた第１遊技制御プロセスタイマに設定すること等により行なわれる。なお、他の時間設定も、タイマ値を設定等することにより適宜行なわれればよい。
【０１７５】
Ｓ１２０９の処理に続いて、開始条件が成立した特図ゲームである第１特図ゲームを開始させるように、第１特別図柄の変動を開始させる設定を行なう（Ｓ１２１０）。一例として、第１特別図柄表示装置４Ａにおける第１特図の表示を更新させる制御信号（駆動信号）を送信する設定を行なう。これにより、制御信号が送信され、第１特図の可変表示（変動）が開始される。
【０１７６】
Ｓ１２１０の処理を実行した後には、特別図柄の変動開始時におけるコマンドの送信設定が行なわれる（Ｓ１２１１）。例えば、主基板１１から演出制御基板１２に対して第１変動開始指定コマンド、変動パターン指定コマンド（上記処理で決定した変動パターンを指定するコマンド）、表示結果指定コマンド（上記処理で決定した可変表示結果を指定するコマンド）、第１特図保留記憶数指定コマンド（上記処理で１減算した第１特図保留記憶数カウント値を指定するコマンド）を順次に送信するための送信設定を行なう。送信設定されたコマンドは、例えば特別図柄プロセス処理が終了した後、上述のコマンド制御処理が実行されること等により、主基板１１から演出制御基板１２に対して伝送される。
【０１７７】
Ｓ１２１１の処理を実行した後は、第１特図プロセスフラグの値を「２」に更新してから（Ｓ１２１２）、第１変動パターン設定処理を終了する。Ｓ１２１２で第１特図プロセスフラグの値が「２」に更新されることにより、次回のタイマ割込みが発生したときは、図７に示すＳ１１２の第１特別図柄変動処理が実行される。
【０１７８】
図７のＳ１１２の第１特別図柄変動処理は、第１特図プロセスフラグの値が“２”のときに実行される。この第１特別図柄変動処理には、第１遊技制御プロセスタイマのタイマ値を１減算する処理等が含まれている（これにより、第１特図ゲームの実行時間が計測されることなる。また、Ｓ１０２でＹｅｓと判定したことで、第１特別図柄プロセス処理の一部が中断されると、当該実行時間の計測が中断されることにもなる。）。そして、第１遊技制御プロセスタイマのタイマ値（１減算した後のタイマ値）が０でないときには、第１特図変動時間が経過していないので、第１特図ゲームの可変表示を実行するための制御（例えば、第１特図の表示を更新（所定時間特別図柄の表示を維持させるための更新を適宜含む。以下同じ。）させる制御信号（駆動信号）を送信する制御）等を行なって第１特別図柄表示装置４Ａにおいて第１特図を変動させるための処理を行ない、第１特別図柄変動処理を終了する。一方で、第１遊技制御プロセスタイマのタイマ値が０になり、第１特図の変動を開始してからの経過時間がＳ１１１で設定された第１特図変動時間に達したときには、第１特別図柄表示装置４Ａで特別図柄の変動を停止させ、第１特図ゲームの可変表示結果となる第１確定特別図柄（Ｓ１１０で設定された第１確定特別図柄）を停止表示（導出表示）させ（第１確定特別図柄は、所定時間表示し続けるように制御するとよい。）、また、停止表示するときに第１図柄確定指定コマンドの送信設定も行ない、第１特図プロセスフラグの値を“３”に更新し、第１特別図柄変動処理は終了する。タイマ割り込みの発生毎にＳ１１２が繰返し実行されることにより、第１特別図柄の可変表示（第１特図ゲーム）や確定特別図柄（第１特図表示結果）の導出表示等が実現される。
【０１７９】
図７のＳ１１３の第１特別図柄停止処理は、第１特図プロセスフラグの値が「３」のときに実行される。第１特別図柄停止処理は、第１特別図柄を停止したこと（つまり、第１特図ゲームが終了したこと）に伴って行なわれる処理である。図１８は、第１特別図柄停止処理として、図７のＳ１１３で実行される処理の一例を示すフローチャートである。
【０１８０】
図１８に示す第１特別図柄停止処理において、ＣＰＵ１０３は、以下の処理をする。まず、第１大当りフラグがオン状態であるか否かを判定する（Ｓ１３０１）。第１大当りフラグがオン状態である場合（Ｓ１３０１；Ｙｅｓ）、高確高ベースフラグをオフ状態とする（元々オフ状態の場合にはオフ状態を維持する。）。これにより、大当り時には、遊技状態が通常状態となる。
【０１８１】
その後、第１ファンファーレ待ち時間（大当り遊技状態におけるファンファーレの開始から終了するまでの待ち時間であり、予め定められた時間である。）に対応するタイマ値を初期値として第１遊技制御プロセスタイマにセットする（Ｓ１３０３）、その後、大当り遊技状態におけるラウンド遊技の回数（大当り種別にかかわらず「５」）をＲＡＭ１０２の所定領域に設けられた第１ラウンド数カウンタ（ラウンド遊技の回数であるラウンド数をカウントするためのカウンタ）のカウント初期値に設定する（Ｓ１３０４）。
【０１８２】
その後、第１当り開始指定コマンド、遊技状態指定コマンドの送信設定を行なう（Ｓ１３０５）。送信設定されたコマンドは、例えば特別図柄プロセス処理が終了した後、上述のコマンド制御処理が実行されること等により、主基板１１から演出制御基板１２に対して伝送される。Ｓ１３０５の後は、第１特図プロセスフラグを「４」に更新し（Ｓ１３０６）、第１特別図柄停止処理を終了する。第１大当りフラグがオフ状態である場合は（Ｓ１３０１；Ｎｏ）、第１特図プロセスフラグを「０」に更新し（Ｓ１３０７）、第１特別図柄停止処理を終了する。
【０１８３】
図７のＳ１１４の第１大当り開放前処理は、第１特図プロセスフラグの値が「４」のときに実行される。第１大当り開放前処理では、例えば、第１遊技制御プロセスタイマのタイマ値を１減算する。減算後のタイマ値が「０」でない場合には、第１ファンファーレ待ち時間がまだ経過していないので、第１大当り開放前処理は終了する。減算後のタイマ値が「０」である場合には、第１ファンファーレ待ち時間が経過し、ラウンド遊技の開始タイミングになったことになる。この場合には、ラウンド遊技を開始させるため、特別可変入賞球装置７が形成する大入賞口を開放状態とする処理（例えば、ソレノイド駆動信号を供給してソレノイド８２をオン状態にする処理）を実行し、大入賞口を開放状態とする上限期間（Ｓ１１０８で記憶させた大当り種別に応じた時間。Ｓ１１０８で記憶させた大当り種別が「５Ｒ通常」であれば「５秒」、「５Ｒ短期」であれば「０．１秒」、大当り種別は、第１大当り種別バッファに格納した大当り種別バッファ設定値で特定すればよい。）に対応するタイマ値を第１遊技制御プロセスタイマに設定する処理等が実行される。大入賞口を開放状態とする処理等が実行されたときに、第１特図プロセスフラグの値が“５”に更新され、大当り開放前処理は終了する。タイマ割り込みの発生毎にＳ１１４が繰返し行なわれることで、ラウンド遊技の開始タイミングまでの待機（ファンファーレの終了までの待機）及びラウンド遊技の開始（大入賞口の開放）等が実現される。
【０１８４】
Ｓ１１５の第１大当り開放中処理は、第１特図プロセスフラグの値が「５」のときに実行される。この第１大当り開放中処理には、第１遊技制御プロセスタイマのタイマ値を１減算する処理や、１減算した後のタイマ値や、１回のラウンド遊技においてカウントスイッチ２３により検出された遊技球の個数（スイッチ処理でカウントスイッチ２３がオン状態と判定される毎に１カウントするカウンタ（ＲＡＭ１０２に設けられる。）等によりカウントされればよい。）等に基づいて、大入賞口を閉鎖状態とするタイミングとなったか否かを判定する処理等が含まれる。
【０１８５】
１減算した後のタイマ値が０になった、又は、検出された遊技球の個数（前記カウンタのカウント値）が所定個数（例えば９個）に達したと判定したときには、大入賞口を閉鎖状態に戻すタイミングになったので、大入賞口を閉鎖状態に戻す処理（例えば、ソレノイド８２をオンにするソレノイド駆動信号の供給を停止して、又は、ソレノイド８２をオフにするソレノイド駆動信号を供給して、ソレノイド８２をオフにする処理）や、大入賞口を閉鎖する期間（ラウンド遊技のインターバル期間であり、予め設定される期間、Ｓ１１０８で記憶させた大当り種別に応じて異なる期間としてもよい。）に対応するタイマ値を第１遊技制御プロセスタイマに設定する処理や、第１ラウンド数カウンタのカウント値を１減じる処理等が実行される。また、大入賞口を閉鎖状態にした場合には、特図プロセスフラグの値が“６”に更新され、第１大当り開放中処理は終了する。
【０１８６】
１減算した後のタイマ値が０になってもなく、検出された遊技球の個数も所定個数に達していない場合には、大入賞口を開放状態に維持する処理（例えば、大入賞口の開放を維持するソレノイド駆動信号を供給する処理）等を必要に応じて行なって、第１大当り開放中処理を終了する。
【０１８７】
大入賞口を開放状態に維持する処理を行なった場合には、例えば、図１９に示す処理が実行される。図１９に示す処理では、確変検出スイッチ２４がオンとなったか否かを判定する（Ｓ１４０１）。例えば、スイッチ処理で確変検出スイッチ２４がオン状態と判定される等して、変検出スイッチ２４がオンとなっていると判定した場合（Ｓ１４０１；Ｙｅｓ）、この場合、確変検出領域４０へ遊技球が進入したことになり、ＲＡＭ１０２の所定領域に設けられた確変検出スイッチフラグをオン状態とする（すでにオン状態であれば、オン状態を維持する）（Ｓ１４０２）。確変検出スイッチ２４がオンとなっていない場合（Ｓ１４０１；Ｎｏ）、Ｓ１４０２の後は、図１９に示す処理は終了する。
【０１８８】
タイマ割り込みの発生毎にＳ１１５が繰返し行なわれることにより、大入賞口を閉鎖タイミングまで開放状態とし、最後に大入賞口は閉鎖される。
【０１８９】
Ｓ１１６の第１大当り開放後処理は、第１特図プロセスフラグの値が「６」のときに実行される。第１大当り開放後処理では、第１ラウンド数カウンタのカウント値が「０」になったか否かを判定する処理や、「０」になっていない場合に第１遊技制御プロセスタイマのタイマ値を１減じる処理等が行なわれる。
【０１９０】
第１ラウンド数カウンタのカウント値が「０」であると判定された場合には、ラウンド遊技が上限回数に達したので、第１遊技制御プロセスタイマに第１エンディング待ち時間（大当り遊技状態におけるエンディングの開始から終了するまでの待ち時間であり、予め定められた時間である。）に対応したタイマ値を第１遊技制御プロセスタイマに設定する。また、第１当り終了指定コマンドを送信する設定を行ない、第１特図プロセスフラグを“７”に更新する処理等も行ない、第１大当り開放後処理を終了する。
【０１９１】
第１遊技制御プロセスタイマのタイマ値を１減じる処理を行なった場合には、１減じた後のタイマ値が「０」であるかを判定し、「０」でない場合には、ラウンド遊技の開始タイミングでないので、大入賞口を閉鎖状態としたまま、第１大当り開放後処理は終了する。「０」である場合には、ラウンド遊技の開始タイミングになったので、大入賞口を開放状態とする処理、大入賞口を開放状態とする上限期間（Ｓ１１０８で記憶させた大当り種別が「５Ｒ通常」であれば「５秒」、「５Ｒ短期」であれば「０．１秒」、大当り種別は、第１大当り種別バッファに格納した大当り種別バッファ設定値で特定すればよい。）に対応するタイマ値を第１遊技制御プロセスタイマに設定する処理等が実行される。大入賞口を開放状態とする処理等が実行されたときには、第１特図プロセスフラグの値が“５”に更新され、第１大当り開放後処理は終了する。
【０１９２】
Ｓ１１４で大入賞口を開放状態としてから、タイマ割り込みの発生ごとにＳ１１５、Ｓ１１６が繰返し実行されることにより、各ラウンド遊技が実現される。
【０１９３】
図７のＳ１１７の第１大当り終了処理は、第１特図プロセスフラグの値が「７」のときに実行される。第１大当り終了処理は、大当り遊技状態終了時に行なわれる処理である。図２０は、第１大当り終了処理として、図７のＳ１１７で実行される処理の一例を示すフローチャートである。第１大当り終了処理において、ＣＰＵ１０３は以下の処理をする。まず、第１エンディング待ち時間が終了したかを判定する（Ｓ１５０１）。一例として、上記で第１エンディング待ち時間が設定された第１遊技制御プロセスタイマのタイマ値をＳ１５０１で「１」減じ、減じたタイマ値が「０」になっているか否かを判定することで、第１エンディング待ち時間が終了したかを判定する。
【０１９４】
１減じたタイマ値が「０」でない等して、第１エンディング待ち時間が終了していない場合（Ｓ１５０１；Ｎｏ）、第１大当り終了処理を終了する。第１エンディング待ち時間が終了している場合（Ｓ１５０１；Ｙｅｓ）、確変検出スイッチフラグがオン状態であるかを判定し（Ｓ１５０２）、確変検出スイッチフラグがオン状態であれば（Ｓ１５０２；Ｙｅｓ）、高確高ベースフラグをオン状態とする（Ｓ１５０３）。確変検出スイッチフラグがオフ状態であるとき（Ｓ１５０２；Ｎｏ）、又は、Ｓ１５０３の後、遊技状態指定コマンド（現在の遊技状態を指定するコマンド）の送信設定を行ない（Ｓ１５０４）、その後に、第１特図プロセスフラグを“０”に更新する処理を行ない（Ｓ１５０５）、第１大当り終了処理を終了する。前記で送信設定されたコマンドは、例えば特別図柄プロセス処理が終了した後、上述のコマンド制御処理が実行されること等により、主基板１１から演出制御基板１２に対して伝送される。
【０１９５】
確変検出スイッチがオン状態ということは、大入賞口の開放時において遊技球が確変検出領域４０に進入したことになる。このため、Ｓ１５０３において、高確高ベースフラグをオン状態とすることにより、これ以降、高確高ベース状態となる（今回の大当り遊技状態の前が通常状態であれば、高確高ベース状態（チャンス期間）が開始される。今回の大当り遊技状態の前が高確高ベース状態であれば、高確高ベース状態（チャンス期間）が再度開始される。）。
【０１９６】
Ｓ１１４〜Ｓ１１７が実行されること（必要に応じて所定のステップが繰返し実行されること）により、第１特図ゲームにおける可変表示結果が「大当り」になったこと、及び、その大当り種別に対応した大当り遊技状態（短期開放大当り遊技状態又は通常開放大当り遊技状態）が実現される。
【０１９７】
図２１は、第２特別図柄プロセス処理の一例を示すフローチャートである。この第２特別図柄プロセス処理において、ＣＰＵ１０３は、以下の処理をする。まず、第２始動入賞判定処理を実行する（Ｓ２０１）。図２２は、Ｓ２０１で実行される第２始動入賞判定処理の一例を示すフローチャートである。
【０１９８】
第２始動入賞判定処理を開始すると、まず、スイッチ処理の判定結果等に基づいて、第２始動口スイッチ２２Ｂがオン状態であるか否かを判定する（Ｓ２００１）。このとき、第２始動口スイッチ２２Ｂがオン状態（スイッチ処理で、第２始動口スイッチ２２Ｂがオン状態と判定されているとき）であれば（Ｓ２００１；Ｙｅｓ）、遊技球の進入（つまり、第２始動入賞口への入賞）が検出されたので、第２特図ゲームの保留記憶数である第２特図保留記憶数が、所定の上限値（例えば「４」）となっているか否かを判定する（Ｓ２００２）。このとき、ＲＡＭ１０２の所定領域に設けられた第２特図保留記憶数カウンタ（第２特図保留記憶数をカウントするためのカウンタ）の格納値である第２特図保留記憶数カウント値を読み取ることにより、第２特図保留記憶数を特定できればよい。第２特図保留記憶数が上限値ではないときには（Ｓ２００２；Ｎｏ）、第２特図保留記憶数カウント値を１加算するように更新する（Ｓ２００３）。第２特図保留記憶数カウント値は、第２始動入賞口に遊技球が進入して第２特図ゲームの第２始動条件が成立したときに、１増加（インクリメント）するように更新される。
【０１９９】
Ｓ２００３の後、第２始動入賞口における第２始動入賞の発生時に対応した第２始動入賞時遊技用乱数を抽出する（Ｓ２００４）。一例として、Ｓ２００４の処理では、乱数回路１０４やＲＡＭ１０２の所定領域（遊技制御カウンタ設定部等）に設けられたランダムカウンタ等により更新される数値データのうちから、第２特図ゲーム用の乱数値として、特図表示結果決定用の乱数値ＭＲ４、大当り種別決定用の乱数値ＭＲ５、変動パターン決定用の乱数値ＭＲ６を示す数値データが抽出される。抽出された各乱数値を示す数値データが保留データとして、ＲＡＭ１０２の所定領域に設けられた第２特図保留記憶部における空きエントリの先頭にセットされることで記憶される（Ｓ２００５）。例えば、保留データが図２３に示すような第２特図保留記憶部にセットされる。
【０２００】
図２３に示す第２特図保留記憶部は、普通可変入賞球装置６Ｂが形成する第２始動入賞口を遊技球が進入して第２始動入賞が発生したが、未だ開始されていない第２特図ゲームの保留データを記憶する。一例として、第２特図保留記憶部は、第２始動入賞口への入賞順（遊技球の検出順）に保留番号と関連付けて、その遊技球の進入による第２始動条件の成立に基づいてＣＰＵ１０３が乱数回路１０４等から抽出した乱数値ＭＲ４や乱数値ＭＲ５、乱数値ＭＲ６を示す数値データ等を保留データとして、その記憶数が所定の上限値（例えば「４」）に達するまで記憶する。第２特図保留記憶部に記憶された保留データは、第２特図ゲームの実行（第２特図の可変表示）が保留されていることを示し、この第２特図ゲームにおける可変表示結果（第２特図表示結果）に基づき大当り遊技状態に制御すると決定されるか否かや、領域５Ｂでの画像の表示態様（第２特図ゲームの第２特図変動時間等を含む）等を判定可能にする保留記憶情報となる。
【０２０１】
Ｓ２００５の処理に続いて、第２特図保留記憶数指定コマンド（Ｓ２００３で１加算した第２特図保留記憶数カウント値を指定するコマンド）と、第２始動口入賞指定コマンドとの送信設定を行なう（Ｓ２００６）。また、第２始動口スイッチ２２Ｂがオフ状態である場合（Ｓ２００１；Ｎｏ）、第２特図保留記憶数が上限値である場合（Ｓ２００２；Ｙｅｓ）、又は、Ｓ２００６の後、第２始動入賞判定処理は終了する。
【０２０２】
図２１に戻り、ステップ２０１の後、ＲＡＭ１０２の所定領域に設けられた第１特図プロセスフラグ（第１特別図柄プロセス処理で使用されるフラグ）の値が「４」〜「７」であるかを判定する（Ｓ２０２）。第１特図プロセスフラグの値が「４」〜「７」となっている期間は、第１特図ゲームにおいて「大当り」が導出されたことに基づいてパチンコ遊技機１が大当り遊技状態に制御される期間（以下、第１大当り期間ともいう。）である。
【０２０３】
第１特図プロセスフラグの値が「４」〜「７」である場合（Ｓ１０２；Ｙｅｓ）、つまり、現在が、第１大当り期間である場合、この期間が開始されてから第２中断指定コマンドが未送信であるか否かを判定する（Ｓ２０５）。
【０２０４】
第１特図ゲームにおいて「大当り」が導出表示されてパチンコ遊技機１が大当り遊技状態に移行する場合、第２特別図柄プロセス処理のうち一部の処理は一旦中断され、大当り遊技状態の終了時（第１大当り期間の終了時）に再開される。特に、第２特図ゲームの実行中に、第１特図ゲームにおいて「大当り」が導出表示されてパチンコ遊技機１が大当り遊技状態に移行する場合には、当該第２特図ゲームの実行が中断され、当該大当り遊技状態の終了後に当該第２特図ゲームは再開する。第２中断指定コマンドは、この中断を演出制御基板１２に指定する。第２中断指定コマンドが未送信であるか否かの判定は、ＲＡＭ１０２の所定領域に第２中断指定コマンド送信フラグ（第２中断指定コマンドが送信されたときにオン状態となり、処理再開時にオフ状態となるフラグ）を設け、このフラグがオン状態となっているか否かの判定により行なわれる。
【０２０５】
第２中断指定コマンド送信フラグがオフ状態である等して、第２中断指定コマンドが未送信である場合（Ｓ２０５；Ｙｅｓ）、第２中断指定コマンドを送信する必要があるので、第２中断指定コマンド送信フラグをオン状態とするとともに第２中断指定コマンドの送信設定を行なって（Ｓ２０６）、第２特別図柄プロセス処理を終了する。送信設定されたコマンドは、例えば特別図柄プロセス処理が終了した後、コマンド制御処理が実行されること等により、主基板１１から演出制御基板１２に対して伝送される。第２中断指定コマンド送信フラグがオン状態である等して、第２中断指定コマンドが１回の中断においてすでに送信されている場合は（Ｓ２０５；Ｎｏ）、第２特別図柄プロセス処理を終了する。
【０２０６】
第２特図プロセスフラグの値が「４」〜「７」でない場合（Ｓ２０２；Ｎｏ）、つまり、現在が、第２大当り期間中でない場合、第２中断指定コマンドが送信されているか否か（第２中断指定コマンド送信フラグがオン状態であるか否か）を判定する（Ｓ２０３）。第２中断指定コマンド送信フラグがオン状態等であり、第２中断指定コマンドが送信されている場合（Ｓ２０３；Ｙｅｓ）、第２特別図柄プロセス処理のうち一部の処理の中断が実行されていたので、第２特別図柄プロセス処理のうち一部の処理の再開（第２特図ゲームの実行再開等）を指定する第２再開指定コマンドの送信処理を行なう（Ｓ２０４）。Ｓ２０４では、第２中断指定コマンド送信フラグをオフ状態にリセットすることも行なわれる。送信設定されたコマンドは、例えば特別図柄プロセス処理が終了した後、コマンド制御処理が実行されること等により、主基板１１から演出制御基板１２に対して伝送される。Ｓ２０４の処理の後、又は、第２中断指定コマンド送信フラグがオフ状態で第２中断指定コマンドが送信されていないと判定した場合（Ｓ２０３；Ｎｏ、つまり、前記の中断が直前になかった場合）、Ｓ２１０〜Ｓ２１７のいずれかの処理が実行される。
【０２０７】
上記Ｓ２０２〜Ｓ２０６の処理により、第１特図ゲームにおける可変表示結果が「大当り」となって、パチンコ遊技機１が大当り遊技状態に制御されている期間（第１大当り期間）には、第２特別図柄プロセス処理の一部の処理が中断され、当該期間の終了後には中断された処理が再開される。特に、第２特図ゲームの実行中に、第１特図ゲームにおいて「大当り」が導出表示されてパチンコ遊技機１が大当り遊技状態に移行する場合には、当該第２特図ゲームの実行（タイマ割り込み毎に実行されるＳ１１２等）が中断され、当該大当り遊技状態の終了後に当該第２特図ゲーム（タイマ割り込み毎に実行されるＳ１１２等）は再開する。また、中断時及び再開時には、そのことを通知する制御コマンド（第２中断指定コマンド及び第２再開指定コマンド）が送信され、演出制御基板１２に中断又は再開が通知される。
【０２０８】
なお、Ｓ２０６では、第２特図プロセスフラグの値が「２」であるとき（第２特図ゲームの実行中の期間内）等に、第２特別図柄表示装置４Ｂにおける第２特図の表示を更新させる制御信号（詳しくは後述）の送信を中断することも行ない、これ以降、第２特図ゲームが再開されるまで、第２特別図柄表示装置４Ｂに何も表示しないようにして、第２特図ゲームの実行が中断されたことを報知してもよい。また、Ｓ２０５でＮｏと判定したときに、第２特図プロセスフラグの値が「２」であるとき（第２特図ゲームの実行中の期間内）等に、所定の制御信号を送信する設定を行ない、第２特別図柄表示装置４Ｂに第２特図のハズレ図柄等（又は中断用の所定の図柄等でもよい。）を所定期間表示させることで、第２特図ゲームの実行が中断されたことを報知してもよい。または、第２特図の表示を更新させる制御信号の送信は中断せずに、内部的には、第２特図ゲームの実行を中断させるが（後述の第２特図ゲームの経過時間の計測等を中断させるが）、第２特別図柄表示装置４Ｂの見た目上、第２特図ゲームが中断されたことを報知しないようにしてもよい。
【０２０９】
次に、ＲＡＭ１０２の所定領域に設けられた第２特図プロセスフラグの値（初期値は「０」）に応じ、Ｓ２１０〜Ｓ２１７の処理のいずれかを選択して実行する。
【０２１０】
Ｓ２１０の第２特別図柄通常処理は、第２特図プロセスフラグの値が「０」のときに実行される。図２４は、第２特別図柄通常処理として、図２１のＳ２１０で実行される処理の一例を示すフローチャートである。図２４に示す第２特別図柄通常処理において、ＣＰＵ１０３は、以下の処理をする。まず、第２特図保留記憶数が「０」であるか否かを判定する（Ｓ２１０１）。第２特図保留記憶数カウント値を読出し、その読出値が「０」であるか否かを判定すればよい。
【０２１１】
Ｓ２１０１で第２特図保留記憶数が「０」以外であるときには（Ｓ２１０１；Ｎｏ）、例えば第２特図保留記憶部の先頭領域（例えば保留番号「１」に対応する記憶領域）という、ＲＡＭ１０２の所定領域に記憶されている保留データとして、所定の乱数値を示す数値データ（乱数値ＭＲ４〜ＭＲ６）を読出す（Ｓ２１０２）。これにより、図２２に示すＳ２００４の処理で第２始動入賞口における始動入賞（第２始動入賞）の発生に対応して抽出された遊技用乱数（第２始動入賞時遊技用乱数）が読出される。読出された数値データは、例えばＲＡＭ１０２の所定領域に設けられた第２変動用乱数バッファ等に格納されて、一時記憶されればよい。
【０２１２】
Ｓ２１０２の処理に続き、第２特図保留記憶数カウント値を１減算して更新すること等により、第２特図保留記憶数を１減算させるように更新するとともに、第２特図保留記憶部における記憶内容をシフトさせる（Ｓ２１０３）。例えば、第２特図保留記憶部で保留番号「１」より下位の記憶領域（保留番号「２」〜「４」に対応する記憶領域）に記憶された保留データを、１エントリずつ上位にシフトする。
【０２１３】
Ｓ２１０３の処理のいずれかを実行した後には、第２特別図柄の可変表示結果（第２特図ゲームにおける可変表示結果）である第２特図表示結果を、「大当り」と「ハズレ」とのいずれかに決定する（Ｓ２１０４）。一例として、Ｓ２１０４の処理では、予めＲＯＭ１０１の所定領域に記憶する等して用意された第２特図表示結果決定テーブルを選択し、第２特図表示結果を決定するための使用テーブルに設定する。第２特図表示結果決定テーブルでは、例えば、図２５に示すように、特図表示結果決定用の乱数値ＭＲ４と比較される数値（決定値）が、第２特図表示結果を「大当り」と「ハズレ」とのいずれとするかの決定結果に、遊技状態が確変状態であるか否かに応じて割当てられていればよい。
【０２１４】
乱数値ＭＲ４を示す数値データを第２変動用乱数バッファから読出し、遊技状態が確変状態であるか否かと、乱数値ＭＲ４を示す数値データとに基づいて、使用テーブルに設定された第２特図表示結果決定テーブルを参照することにより、遊技状態が確変状態であるか否かに応じて乱数値ＭＲ４に該当する決定値に割当てられた「大当り」と「ハズレ」とのいずれかの決定結果を第２特図表示結果として決定すればよい。ＲＡＭ１０２の所定領域に設けられた高確高ベースフラグ（高確高ベース状態のときにオン状態になるフラグ）がオン状態である場合に、確変状態であると判定すればよい。例えば、乱数値ＭＲ４が「９０００」であるとき、ＣＰＵ１０３は、高確高ベースフラグがオン状態である場合には、第２特図表示結果を「大当り」にすると決定し、高確高ベースフラグがオフ状態である場合には、第２特図表示結果を「ハズレ」にすると決定する。
【０２１５】
図２５に示すように、確変状態（高確高ベース状態）のときには、非確変状態のときよりも高い割合で、第２特図表示結果が「大当り」に決定される。したがって、例えば大当り遊技状態終了時において高確高ベースフラグがオン状態にセットされたこと等に基づいて、現在が確変状態（高確高ベース）であるときには、非確変状態のときよりも、第２特図表示結果が「大当り」になりやすく、大当り遊技状態になりやすい。
【０２１６】
その後、Ｓ２１０４の処理により決定された第２特図表示結果が「大当り」であるか否かを判定する（Ｓ２１０５）。第２特図表示結果が「大当り」に決定された場合には（Ｓ２１０５；Ｙｅｓ）、ＲＡＭ１０２の所定領域に設けられた第２大当りフラグをオン状態にセットする（Ｓ２１０６）。
【０２１７】
また、第２特図ゲームの表示結果が「大当り」のときの大当り種別（第２大当り種別）を複数種類のいずれかに決定する（Ｓ２１０７）。一例として、Ｓ２１０７の処理では、予めＲＯＭ１０１の所定領域に記憶する等して用意された第２大当り種別決定テーブルを選択し、第２大当り種別を決定する使用テーブルに設定する。第２大当り種別決定テーブルでは、大当り種別決定用の乱数値ＭＲ５と比較される数値（決定値）が、大当り種別の決定結果として「５Ｒ通常」に割当てられればよい（図２６参照）。Ｓ２１０２で第２変動用乱数バッファに一時格納した遊技用乱数に含まれる乱数値ＭＲ５を示す数値データを第２変動用乱数バッファから読出し、読出した乱数値ＭＲ５を示す数値データに基づき、使用テーブルに設定された第２大当り種別決定テーブルを参照することで、乱数値ＭＲ５に該当する決定値に割当てられた「５Ｒ通常」を大当り種別として決定すればよい。
【０２１８】
大当り種別としては、「５Ｒ通常」及び「５Ｒ短期」があるが、第２特図ゲームでの「大当り」の大当り種別は、図２６に示すように、「５Ｒ通常」のみとなっている。
【０２１９】
Ｓ２１０７の処理を実行した後には、大当り種別を記憶させる（Ｓ２１０８）。ＲＡＭ１０２の所定領域に設けられた第２大当り種別バッファに、大当り種別の決定結果を示す大当り種別バッファ設定値（図２６参照）を格納することにより、大当り種別を記憶させればよい。
【０２２０】
第２特図表示結果が「大当り」ではない場合（Ｓ２１０５；Ｎｏ）、Ｓ２１０８を実行した後には、第２特図ゲームで最終的に導出表示される第２確定特別図柄を決定する（Ｓ２１１１）。第２大当りフラグがオフ状態のときには、ハズレ図柄として予め定められた特別図柄「−」を第２確定特別図柄に決定する。一方、第２大当りフラグがオン状態のときは、Ｓ２１０７における大当り種別の決定結果に応じて（大当り種別バッファ設定値に応じて）、複数種類の大当り図柄として予め定められた特別図柄のいずれか（大当り種別は「５Ｒ通常」なので「７」となる。）を第２確定特別図柄に決定すればよい。
【０２２１】
Ｓ２１１１の処理を実行した後には、第２特図プロセスフラグの値を「１」に更新してから（Ｓ２１１２）、第２特別図柄通常処理を終了する。Ｓ２１１１で第２特図プロセスフラグの値が「１」に更新されることにより、次回のタイマ割込みが発生したときには、図２１に示すＳ１１１の変動パターン設定処理が実行される。第２特図ゲームの保留記憶数が「０」である場合には（Ｓ２１０１；Ｙｅｓ）、第２特別図柄通常処理を終了する。
【０２２２】
図２１のＳ２１１の第２変動パターン設定処理（変動パターンを設定する処理）は、第２特図プロセスフラグの値が「１」のときに実行される。図２７は、第２変動パターン設定処理として、図２１のＳ２１１で実行される処理の一例を示すフローチャートである。
【０２２３】
なお、ここでの変動パターンは、第２特図の可変表示に対応する所定の画像の可変表示態様や第２特図ゲームの内容（ここでは、可変表示の特図変動時間（可変表示の開始から表示結果の導出表示までの期間））等を指定するものであればよい。
【０２２４】
図２８に、この実施の形態で使用される第２特図用の変動パターンを示す。図２８のように、第２特図表示結果が「ハズレ」となる場合と、第２特図表示結果が「大当り」となる場合に対応して、変動パターンＰＡ６−１（「ハズレ」用）と変動パターンＰＡ７−１（「大当り」用）とが予め用意される。第２特図用の変動パターンは、遊技状態に関わらず共通の変動パターンである。
【０２２５】
各変動パターンは、図２８に示すような第２特図変動時間（第２特図の可変表示の開始から表示結果の導出表示までの期間）を指定するが、第２特図変動時間は各変動パターンで共通になっており、かつ、第１特図用の変動パターンに比べて、きわめて短い。このため、第２特図の可変表示（第２特図ゲーム）は、短時間のうちに高頻度で実行され得る。
【０２２６】
図２７に示す第２変動パターン設定処理において、ＣＰＵ１０３は、以下の処理をする。まず、第２大当りフラグがオン状態であるか否かを判定する（Ｓ２２０１）。
【０２２７】
第２大当りフラグがオン状態である場合は（Ｓ１２０１；Ｙｅｓ）、第２特図大当り時変動パターン決定テーブルを使用テーブルに設定する（Ｓ２２０２）。その後、使用テーブルに設定した第２特図大当り時変動パターン決定テーブルを参照して、変動パターン（第２特図大当り時変動パターン）を決定する（Ｓ２２０３）。
【０２２８】
Ｓ２２０２で、図２９に示す第２特図大当り時変動パターン決定テーブルを使用テーブルに設定する。当該テーブルは、ＲＯＭ１０１の所定領域に記憶する等して用意される。
【０２２９】
第２特図大当り時変動パターン決定テーブルでは、変動パターン決定用の乱数値ＭＲ６と比較される数値（決定値）が、変動パターンの決定結果に、割当てられていればよい。第２変動用乱数バッファから読出した乱数値ＭＲ６を示す数値データに基づいて、使用テーブルとして設定された第２特図大当り時変動パターン決定テーブルを参照することで、乱数値ＭＲ６に該当する決定値に割当てられた変動パターンを今回使用される変動パターンとして決定（選択）すればよい。全ての決定値が変動パターンＰＡ７−１に割当てられているので、選択される変動パターンは、大当り用の変動パターンＰＡ７−１になる。
【０２３０】
第２大当りフラグがオフ状態である場合には（Ｓ２２０１；Ｎｏ）、第２特図ハズレ時変動パターン決定テーブルを使用テーブルに設定する（Ｓ２２０７）。その後、使用テーブルに設定した第２特図ハズレ時変動パターン決定テーブルを参照して、変動パターン（第２特図ハズレ時変動パターン）を決定する（Ｓ２２０８）。
【０２３１】
Ｓ２２０７において、図３０に示す第２特図ハズレ時変動パターン決定テーブルを使用テーブルに設定する。当該テーブルは、予めＲＯＭ１０１の所定領域に記憶される。
【０２３２】
第２特図ハズレ時変動パターン決定テーブルでは、変動パターン決定用の乱数値ＭＲ６と比較される数値（決定値）が、変動パターンの決定結果に、割当てられていればよい。ＣＰＵ１０３は、第２変動用乱数バッファから読出した乱数値ＭＲ６を示す数値データに基づき、使用テーブルとして設定された第２特図ハズレ時変動パターン決定テーブルを参照することにより、乱数値ＭＲ６に該当する決定値に割当てられた変動パターンを今回使用される変動パターンとして決定（選択）すればよい。全ての決定値が変動パターンＰＡ６−１に割当てられているので、選択される変動パターンは、大当り用の変動パターンＰＡ６−１になる。第２特図ゲームの変動パターンとしては、ＰＡ６−１及びＰＡ７−１のみが使用され、遊技状態に関わらず共通して当該各変動パターンが使用される。
【０２３３】
図２７に戻り、Ｓ２２０３、Ｓ２２０８の処理のいずれかを実行した後には、第２特図変動時間を設定する（Ｓ２２０９）。第２特図変動時間は、上記でも説明しているように、第２特図ゲームにおいて第２特別図柄の変動を開始してから可変表示結果（第２特図表示結果）となる第２確定特別図柄が導出表示されるまでの所要時間である。第２特図変動時間は、予め用意された複数の変動パターンそれぞれにより指定される（ここでは、第２特図変動時間が各変動パターンに対応して用意されることで、各変動パターンは第２特図変動時間を指定している。）。Ｓ２２０３、Ｓ２２０８の処理で選択した変動パターンにより指定される第２特図変動時間を設定することにより、第２特別図柄の可変表示結果や、可変表示結果を報知する画像等が導出されるタイミングを設定できる。第２特図変動時間の設定は、例えば、第２特図変動時間に応じたタイマ値を、ＲＡＭ１０２の所定領域に設けられた第２遊技制御プロセスタイマに設定すること等により行なわれる。
【０２３４】
次に、開始条件が成立した特図ゲームである第２特図ゲームを開始させるように、第２特別図柄の変動を開始させる設定を行なう（Ｓ２２１０）。一例として、第２特別図柄表示装置４Ｂにおける第２特図の表示を更新させる制御信号（駆動信号）を送信する設定を行なう。これにより、制御信号が送信され、第２特図の可変表示（変動）が開始される。
【０２３５】
Ｓ２２１０の処理を実行した後には、特別図柄の変動開始時におけるコマンドの送信設定が行なわれる（Ｓ２２１１）。ＣＰＵ１０３は、主基板１１から演出制御基板１２に対して第２変動開始指定コマンド、変動パターン指定コマンド（上記処理で決定した変動パターンを指定するコマンド）、表示結果指定コマンド（上記処理で決定した可変表示結果を指定するコマンド）、第２特図保留記憶数指定コマンド（上記処理で１減算した第２特図保留記憶数カウント値を指定するコマンド）を順次に送信するための送信設定を行なう。送信設定されたコマンドは、例えば特別図柄プロセス処理が終了した後、コマンド制御処理が実行されること等により、主基板１１から演出制御基板１２に対して伝送される。
【０２３６】
Ｓ２２１１の処理を実行した後には、第２特図プロセスフラグの値を「２」に更新してから（Ｓ２２１２）、第２変動パターン設定処理を終了する。Ｓ２２１２で第２特図プロセスフラグの値が「２」に更新されることで次回のタイマ割込みが発生したときには、図２１に示すＳ２１２の第２特別図柄変動処理が実行される。
【０２３７】
図２１のＳ２１２の第１特別図柄変動処理は、第２特図プロセスフラグの値が“２”のときに実行される。この第２特別図柄変動処理には、第２遊技制御プロセスタイマのタイマ値を１減算する処理等が含まれている（これにより、第２特図ゲームの実行時間が計測されることなる。また、Ｓ２０２でＹｅｓと判定したことで、第２特別図柄プロセス処理の一部が中断されると、当該実行時間の計測が中断されることにもなる。）。そして、第２遊技制御プロセスタイマのタイマ値（１減算した後のタイマ値）が０でないときには、第２特図変動時間が経過していないので、第２特図ゲームの可変表示を実行するための制御（例えば、第２特図の表示を更新（所定時間特別図柄の表示を維持させるための更新を適宜含む。以下同じ。）させる制御信号（駆動信号）を送信する制御）等を行なって第２特別図柄表示装置４Ｂにおいて第２特図を変動させるための処理を行ない、第２特別図柄変動処理を終了する。一方で、第２遊技制御プロセスタイマのタイマ値が０になり、第２特図の変動を開始してからの経過時間がＳ２１１で設定された第２特図変動時間に達したときには、第２特別図柄表示装置４Ｂで特別図柄の変動を停止させ、第２特図ゲームの可変表示結果となる第２確定特別図柄（Ｓ２１０で設定された第２確定特別図柄）を停止表示（導出表示）させ（第２確定特別図柄は、所定時間表示し続けるように制御するとよい。）、また、停止表示するときに第２図柄確定指定コマンドの送信設定も行ない、第２特図プロセスフラグの値を“３”に更新し、第２特別図柄変動処理は終了する。タイマ割り込みの発生毎にＳ２１２が繰返し実行されることにより、第２特別図柄の可変表示（第２特図ゲーム）や確定特別図柄（第２特図表示結果）の導出表示等が実現される。
【０２３８】
図２１のＳ２１３の第２特別図柄停止処理は、第２特図プロセスフラグの値が「３」のときに実行される。第２特別図柄停止処理は、第２特別図柄を停止したこと（つまり、第２特図ゲームが終了したこと）に伴って行なわれる処理である。図３１は、第２特別図柄停止処理として図２１のＳ２１３で実行される処理の一例を示すフローチャートである。
【０２３９】
図３１に示す第２特別図柄停止処理において、ＣＰＵ１０３は、以下の処理をする。まず、第２大当りフラグがオン状態であるか否かを判定する（Ｓ２３０１）。第２大当りフラグがオン状態である場合（Ｓ２３０１；Ｙｅｓ）、高確高ベースフラグをオフ状態とする（元々オフ状態の場合にはオフ状態を維持する。）。これにより、大当り時には、遊技状態が通常状態となる。
【０２４０】
その後、第２ファンファーレ待ち時間（大当り遊技状態におけるファンファーレの開始から終了するまでの待ち時間であり、予め定められた時間である。）に対応するタイマ値を初期値として第２遊技制御プロセスタイマにセットする（Ｓ２３０３）、その後、大当り遊技状態におけるラウンド遊技の回数（大当り種別にかかわらず「５」）をＲＡＭ１０２の所定領域に設けられた第２ラウンド数カウンタ（ラウンド遊技の回数であるラウンド数をカウントするためのカウンタ）のカウント初期値に設定する（Ｓ２３０４）。
【０２４１】
その後、第２当り開始指定コマンド、遊技状態指定コマンドの送信設定を行なう（Ｓ１３０５）。送信設定されたコマンドは、例えば特別図柄プロセス処理が終了した後、上述のコマンド制御処理が実行されること等により、主基板１１から演出制御基板１２に対して伝送される。Ｓ２３０５の後は、第２特図プロセスフラグを「４」に更新し（Ｓ２３０６）、第２特別図柄停止処理を終了する。
【０２４２】
第２大当りフラグがオフ状態である場合（Ｓ２３０１；Ｎｏ）、第２特図プロセスフラグを「０」に更新し（Ｓ２３０７）、第２特別図柄停止処理を終了する。
【０２４３】
図２１のＳ２１４の第１大当り開放前処理は、第２特図プロセスフラグの値が「４」のときに実行される。この第２大当り開放前処理では、例えば、第２遊技制御プロセスタイマのタイマ値を１減算する。減算後のタイマ値が「０」でない場合には、第２ファンファーレ待ち時間がまだ経過していないので、第２大当り開放前処理は終了する。減算後のタイマ値が「０」である場合には、第２ファンファーレ待ち時間が経過し、ラウンド遊技の開始タイミングになったことになる。この場合には、ラウンド遊技を開始させるため、特別可変入賞球装置７が形成する大入賞口を開放状態とする処理（例えば、ソレノイド駆動信号を供給してソレノイド８２をオン状態にする処理）を実行し、大入賞口を開放状態とする上限期間（Ｓ２１０８で記憶させた大当り種別に応じた時間であるが、ここでは「５Ｒ通常」のみなので「５秒」となる。大当り種別は、第２大当り種別バッファに格納した大当り種別バッファ設定値で特定すればよい。）に対応するタイマ値を第２遊技制御プロセスタイマに設定する処理等が実行される。大入賞口を開放状態とする処理等が実行されたときには、第２特図プロセスフラグの値が“５”に更新され、大当り開放前処理は終了する。タイマ割り込みの発生毎にＳ２１４が繰返し行なわれることにより、ラウンド遊技の開始タイミングまでの待機（ファンファーレの終了までの待機）及びラウンド遊技の開始（大入賞口の開放）等が実現される。
【０２４４】
Ｓ２１５の第２大当り開放中処理は、第２特図プロセスフラグの値が「５」のときに実行される。この第２大当り開放中処理には、第２遊技制御プロセスタイマのタイマ値を１減算する処理や、１減算した後のタイマ値や、１回のラウンド遊技においてカウントスイッチ２３により検出された遊技球の個数（スイッチ処理でカウントスイッチ２３がオン状態と判定される毎に１カウントするカウンタ（ＲＡＭ１０２に設けられる。）等によりカウントされればよい。）等に基づいて、大入賞口を閉鎖状態とするタイミングとなったか否かを判定する処理等が含まれる。
【０２４５】
１減算した後のタイマ値が０になった、又は、検出された遊技球の個数（前記カウンタのカウント値）が所定個数（例えば９個）に達したと判定したときには、大入賞口を閉鎖状態に戻すタイミングになったので、大入賞口を閉鎖状態に戻す処理（例えば、ソレノイド駆動信号の供給を停止して、又は、ソレノイド８２をオフにするソレノイド駆動信号を供給して、ソレノイド８２をオフにする処理）や、大入賞口を閉鎖する期間（ラウンド遊技のインターバル期間であり、予め設定される期間、Ｓ２１０８で記憶させた大当り種別に応じて異なる期間としてもよい。）に対応するタイマ値を第２遊技制御プロセスタイマに設定する処理や、第２ラウンド数カウンタのカウント値を１減じる処理等が実行される。また、大入賞口を閉鎖状態にした場合には、特図プロセスフラグの値が“６”に更新され、第２大当り開放中処理は終了する。
【０２４６】
１減算した後のタイマ値が０にならず、遊技球の検出個数も所定個数に達していない場合は、大入賞口を開放状態に維持する処理（大入賞口の開放を維持するソレノイド駆動信号を供給する処理）等を必要に応じて行なって、第２大当り開放中処理を終了する。
【０２４７】
大入賞口を開放状態に維持する処理を行なった場合には、例えば、図３２に示す処理が実行される。図３２に示す処理では、確変検出スイッチ２４がオンとなったか否かを判定する（Ｓ２４０１）。例えば、スイッチ処理で確変検出スイッチ２４がオン状態と判定される等して、変検出スイッチ２４がオンとなっていると判定した場合（Ｓ２４０１；Ｙｅｓ）、この場合、確変検出領域４０へ遊技球が進入したことになり、ＲＡＭ１０２の所定領域に設けられた確変検出スイッチフラグをオン状態とする（すでにオン状態であれば、オン状態を維持する）（Ｓ２４０２）。確変検出スイッチ２４がオンとなっていない場合（Ｓ２４０１；Ｎｏ）、Ｓ２４０２の後は、図３２に示す処理は終了する。
【０２４８】
タイマ割り込みの発生毎にＳ２１５が繰返し行なわれることにより、大入賞口を閉鎖タイミングまで開放状態とし、最後に大入賞口は閉鎖される。
【０２４９】
Ｓ２１６の第２大当り開放後処理は、第２特図プロセスフラグの値が「６」のときに実行される。第２大当り開放後処理では、第２ラウンド数カウンタのカウント値が「０」になったか否かを判定する処理や、「０」になっていない場合に第２遊技制御プロセスタイマのタイマ値を１減じる処理等が行なわれる。
【０２５０】
第２ラウンド数カウンタのカウント値が「０」であると判定された場合には、ラウンド遊技が上限回数に達したので、第２遊技制御プロセスタイマに第２エンディング待ち時間（大当り遊技状態におけるエンディングの開始から終了するまでの待ち時間であり、予め定められた時間である。）に対応したタイマ値を第２遊技制御プロセスタイマに設定する。また、第２当り終了指定コマンドを送信する設定を行ない、第２特図プロセスフラグを“７”に更新する処理等も行ない、第２大当り開放後処理を終了する。
【０２５１】
第２遊技制御プロセスタイマのタイマ値を１減じる処理を行なった場合には、１減じた後のタイマ値が「０」であるかを判定し、「０」でない場合には、ラウンド遊技の開始タイミングでないので、大入賞口を閉鎖状態としたまま、第２大当り開放後処理は終了する。「０」である場合には、ラウンド遊技の開始タイミングになったので、大入賞口を開放状態とする処理、大入賞口を開放状態とする上限期間（Ｓ２１０８で記憶させた大当り種別に応じた時間であるが、ここでは「５Ｒ通常」のみなので「５秒」となる。）に対応するタイマ値を第２遊技制御プロセスタイマに設定する処理等が実行される。大入賞口を開放状態とする処理等が実行されたときには、第２特図プロセスフラグの値が“５”に更新され、第２大当り開放後処理は終了する。
【０２５２】
Ｓ２１４で大入賞口を開放状態としてから、タイマ割り込みの発生ごとにＳ２１５、Ｓ２１６が繰返し実行されることにより、各ラウンド遊技が実現される。
【０２５３】
図２１のＳ２１７の第２大当り終了処理は、第２特図プロセスフラグの値が「７」のときに実行される。第２大当り終了処理は、大当り遊技状態終了時に行なわれる処理である。図３３は、第２大当り終了処理として、図２１のＳ２１７で実行される処理の一例を示すフローチャートである。第２大当り終了処理において、ＣＰＵ１０３は、以下の処理をする。まず、第２エンディング待ち時間が終了したかを判定する（Ｓ２５０１）。一例として、上記で第２エンディング待ち時間が設定された第２遊技制御プロセスタイマのタイマ値をＳ２５０１で「１」減じ、減じたタイマ値が「０」になっているか否かを判定することで、第２エンディング待ち時間が終了したかを判定する。
【０２５４】
１減じたタイマ値が「０」でない等して、第２エンディング待ち時間が終了していない場合（Ｓ２５０１；Ｎｏ）、第２大当り終了処理を終了する。第２エンディング待ち時間が終了している場合（Ｓ２５０１；Ｙｅｓ）、確変検出スイッチフラグがオン状態であるかを判定し（Ｓ２５０２）、確変検出スイッチフラグがオン状態であれば（Ｓ２５０２；Ｙｅｓ）、高確高ベースフラグをオン状態とする（Ｓ２５０３）。確変検出スイッチフラグがオフ状態であるとき（Ｓ２５０２；Ｎｏ）、又は、Ｓ２５０３の後、遊技状態指定コマンド（現在の遊技状態を指定するコマンド）の送信設定を行ない（Ｓ２５０４）、その後に、第２特図プロセスフラグを“０”に更新する処理を行ない（Ｓ２５０５）、第２大当り終了処理を終了する。前記で送信設定されたコマンドは、例えば特別図柄プロセス処理が終了した後、上述のコマンド制御処理が実行されること等により、主基板１１から演出制御基板１２に対して伝送される。
【０２５５】
確変検出スイッチがオン状態ということは、大入賞口の開放時において遊技球が確変検出領域４０に進入したことになる。Ｓ２５０３において、高確高ベースフラグをオン状態とすることで、これ以降、高確高ベース状態となる（今回の大当り遊技状態の前が通常状態であれば、高確高ベース状態（チャンス期間）が開始される。今回の大当り遊技状態の前が高確高ベース状態であれば、高確高ベース状態（チャンス期間）が継続される。）。
【０２５６】
Ｓ２１４〜Ｓ２１７が実行されること（必要に応じて所定のステップが繰返し実行されること）により、第２特図ゲームでの可変表示結果が「大当り」になったこと、及び、その大当り種別に対応した大当り遊技状態（通常開放大当り遊技状態）が実現される。
【０２５７】
次に、演出制御基板１２における主な動作を説明する。演出制御基板１２では、電源基板等から電源電圧の供給を受けると、演出制御用ＣＰＵ１２０が起動して、所定の演出制御メイン処理を実行する。演出制御メイン処理を開始すると、演出制御用ＣＰＵ１２０は、まず、所定の初期化処理を実行して、ＲＡＭ１２２のクリアや各種初期値の設定、また演出制御基板１２に搭載されたＣＴＣ（カウンタ／タイマ回路）のレジスタ設定等を行なう。その後、ＲＡＭ１２２の所定領域（例えば演出制御フラグ設定部）に設けられたタイマ割込みフラグがオンとなっているか否かの判定を行なう。タイマ割込みフラグは、例えばＣＴＣのレジスタ設定に基づき、所定時間（例えば２ミリ秒）が経過するごとにオン状態にセットされる。このとき、タイマ割込みフラグがオフであれば、待機する。
【０２５８】
また、演出制御基板１２の側では、所定時間が経過するごとに発生するタイマ割込みとは別に、主基板１１から演出制御コマンドを受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、演出制御用ＣＰＵ１２０は、自動的に割込み禁止に設定するが、自動的に割込み禁止状態にならないＣＰＵを用いている場合には、割込み禁止命令（ＤＩ命令）を発行することが望ましい。演出制御用ＣＰＵ１２０は、演出制御ＩＮＴ信号がオン状態となることによる割込みに対応して、例えば所定のコマンド受信割込み処理を実行する。このコマンド受信割込み処理では、Ｉ／Ｏ１２５に含まれる入力ポートのうちで、中継基板１５を介して主基板１１から送信された制御信号を受信する所定の入力ポートより、演出制御コマンドとなる制御信号を取込む。このとき取込まれた演出制御コマンドは、例えばＲＡＭ１２２に設けられた演出制御コマンド受信用バッファに格納する。その後、演出制御用ＣＰＵ１２０は、割込み許可に設定してから、コマンド受信割込み処理を終了する。
【０２５９】
タイマ割込みフラグがオンである場合には、タイマ割込みフラグをクリアしてオフ状態にするとともに、コマンド解析処理を実行する。コマンド解析処理では、例えば主基板１１の遊技制御用マイクロコンピュータ１００から送信されて演出制御コマンド受信用バッファに格納されている各種の演出制御コマンドを読出した後に、その読出された演出制御コマンドに対応した設定や制御等が行なわれる。
【０２６０】
図３４は、コマンド解析処理の一例を示すフローチャートである。演出制御用ＣＰＵ１２０は、まず、主基板１１から伝送される遊技状態指定コマンドを受信しているかを判定する（Ｓ８０１）。遊技状態指定コマンドを受信している場合（Ｓ８０１；Ｙｅｓ）、ＲＡＭ１２２の所定領域に設けられた演出側高確高ベースフラグのオン状態・オフ状態を、遊技状態指定コマンドが示す内容に基づいて、変化又は維持させる（Ｓ８０２）。
【０２６１】
演出側高確高ベースフラグは、少なくとも高確高ベース状態のときにオン状態となるフラグである。演出制御用ＣＰＵ１２０は、遊技状態指定コマンドが示す遊技状態が高確高ベース状態を示すものであれば、演出側高確高ベースフラグをオン状態とし、遊技状態指定コマンドが示す遊技状態が通常状態を示すものであれば、演出側高確高ベースフラグをオフ状態とする。
【０２６２】
遊技状態指定コマンドを受信していない場合（Ｓ８０１；Ｎｏ）、又は、Ｓ８０２の後、第１特図保留記憶数通知コマンドを受信しているか否かを判定し（Ｓ８０３）、受信している場合には（Ｓ８０３；Ｙｅｓ）、例えば表示制御部１２３のＶＤＰ等に対して所定の表示制御指令を伝送させる制御を行なうことで、画像表示装置５の第１保留表示領域５ＨＡに保留表示図柄を１つ新たに表示させる（Ｓ８０４）。
【０２６３】
第１特図保留記憶数通知コマンドを受信していない場合（Ｓ８０３；Ｎｏ）、又は、Ｓ８０４の後、第２特図保留記憶数通知コマンドを受信しているか否かを判定し（Ｓ８０５）、受信している場合には（Ｓ８０５；Ｙｅｓ）、例えば表示制御部１２３のＶＤＰ等に対して所定の表示制御指令を伝送させる制御を行なうことで、画像表示装置５の第２保留表示領域５ＨＢに保留表示図柄を１つ新たに表示させる（Ｓ８０６）。
【０２６４】
第２特図保留記憶数通知コマンドを受信していない場合（Ｓ８０５；Ｎｏ）、又は、Ｓ８０６の後、演出制御用ＣＰＵ１２０は、主基板１１から伝送される第１中断指定コマンド又は第２中断指定コマンドのいずれかを受信したかを判定し（Ｓ８１３）、いずれかを受信した場合には（Ｓ８１３；Ｙｅｓ）、ＲＡＭ１２２の所定領域に設けられた第１中断フラグ又は第２中断フラグをオン状態とする（Ｓ８１４）。
【０２６５】
第１中断フラグは、上述のように第１特別図柄プロセス処理のうちの一部の処理が一旦中断されたときにオン状態となり、中断が終了したときにオフ状態となるフラグである。第２中断フラグは、上述のように第２特別図柄プロセス処理のうちの一部の処理が一旦中断されたときにオン状態となり、中断が終了したときにオフ状態となるフラグである。演出制御用ＣＰＵ１２０は、第１中断指定コマンドを受信したときに第１中断フラグをオン状態とし、第２中断指定コマンドを受信したときに第２中断フラグをオン状態とする。
【０２６６】
第１中断指定コマンド又は第２中断指定コマンドのいずれも受信していない場合（Ｓ８１３；Ｎｏ）、又は、Ｓ８１４の後、演出制御用ＣＰＵ１２０は、主基板１１から伝送される第１再開指定コマンド又は第２再開指定コマンドのいずれかを受信したかを判定し（Ｓ８１５）、いずれかを受信した場合は（Ｓ８１５；Ｙｅｓ）、第１中断フラグ又は第２中断フラグをオフ状態とする（Ｓ８１６）。演出制御用ＣＰＵ１２０は、第１再開指定コマンドを受信したときに第１中断フラグをオフ状態とし、第２再開指定コマンドを受信したときに第２中断フラグをオフ状態とする。
【０２６７】
その後、演出制御用ＣＰＵ１２０は、Ｓ８１６で第１中断フラグをオフとしたかを判定し（Ｓ８１７）、第１中断フラグをオフ状態とした場合には（Ｓ８１７；Ｙｅｓ）、ＲＡＭ１２２の所定領域に設けられた中断タイマのタイマ値が「０」でないかを判定する（Ｓ８１８）。Ｓ８１７の判定について、例えば、Ｓ８１６で第１中断フラグをオフ状態した場合には、ＲＡＭ１２２の所定領域に設けた所定フラグをオン状態とし、Ｓ８１７の判定では、当該所定フラグがオン状態であるか否かを判定することで、Ｓ８１６で第１中断フラグをオフとしたかを判定すればよい。中断タイマは、第１特図ゲームの実行中において、第２特図ゲームで「大当り」が発生したときの、第１特図ゲームの中断期間を計測するタイマである。第１中断フラグをオフとした場合（Ｓ８１７；Ｙｅｓ）に、中断タイマのタイマ値が「０」でなかった場合には（Ｓ８１１；Ｙｅｓ）、第１特図ゲームの中断が終了して当該第１特図ゲームが再開されたということである。この場合（Ｓ８１１；Ｙｅｓ）、ＲＡＭ１２２の所定領域に設けられた残り時間報知フラグがオン状態となっているかを判定する（Ｓ８１９）。残り時間報知フラグは、残り時間報知を実行しているときにオン状態となるフラグである。残り時間報知は、チャンス期間において、チャンス期間を報知するチャンス期間演出とともに実行されるものであり、チャンス期間が少なくとも終了しない期間を当該チャンス期間の残り時間として報知する演出である（図５８等）。残り時間報知により報知される時間が「０」になったときは、チャンス期間終了（高確高ベース状態の終了）の危機感を煽る特定演出が実行されるので、残り時間報知で報知される残り時間は、特定演出が実行されるまでの残り時間でもある。チャンス期間は、特定演出の終了とともに終了する。特定演出は、第１特図ゲームの可変表示結果が「大当り」となるときには必ず実行されるので、高確高ベース状態で第１特図ゲームの可変表示結果が「５Ｒ通常」の「大当り」となった場合には、一旦チャンス期間は終了し、大当り遊技状態後に再度チャンス期間が到来する（確変検出領域４０への遊技球の進入があった場合）。
【０２６８】
なお、Ｓ８１５とＳ８１６とを、第１再開指定コマンド及び第１中断フラグについての処理のステップと、第２再開指定コマンド及び第２中断フラグについての処理のステップと、で分けてもよい。例えば、第２再開指定コマンドの受信の有無を判定し、受信有りの場合には、第２中断フラグをオフ状態とする。第２再開指定コマンド受信無しの場合は、第１再開指定コマンドの受信の有無を判定し、受信有りの場合には、第１中断フラグをオフ状態として、Ｓ８１８以下の処理をしてもよい。第２中断フラグをオフ状態としたり、第１再開指定コマンドの受信無しと判定した場合には、Ｓ８２３の処理に進めばよい。
【０２６９】
残り時間報知フラグがオン状態のときには（Ｓ８１９；Ｙｅｓ）、上述のように、残り時間報知で報知される残り時間の延長（延長報知）のため（後述のＳ８６９）、又は、特定演出の実行期間の拡大のため（後述のＳ３７２）に、中断タイマ値が示す期間（中断時間）を延長時間（中断）及び延長時間（合計）それぞれに加算する（Ｓ８２０）。
【０２７０】
残り時間報知で報知される残り時間を延長する延長報知が１回以上実行されることがある。延長時間（合計）は、延長報知で延長可能な時間の合計時間である。延長報知では、合計時間のうちの少なくとも一部の時間で延長が行なわれる。延長可能な時間（延長時間（合計））は、特定演出の開始タイミングまでの時間−残り時間報知で報知する残り時間により算出できる。延長時間（合計）は、延長時間（保留）と、延長時間（中断）と、の合計時間からなる。延長時間（保留）は、保留されている第１特図ゲームの実行時間（第１特図変動時間）等から算出される延長時間である。また、特定演出の開始タイミングは、第１特図ゲームの実行が中断されると、その分、後のタイミングとなる（つまり、中断時間分、残り時間報知で報知される残り時間は延長され得る。）。延長時間（中断）は、この第１特図ゲームの中断時間分の延長時間である。延長時間（合計）と、延長時間（保留）と、延長時間（中断）と、はＲＡＭ１２２の所定領域に格納されて適宜更新される。特定演出の実行期間も、延長時間（中断）分、拡大されることがある。つまり、延長時間（中断）分の時間で、特定演出の実行期間が拡大されることがある。
【０２７１】
Ｓ８２０の後は、延長時間が加算されたことを示す加算フラグ（ＲＡＭ１２２の所定領域に設けられる。）をオン状態とする（Ｓ８２１）。
【０２７２】
残り時間報知フラグがオフ状態であるとき（Ｓ８１９；Ｎｏ）、又は、Ｓ８２１の後、中断タイマのタイマ値をリセットする（Ｓ８２２）。また、第１再開指定コマンド及び第２再開指定コマンドのいずれも受信していない場合（Ｓ８１５；Ｎｏ）、第１中断フラグをオフ状態としていないとき（Ｓ８１７；Ｎｏ）、中断タイマのタイマ値が「０」であったとき（Ｓ８１８；Ｎｏ）、又は、Ｓ８２２の後には、その他のコマンド解析処理が実行される（Ｓ８２３）。
【０２７３】
その他のコマンド解析処理では、例えば、図３５の表に示すような処理内容の処理を受信したコマンドに対して実行すればよい。表中、フラグをセットとは、フラグをオン状態にすることをいう。ステップ番号は、上記で説明した処理が実行されることを示す。始動入賞時コマンドバッファは、ＲＡＭ１２２の所定領域に設けられる。図３６に示すように、始動入賞時コマンドバッファには、第１始動入賞口への入賞時に主基板１１から送信されてくる始動入賞時の一セットのコマンド（図柄判定結果指定コマンド、変動パターン判定結果指定コマンド、第１特図保留記憶数指定コマンド、第１始動口入賞指定コマンド）が保留表示番号に対応付けられて格納される。当該一セットのコマンドは、始動入賞時コマンドバッファにおける空きエントリの先頭（最も少ない保留表示番号に対応する領域）にセットされることで記憶される。第１特図保留記憶部の保留番号と、始動入賞時コマンドバッファの保留表示番号とは互いに対応しており、同じ番号の保留番号と保留表示番号とにそれぞれ対応する保留データと一セットのコマンドとは、同じ第１特図ゲームについてのものとなっている。また、始動入賞時コマンドバッファには、各保留表示番号に対応して、大当り判定フラグと、特定演出フラグとが設けられる。大当り判定フラグは、対応する領域に格納された一セットのコマンドの図柄判定結果指定コマンドの判定結果が「大当り」である場合にオン状態にセットされるフラグである。特定演出フラグは、対応する一セットのコマンドの第１特図ゲームで特定演出（チャンス期間終了の危機感を煽る演出）を実行する場合にオン状態となるフラグである。図３６における「００００（Ｈ）」は、コマンドが格納されていないことを示す。
【０２７４】
次に演出制御プロセス処理について説明する。図３７は、演出制御プロセス処理の一例を示すフローチャートである。演出制御用ＣＰＵ１２０は、まず、チャンス期間演出フラグがオン状態であるか否かを判定する（Ｓ８５１）。チャンス期間演出フラグは、チャンス期間を報知するチャンス期間演出の実行中にオン状態になるフラグであり、ＲＡＭ１２２の所定領域に設けられる。
【０２７５】
チャンス期間演出フラグがオン状態である場合には（Ｓ８５１；Ｙｅｓ）、チャンス期間演出の実行中なので、チャンス期間演出の演出動作制御を行なう（Ｓ８５２）。演出制御用ＣＰＵ１２０は、チャンス期間演出の実行開始時に使用パターンとして設定された演出制御パターン（例えば、Ｓ３２０３参照）に従って、チャンス期間演出を実行するための演出動作制御を行なえばよい。演出制御プロセス処理を実行する毎に、Ｓ８５２を繰返し実行することで、チャンス期間演出（図５８等）の実行が実現される。
【０２７６】
なお、演出制御用ＣＰＵ１２０は、演出動作制御において、表示制御部１２３に表示制御指令を出力して画像表示装置５に演出画像を表示させること、音声制御基板１３に対する制御信号（効果音信号）の出力によりスピーカ８Ｌ、８Ｒから音声や効果音を出力させること、ランプ制御基板１４に対する制御信号（電飾信号）の出力により遊技効果ランプ９や装飾用ＬＥＤという発光体における点灯動作を行なわせること等をしてチャンス期間演出を実行するようにすればよい（他の演出についての演出動作制御についても同じ）。
【０２７７】
Ｓ８５２の後、演出制御用ＣＰＵ１２０は、残り時間報知フラグがオン状態であるか否かを判定する（Ｓ８５３）。残り時間報知フラグは、チャンス期間が少なくとも終了しない期間を当該チャンス期間の残り時間として報知する残り時間報知の実行中にオン状態となるフラグであり、ＲＡＭ１２２の所定領域に設けられる。
【０２７８】
残り時間報知フラグがオン状態である場合には（Ｓ８５３；Ｙｅｓ）、残り時間報知の実行中なので、残り時間報知の演出動作制御を行なう（Ｓ８６２）。演出制御用ＣＰＵ１２０は、残り時間報知の実行開始時に使用パターンとして設定された演出制御パターン（例えば、Ｓ８６１、Ｓ３２１３、Ｓ３２１３参照）に従って、残り時間報知を実行するための演出動作制御を行なえばよい。演出制御プロセス処理を実行する毎に、Ｓ８６２を繰返し実行することで、残り時間報知（図５８等）の実行が実現される。なお、残り時間報知の演出画像とチャンス期間演出の演出画像とは、異なるレイヤーに表示するようにして、重畳表示するとよい（同時に表示される他の演出の画像についても同様に、各演出の画像を表示する各レイヤーを重畳して各演出の画像を重畳表示すればよい）。
【０２７９】
Ｓ８６２の後、演出制御用ＣＰＵ１２０は、始動入賞時コマンドバッファに新たな受信コマンドが格納されたかを判定し（Ｓ８６３）、新たな受信コマンドがある場合（Ｓ８６３；Ｙｅｓ）、始動入賞時コマンドバッファの各特定期間フラグの中にオン状態のフラグがないかを判定し（Ｓ８６４Ａ）、オン状態のフラグが有れば（Ｓ８６４Ａ；Ｎｏ）、当該オン状態の特定期間フラグに対応する大当り判定フラグがオン状態であるかを判定する（ステップ８６４Ｂ）。オン状態であれば、特定演出が実行される可変表示（第１特図ゲームに対応する可変表示）において、「大当り」が発生する。大当り判定フラグがオン状態でなければ（つまり、当該可変表示の可変表示結果は「ハズレ」となる場合）（Ｓ８６４Ｂ；Ｎｏ）、ここの可変表示で特定演出を実行しなくてもよいので、特定演出を実行する可変表示を当該特定演出の実行予定だった可変表示よりも後に実行される可変表示に繰り下げるかを決定する（Ｓ８６５）。
【０２８０】
Ｓ８６５では、演出制御用ＣＰＵ１２０は、例えば、図３８の繰り下げ決定テーブルを参照して、特定演出を繰り下げるかを決定する。繰り下げ決定テーブルは、ＲＯＭ１２１に予め記憶されて用意される。繰り下げ決定テーブルは、乱数値ＳＲ１と比較される決定値が、繰り上げの「有り」（特定演出を繰り下げる）、「無し」（特定演出を繰り下げない）それぞれの決定結果に割当てられていればよい（図３８では、決定値ではなく、決定割合が示される）。演出制御用ＣＰＵ１２０は、乱数回路１２４またはＲＡＭ１２２の所定領域に設けられた演出用ランダムカウンタ等により更新される所定の乱数値ＳＲ１を示す数値データを抽出し、抽出した乱数値ＳＲ１の数値データに基づいて、繰り下げ決定テーブルを参照し、当該乱数値ＳＲ１に合致する決定値に割当てられている決定結果を今回の決定結果（繰り下げる又は繰り下げない）とする。
【０２８１】
Ｓ８６５の後、演出制御用ＣＰＵ１２０は、Ｓ８６５で特定演出を繰下げると決定したかを判定し（Ｓ８６６）、繰下げると判定した場合には（Ｓ８６６；Ｙｅｓ）、現在オン状態となっている特定演出フラグをオフ状態とし、当該オフ状態とした特定演出の１つ後の保留表示番号に対応する特定演出フラグをオン状態とすることで、特定演出フラグのオンを１つ繰り下げる（Ｓ８６７）。特定演出は、繰り下げ前に当該特定演出の実行を予定した可変表示の１つ後に実行される可変表示で実行される予定となる（図６４参照）。
【０２８２】
特定演出を繰り下げた場合、特定演出の実行開始タイミングがずれるので、ずれた分の時間を延長時間（保留）及び延長時間（全体）に加算する（Ｓ８６８）。特定演出は、例えば、第１特図ゲームの終了タイミング前の固定期間（例えば、可変表示の導出タイミングを終了タイミングとして遡る１０秒間等）で実行される（後述のように拡張されることはある。）。Ｓ８６８では、新たに受信したコマンドに含まれる変動パターン判定結果指定コマンドの判定結果の変動パターンにより指定される第１特図変動時間を前記ずれた分の時間とすればよい。なお、複数回の第１特図ゲームの実行に第１特図変動時間以外の他の時間（例えば、第１特図ゲーム終了から次の第１特図ゲーム開始までの時間等）を要する場合には、第１特図変動時間に当該他の時間を足した時間を前記ずれた分の時間とすればよい（特図変動時間に前記他の時間を考慮してもよいことは以下でも同じである）。
【０２８３】
新たな受信コマンドがない場合（Ｓ８６３；Ｎｏ）、オンの特定期間フラグが無かった場合（Ｓ８６４Ａ；Ｙｅｓ）、大当り判定フラグがオン状態であった場合（Ｓ８６４Ｂ；Ｙｅｓ）、繰り下げがない場合（Ｓ８６６；Ｎｏ）、又は、Ｓ８６８の後には、残り時間延長処理が実行される（Ｓ８６９）。
【０２８４】
図３９は、Ｓ８６９で実行される延長報知処理の一例を示すフローチャートである。演出制御用ＣＰＵ１２０は、まず、延長報知のタイミングが到来したか否かを判定する（Ｓ８８１）。延長報知のタイミングは、図３９に示すように予め定められていればよい。
【０２８５】
延長報知のタイミングは、（１）残り時間報知の開始タイミングから所定秒ごとのタイミング（例えば、残り時間報知の開始から計測開始する所定のタイマ（ＲＡＭ１２２の所定領域に設けられる）により当該タイミングを特定すればよい。）（２）加算フラグがオンとなったとき（３）残り時間報知（カウントダウンのように、報知される残り時間は徐々に減っていくように報知される。）により報知している残り時間が「０秒」になったタイミングであって、延長時間（保留）が「０秒」でないときのいずれかであればよい。上記（１）〜（３）の少なくともいずれかを当該タイミングとして採用しなくてもよい。
【０２８６】
延長報知タイミングが到来している場合（Ｓ８８１；Ｙｅｓ）、延長時間（合計）が「０秒」でないかを判定し（Ｓ８８２）、「０秒」でない場合には（Ｓ８８２；Ｙｅｓ）、延長する時間があるということなる。この場合、まず、実行中の可変表示（第１特図ゲーム）の変動パターンが長期変動の変動パターンＰＡ４−３又はＰＡ５−３であるか否かを判定し（Ｓ８８３）、長期変動の変動パターンでない場合（Ｓ８８３；Ｎｏ）、保留されている可変表示（第１特図ゲーム）に、長期変動の変動パターンＰＡ４−３又はＰＡ５−３の可変表示が含まれるか否かを判定する（Ｓ８８４）。例えば、演出制御用ＣＰＵ１２０は、始動入賞時コマンドバッファに格納されている変動パターン判定結果指定コマンドを全てチェックし、当該コマンドの判定結果の変動パターンに変動パターンＰＡ４−３又はＰＡ５−３があるか否かを判定すればよい。なお、Ｓ８８２及びＳ８８３のうちのいずれかのみを実行してもよい。
【０２８７】
保留されている可変表示に、長期変動の可変表示が含まれない場合（Ｓ８８４；Ｎｏ）、比較的長い時間を延長時間（延長する時間）とする長期延長報知の演出動作制御を実行する（Ｓ８８５）。また、実行中の可変表示の変動パターンが長期変動である場合（Ｓ８８３；Ｙｅｓ）又は保留されている可変表示に、長期変動の可変表示が含まれる場合（Ｓ８８４；Ｙｅｓ）、比較的短い時間を延長時間（延長する時間）とする短期延長報知の演出動作制御を実行する（Ｓ８８６）。
【０２８８】
Ｓ８８５では、図４０（Ａ）に示す長期演出決定テーブルを参照して、延長する時間（延長時間）を決定し、決定した延長時間分、残り時間報知で報知されている残り時間を増加させる延長報知（図５９参照）をする演出動作制御を行なう。長期演出決定テーブルは、ＲＯＭ１２１に予め記憶され、乱数値ＳＲ２と比較される決定値が、延長する時間（決定結果）それぞれに割当てられていればよい（図４０（Ａ）では、決定値ではなく、決定割合が示される）。演出制御用ＣＰＵ１２０は、乱数回路１２４またはＲＡＭ１２２の所定領域に設けられた演出用ランダムカウンタ等により更新される所定の乱数値ＳＲ２を示す数値データを抽出し、抽出した乱数値ＳＲ２に基づき、長期演出決定テーブルを参照し、当該乱数値ＳＲ２に合致する決定値に割当てられた時間を今回延長する時間とする。
【０２８９】
Ｓ８８６では、図４０（Ｂ）に示す短期演出決定テーブルを参照して、延長する時間（延長時間）を決定し、決定した延長時間分、残り時間報知で報知されている残り時間を増加させる延長報知（図５９参照）を実行する演出動作制御を行なう。短期演出決定テーブルは、ＲＯＭ１２１に予め記憶されており、乱数値ＳＲ２と比較される決定値が、延長する時間（決定結果）それぞれに割当てられていればよい（図４０（Ｂ）では、決定値ではなく、決定割合が示される）。演出制御用ＣＰＵ１２０は、乱数回路１２４またはＲＡＭ１２２の所定領域に設けられた演出用ランダムカウンタ等により更新される所定の乱数値ＳＲ２を示す数値データを抽出し、抽出した乱数値ＳＲ２の数値データに基づいて、短期演出決定テーブルを参照し、当該乱数値ＳＲ２に合致する決定値に割当てられている時間を今回延長する時間とする。なお、延長時間（合計）が、前記で決定された延長時間よりも短い場合には、延長時間（合計）を実際の延長時間とする。延長時間（合計）が「０」であれば、延長時間は０秒とする（延長報知を実行しなくてもよい。）。
【０２９０】
図４０からも明らかなように、短期延長報知は、長期延長報知よりも比較的短い時間で延長が行なわれる。Ｓ８８５の後、Ｓ８８６の後、演出制御用ＣＰＵ１２０は、延長した時間を延長時間（合計）等から減算する（Ｓ８８７）。Ｓ８８７では、今回到来した延長報知タイミングが上記（１）〜（３）のいずれであるかに応じて減算を行なう。上記（１）及び（３）のときには、当該延長報知は、延長時間（保留）を延長時間に用いるので、延長時間（合計）から延長した時間を減算する他、延長時間（保留）から優先して延長した時間を減算する（延長時間（保留）が「０」になったときに、延長時間（中断）を減算する。なお、延長報知を実行したときに第１特図ゲームが実行されており特定演出を実行する予定であれば、後で特定演出の実行時間で調整がされるため延長時間（中断）を減算しなくてもよい）。上記（２）のときには、当該延長報知は、延長時間（中断）が増えたことにより実行されるので、延長時間（合計）から延長した時間を減算する他、延長時間（中断）から優先して延長した時間を減算する（延長時間（中断）が「０」になったときに、延長時間（保留）を減算する。）。このとき、加算フラグをオフ状態にリセットする。
【０２９１】
延長報知タイミングが到来していない場合（Ｓ８８１；Ｎｏ）、延長時間（合計）が「０秒」の場合（Ｓ８８２；Ｎｏ）、Ｓ８８７の後は、延長報知処理が終了する。
【０２９２】
残り時間報知フラグがオフ状態のときは（Ｓ８５３；Ｎｏ）、始動入賞時コマンドバッファに新たな受信コマンドが格納され、かつ、オン状態の特定演出フラグが無いかを判定し（Ｓ８５４）、新たな受信コマンドがあるであって、オン状態の特定演出フラグが無い場合（Ｓ８５４；Ｙｅｓ）、特定演出の実行をするため、当該新たな受信コマンドに対応する特定演出フラグをオン状態とする（Ｓ８５６）。その後、残り時間報知フラグをオン状態とし（Ｓ８５７）、特定演出を実行するまでに期間を算出する（Ｓ８５８）。特定演出を実行するまでの期間は、始動入賞時コマンドバッファに格納されている変動パターン判定結果指定コマンドの変動パターンにより指定される第１特図変動時間等から算出すればよい（特定演出の実行期間が可変表示の最後の所定期間と決まっているので、算出がし易くなっている。例えば、第１特図変動時間の合計−前記所定期間の値等）。
【０２９３】
続いて、演出制御用ＣＰＵ１２０は、残り時間報知において報知する残り時間の初期値を設定する（Ｓ８５９）。初期値は、Ｓ８５８で算出した特定演出を実行するまでに期間に基づいて設定すればよい（例えば、特定演出を実行するまでの期間−１分等）。次に、前記特定演出を実行するまでに期間から前記初期値を減算した秒数を延長時間（保留）及び延長時間（全体）に加算（設定）する（Ｓ８６０）。これにより、延長報知により延長される時間の初期値が設定される。そして、残り時間報知の開始設定を行なう（Ｓ８６１）。例えば、前記初期値から残り時間を減じていく残り時間報知を実行する演出制御パターン等を使用パターンとして設定する処理等を行なう。
【０２９４】
チャンス演出フラグがオフの場合（Ｓ８５１；Ｎｏ）、始動入賞時コマンドバッファに新たな受信コマンドが格納されておらず、又は、オン状態の特定演出フラグが無い場合（Ｓ８５４；Ｎｏ）、Ｓ８６１、Ｓ８６９の後は、第１演出制御プロセス処理（Ｓ８８１）及び第２演出制御プロセス処理（Ｓ８８２）を実行して演出制御処理を終了する。
【０２９５】
図４１は、第１演出制御プロセス処理の一例を示すフローチャートである。図４１に示す第１演出制御プロセス処理では、演出制御用ＣＰＵ１２０は、まず、第１中断フラグがオン状態であるか否かを判定する（Ｓ３０１）。第１中断フラグがオン状態である場合には、上述のように第１特別図柄プロセス処理のうちの一部の処理が一旦中断されているため、中断の旨を表示する表示動作制御を行ない（Ｓ３０２）、第１演出プロセスフラグの値が「２」であるかを判定し（Ｓ３０３）、「２」である場合（Ｓ３０３；Ｙｅｓ）、つまり、当該中断が、第１特図ゲームの実行中での中断である場合、中断期間を計測するために中断タイマのタイマ値を１増やして（Ｓ３０４）、本処理を終了する。「２」でない場合（Ｓ３０３；Ｎｏ）も本処理を終了する。
【０２９６】
Ｓ３０２では、例えば、演出制御用ＣＰＵ１２０は、表示制御部１２３のＶＤＰ等に対して所定の表示制御指令を伝送させる表示動作制御を行なって「中断中」の画像を表示する（図６１参照）。
【０２９７】
演出制御用ＣＰＵ１２０は、第１中断フラグがオフ状態である場合（Ｓ３０１；Ｎｏ）、ＲＡＭ１２２の所定領域に設けられた第１演出プロセスフラグの値（最初は、「０」である。）に応じて、以下のＳ３７０〜Ｓ３７５の処理のいずれかを選択して実行する。
【０２９８】
次に、低確低ベース状態における演出モードについて説明する。低確低ベース状態では、第１演出モードと第２演出モードとのいずれかの演出モードに制御される。図４２は、第１演出モードと第２演出モードとのそれぞれの開始条件、終了条件、および、演出態様を説明する図である。
【０２９９】
図４２に示すように、第２演出モードは、「５Ｒ短期」の大当り遊技状態の終了後の低確低ベース状態の開始時において開始され、ハズレ表示結果となる特別図柄の変動表示が所定回数（１００回）実行されたとき、または、次回の大当りが発生したときに終了する。第１演出モードは、電源投入時、または、第２演出モードによるハズレ表示結果となる特別図柄の変動表示が所定回数（１００回）実行終了時に開始され、次回の大当りが発生したときに終了する。
【０３００】
第２演出モードは、図５６の（１１）〜（１７）に示すような、飾り図柄（「左」，「中」，「右」の飾り図柄表示エリア５Ｌ，５Ｃ，５Ｒで表示する通常の飾り図柄）、第２演出モードキャラクタ９４、および、小図柄（「左」，「中」，「右」の小図柄表示エリア９１、９２、９３で表示する縮小された飾り図柄であり、特殊識別情報とも呼ばれる。）を使用する演出がされる演出モードである。第２演出モードにおいては、特徴的な演出として、変動開始時に飾り図柄を視認不可能とした状態で小図柄を変動表示した後、飾り図柄の一部を視認容易化して仮停止させるとともに、対応する小図柄を消去し、仮停止した飾り図柄に第２演出モードキャラクタが作用することに応じて、飾り図柄が滑って別の飾り図柄（たとえば、次の図柄配列順番の図柄）が停止（最終停止）する「滑り演出」がされることにより、仮停止した飾り図柄を別の飾り図柄に変更する変更演出が実行される場合がある。
【０３０１】
第１演出モードは、図５６の（１）〜（８）に示すように、第２演出モードキャラクタ９４、および、小図柄を使用せず、飾り図柄を変動開始から計測して変動表示させる演出がされる演出モードである。
【０３０２】
なお、第２演出モードは、「５Ｒ短期」の大当り遊技状態の終了後の低確低ベース状態の開始時において、第１演出モードと第２演出モードとのうち、どちらの演出モードにするかを乱数等を用いて抽選により選択決定し、第２演出モードとする決定がされたときに実行されるようにしてもよい。また、前述した第２演出モードに関する演出制御については、低確低ベース状態以外に、高確高ベース状態、確変状態、時短状態、潜伏演出状態（確変状態であるか否かを報知しない制御をすることにより確変状態が潜伏しているように遊技者に思わせる演出がされる状態）、先読み演出状態（保留記憶情報を実際の変動表示実行前に先読みし、大当り予告演出等の演出がされる状態）等のその他の状態において実行するようにしてもよい。また、演出モードは、たとえば、「５Ｒ短期」の大当り遊技状態の終了直後は、第１演出モードに制御され、その後、第１演出モード→第２演出モード→第１演出モード→第２演出モードというような移行パターンにより、変動表示が所定回数実行されるごとに移行させてもよい。また、演出モードは、たとえば、低確低ベース状態において、所定期間ごと（たとえば、変動表示が所定回数実行されるごと）に演出モードを抽選により選択決定することに基づき実行してもよい。
【０３０３】
次に、第２演出モードに用いられるキャラクタおよび変更演出の演出態様を選択するために用いるデータテーブルを説明する。図４３は、第２演出モードキャラクタ選択テーブルおよび変更演出選択テーブルを示す説明図である。第２演出モードキャラクタ選択テーブルは、第２演出モードキャラクタの種類を選択するために用いるデータテーブルである。変更演出選択テーブルは、変更演出を実行するか否かを選択するために用いるデータテーブルである。
【０３０４】
図４３の第２演出モードキャラクタ選択テーブルには、今回の特別図柄の変動表示結果が大当り表示結果となる大当り時に用いる図４３（Ａ）の大当り時第２演出モードキャラクタ選択テーブルと、今回の特別図柄の変動表示結果がハズレ表示結果となるハズレ時に用いる図４３（Ｂ）のハズレ時第２演出モードキャラクタ選択テーブルとが含まれる。
【０３０５】
図４３の変更演出選択テーブルには、今回の特別図柄の変動表示結果が大当り表示結果となる大当り時に用いられる図４３（Ｃ）の大当り時変更演出選択テーブルと、今回の特別図柄の変動表示結果がハズレ表示結果となるハズレ時に用いられる図４３（Ｄ）のハズレ時変更演出選択テーブルとが含まれている。
【０３０６】
図４３の第２演出モードキャラクタ選択テーブルおよび変更演出選択テーブルは、演出制御基板１２に設けられたＲＯＭ１２１に記憶されている。
【０３０７】
図４３（Ａ），（Ｂ）の第２演出モードキャラクタ選択テーブルに示すように、演出制御用ＣＰＵ１２０により更新される乱数の１つとしてのキャラクタ種類選択用の乱数ＳＲ２（０〜９９の数値範囲）の値が、第１キャラクタ、第２キャラクタ、および、第３キャラクタを含む複数種類の第２演出モードキャラクタに割振られている。ＳＲ２については、説明を明確化するため、割振られた乱数値の個数が示されている。図４３（Ａ）の大当り時第２演出モードキャラクタ選択テーブルでは、所定のタイミングで抽出したＳＲ２の値によって、第１キャラクタ＜第２キャラクタ＜第３キャラクタというように、予め定められた割合の高低順位でキャラクタが選択される割合が設定されている。また、図４３（Ｂ）のハズレ時第２演出モードキャラクタ選択テーブルでは、所定のタイミングで抽出したＳＲ２の値によって、第１キャラクタ＞第２キャラクタ＞第３キャラクタという関係で、大当り時と逆の割合の順位でキャラクタが選択される割合の高低が設定されている。
【０３０８】
このような図４３（Ａ），（Ｂ）でのデータの設定により、第３キャラクタ＞第２キャラクタ＞第１キャラクタという関係で、遊技者の大当り発生への期待感を高めることができる。これにより、第２演出モードにおいては、第２演出モードで表示されるキャラクタの種類により、遊技者の大当り発生への期待感を高めることができる。
【０３０９】
図４３（Ｃ），（Ｄ）の変更演出選択テーブルでは、演出制御用ＣＰＵ１２０により更新される乱数の１つとしての演出選択用の乱数ＳＲ３（０〜５９の数値範囲）の値が、変更演出としてのすべり演出を実行しない決定と、変更演出としてのすべり演出を実行する決定とに割振られている。ＳＲ３については、説明を明確化するために、割振られた乱数値の個数が示されている。図４３（Ｃ）の大当り時変更演出選択テーブルでは、所定のタイミングで抽出したＳＲ３の値によって、滑り演出を実行する＞滑り演出を実行しない、という関係となるように、滑り演出を実行する場合が選択される割合が高くなるようにデータが設定されている。また、図４３（Ｄ）のハズレ時変更演出選択テーブルでは、所定のタイミングで抽出したＳＲ３の値によって、滑り演出を実行する＜滑り演出を実行しない、という関係となるように、滑り演出を実行しない場合が選択される割合が高くなるようにデータが設定されている。
【０３１０】
このような図４３（Ｃ），（Ｄ）でのデータの設定により、第２演出モードにおいて、今回の特別図柄の変動表示結果が大当り表示結果となるときには、ハズレ表示結果となるときと比べて、滑り演出による変更演出を実行すると判定する割合が高くなる。これにより、第２演出モードにおいて、滑り演出による変更演出が実行されたときに、遊技者の大当り発生への期待感を高めることができる。
【０３１１】
図４３（Ｃ），（Ｄ）の変更演出選択テーブルを用いて変更演出を実行することが決定されたときにおいては、図４３（Ａ），（Ｂ）の第２演出モードキャラクタ選択テーブルを用いて選択されたキャラクタが、図５２（１４）に示すように、滑り演出をする飾り図柄に作用する表示態様で変更演出に用いられる。したがって、同じ滑り演出をする場合であっても、第１キャラクタ〜第３キャラクタという複数種類のキャラクタが作用することに基づき滑り演出が実行されるので、変更演出として複数種類の変更演出から選択された演出が実行されるため、変更演出のバリエーションが増え、遊技の興趣を向上できる。
【０３１２】
なお、第２演出モードキャラクタの選択および変更演出の選択については、当該可変表示の表示結果が大当りとなるか否かに応じて選択割合を異ならせることに代えて、または、これに加えて、当該可変表示がリーチ状態となるか否かに応じて選択割合を異ならせてもよい。第２演出モードキャラクタの選択および変更演出の選択については、大当りの種類に応じて選択割合を異ならせてもよい。また、第２演出モードキャラクタの選択、および、変動表示演出の選択については、保留記憶情報を先読み（保留記憶情報に基づく変動実行前に読出す）し、大当りとなる保留記憶情報が含まれているか否かに応じて、結果に基き選択割合を異ならせてもよい。
【０３１３】
図４１におけるＳ３７０の第１可変表示開始待ち処理は、第１演出プロセスフラグの値が「０」のときに実行される処理である。この第１可変表示開始待ち処理は、主基板１１からの第１変動開始指定コマンド等を受信したか否かに基づき、画像表示装置５における飾り図柄の可変表示を開始するか否かを判定する処理等を含んでいる。第１変動開始指定コマンド等を受信し、画像表示装置５における飾り図柄の可変表示を開始すると判定した場合には、第１演出プロセスフラグの値が「１」に更新される。
【０３１４】
Ｓ３７１の第１可変表示開始設定処理は、第１演出プロセスフラグの値が「１」のときに実行される処理である。図４４は、第１可変表示開始設定処理として、図４１のＳ３７１で実行される処理の一例を示すフローチャートである。図４４に示す第１可変表示開始設定処理において、演出制御用ＣＰＵ１２０は、まず、第２演出モードに関する設定をすることが可能なモード演出設定処理を実行する（Ｓ３０２０）。
【０３１５】
図４５は、モード演出設定処理（Ｓ３０２０）の一例を示すフローチャートである。モード演出設定処理において演出制御用ＣＰＵ１２０は、以下の処理をする。
【０３１６】
まず、第２演出モードであるときにセットされるフラグとしての低確率第２演出モードフラグがセットされているか否かを判定する（Ｓ３０１１）。低確率第２演出モードフラグは、第１エンディング処理（図４１のＳ３７５）、および、第２エンディング処理（図５１のＳ４７５）でセットされ、第２演出モードであることが示される。低確率第２演出モードフラグがセットされていないときは、処理を終了する。一方、低確率第２演出モードフラグがセットされているときは、主基板１１から伝送された表示結果指定コマンド等に基づき、第１特図表示結果が「大当り」となるか否かを判定する（Ｓ３０１２）。
【０３１７】
Ｓ３０１２で大当りとなると判定されたときは、乱数ＳＲ２を抽出し、図４３（Ａ）の大当り時第２演出モードキャラクタ選択テーブルを用いて、第２モード演出に用いるキャラクタを選択決定する（Ｓ３０１３）。次に、乱数ＳＲ３を抽出し、図４３（Ｃ）の大当り時変更演出選択テーブルを用いて、滑り演出をする変更演出を実行するか否か（有無）を選択決定し（Ｓ３０１４）、Ｓ３０１７に進む。
【０３１８】
一方、Ｓ３０１２で大当りとならない（ハズレとなる）と判定されたときは、乱数ＳＲ２を抽出し、図４３（Ｂ）のハズレ大当り時第２演出モードキャラクタ選択テーブルを用いて、第２モード演出に用いるキャラクタを選択決定する（Ｓ３０１５）。次に、乱数ＳＲ３を抽出し、図４３（Ｄ）のハズレ時変更演出選択テーブルを用いて、滑り演出をする変更演出を実行するか否か（有無）を選択決定し（Ｓ３０１６）、Ｓ３０１７に進む。
【０３１９】
Ｓ３０１７では、Ｓ３０１３，Ｓ３０１４またはＳ３０１５，Ｓ３０１６により選択されたキャラクタに関する情報、および、滑り演出（変更演出）に関する情報に基づいて、選択された演出を実行するために、どの種類のキャラクタを変動開始時に飾り図柄を視認不可能とした態様で表示するかの設定、および、滑り演出をする設定または滑り演出をしない設定等の第２演出モードでの演出内容を設定する。このように、第２演出モードという所定状態であるときに、飾り図柄を視認不可能とする演出が実行され、第１演出モードというような所定状態以外の状態では飾り図柄を視認不可能とする演出が実行されない。これにより、第２演出モードとなっているか否かに応じて実行される演出が異なり、遊技の興趣を向上させることができる。なお、第１演出モード中の演出についても、第２演出モード中の演出と異なる態様で、飾り図柄を視認不可能（視認困難でもよい）とする演出を実行するようにしてもよい。たとえば、第１演出モード中においては、飾り図柄を視認容易な態様で変動表示を開始させた後、所謂ブラックアウト演出のように表示画面が暗くなって飾り図柄が視認不可能（または視認困難）となるような演出等の演出）をし、その後の変動表示の途中から図５６（１１）以降に示すような変動表示を実行する演出をしてもよい。
【０３２０】
また、Ｓ３０１７では、滑り演出を実行するときには、滑り演出による変更前の図柄をどの図柄にするかの設定（可変表示結果となる図柄の１図柄手前の配列の図柄に設定する）、滑り演出による変更前の図柄にどの種類のキャラクタが作用するかの設定、および、滑り演出による変更後の図柄を導出の図柄にするかの設定（可変表示結果となる図柄に設定する）もされる。
【０３２１】
次に、第２演出モードの継続期間を計数する計数手段としての第２演出モード期間カウンタを「１」減算する処理をする（Ｓ３０１８）。第２演出モード期間カウンタは、第２演出モードの継続期間を規定する情報として、「５Ｒ短期」の大当り遊技状態終了後の低確低ベース状態でのハズレ表示結果となる特別図柄の変動表示回数を計数する計数手段であり、第１エンディング処理（図４１のＳ３７５）、および、第２エンディング処理（図５１のＳ４７５）において、所定回数（１００回）にセットされる。第２演出モード期間カウンタは、低確低ベース状態で、第１特別図柄および第２特別図柄のそれぞれの可変表示が１回実行されるごとに、１ずつ減算される。
【０３２２】
次に、第２演出モード期間カウンタの値が「０」となったか否かを確認することにより、第２演出モードの期間が終了したか否かを判定する（Ｓ３０１９）。第２演出モードの期間が終了していないと判定したときは、処理を終了する。一方、第２演出モードの期間が終了したと判定したときは、低確率第２演出モードフラグをリセットし（Ｓ３０２０）、処理を終了する。なお、第２演出モードは、次回の大当りが発生したときにも終了するため、低確率第２演出モードフラグは、第２演出モードで大当りが発生したときの第１大当り処理（図４１のＳ３７４）、および、第２大当り処理（図５１のＳ４７４）においてもリセットされる。
【０３２３】
次に、図４１に戻り、主基板１１から伝送された表示結果指定コマンド等に基づいて、第１特図表示結果が「ハズレ」となるか否かを判定する（Ｓ３０２１）。第１特図表示結果が「ハズレ」となる旨の判定がなされたときには（Ｓ３０２１；Ｙｅｓ）、主基板１１から伝送された変動パターン指定コマンドにより指定された変動パターンが、飾り図柄の可変表示態様をリーチ態様としない「非リーチ」の場合に対応した非リーチ変動パターン（ＰＡ１−１）であるか否かを判定する（Ｓ３０２２）。
【０３２４】
非リーチ変動パターンである場合は（Ｓ３０２２；Ｙｅｓ）、非リーチ組合せを構成する最終停止図柄となる確定飾り図柄の組合せを決定する（Ｓ３０２３）。例えば、最終停止図柄として、「６  ８  ５」の確定飾り図柄の組合せを決定する。なお、最終停止図柄は、乱数値とテーブルを用いてランダム決定してもよい。但し、「７」は、後で、特定の最終停止図柄（特定の大当り図柄）に使用されるので、使用しないようにするとよい。
【０３２５】
Ｓ３０２２で非リーチ変動パターンではないと判定された場合には（Ｓ３０２２；Ｎｏ）、リーチ組合せを構成する最終停止図柄となる確定飾り図柄の組合せを決定する（Ｓ３０２４）。例えば、最終停止図柄として、「６  ８  ６」の確定飾り図柄の組合せを決定する。なお、最終停止図柄は、乱数値とテーブルを用いてランダム決定するようにしもよい。但し、「７」は、後で、特定の最終停止図柄（特定の大当り図柄）に使用されるので、使用しないようにするとよい。
【０３２６】
Ｓ３０２１で第１特図表示結果が「ハズレ」ではないと判定されたときには（Ｓ３０２１；Ｎｏ）、大当り組合せを構成する最終停止図柄となる確定飾り図柄の組合せを決定する（Ｓ３０２７）。表示結果指定コマンドにより特定される大当り種別が「５Ｒ通常」であれば、「５  ５  ５」を確定飾り図柄の組合せとし、大当り種別が「５Ｒ短期」であれば、「６  ６  ６」を確定飾り図柄の組合せとする。なお、最終停止図柄は、乱数値とテーブルを用いてランダム決定するようにしもよい。但し、「７」は、後で、特定の最終停止図柄（特定の大当り図柄）に使用されるので、使用しないようにするとよい。
【０３２７】
Ｓ３０２３、Ｓ３０２４、Ｓ３０２７の処理のいずれかを実行した後には、第１演出制御パターン決定処理を実行する（Ｓ３０３０）。
【０３２８】
図４６は、第１演出制御パターン決定処理の一例を示すフローチャートである。図４６の第１演出制御パターン決定処理において、演出制御用ＣＰＵ１２０は、以下の処理をする。まず、始動入賞時コマンドバッファから保留表示番号「１」のデータ（コマンド及びフラグの状態）を読出す（Ｓ３１０１）。そして、保留表示番号「２」以下の各データ（コマンド及びフラグの状態）をそれぞれ１つ上位の保留表示番号にシフトさせる（保留表示番号「２」〜「５」それぞれのデータを保留表示番号「１」〜「４」それぞれにシフトさせる。）。
【０３２９】
その後、Ｓ３１０１で読出したデータのうち、特定演出フラグがオン状態になっているかを判定し（Ｓ３１０３）、オン状態のときには（Ｓ３１０３；Ｙｅｓ）、表示結果指定コマンドに基づいて第１特図表示結果が「大当り」であるかを判定し（Ｓ３１０４）、「大当り」であれば、表示結果指定コマンドに基づいて大当り種別が「５Ｒ通常」であるかを判定する（Ｓ３１０５）。「５Ｒ通常」である場合（Ｓ３１０５；Ｙｅｓ）、大当り遊技状態終了後にチャンス期間が再度到来することを報知する特定演出（図６０参照）を実行する設定を行なう（Ｓ３１０６）。「５Ｒ通常」でない場合（Ｓ３１０５；Ｎｏ）、大当り遊技状態終了後にチャンス期間が終了することを報知する特定演出（図６０参照）を実行する設定を行なう（Ｓ３１０７）。「大当り」でない場合（Ｓ３１０４；Ｎｏ）、再度チャンス期間が到来することを報知する特定演出（図６０参照）を実行する設定を行なう（Ｓ３１０８）。
【０３３０】
特定演出フラグがオフ状態のとき（Ｓ３１０３；Ｎｏ）、Ｓ３１０６〜Ｓ３１０８のいずれかの後、変動パターン指定コマンドにより指定された変動パターン、決定した最終停止図柄、特定演出を実行する設定の内容、低確低ベース時の演出モードの設定の内容（モード演出設定処理のＳ３０１７で設定された内容）等に応じた演出制御パターンを使用パターンとして設定する（Ｓ３１０９）。高確高ベース状態（チャンス期間中）のときの演出制御パターンは、飾り図柄が画像表示装置５の領域５Ａの左上等で、飾り図柄を小さく表示して可変表示を実行するパターンとなる（図５８等）。低確低ベース状態のときの演出制御パターンは、第２演出モードキャラクタおよび小図柄を用いず飾り図柄を可変表示を実行する第１演出モードの演出パターンと、第２演出モードキャラクタ、飾り図柄、および、小図柄を用いる可変表示を実行する第２演出モードとのいずれかとなる（図５６参照）。
【０３３１】
図４４に戻り、演出制御用ＣＰＵ１２０は、上記変動パターンに対応して、ＲＡＭ１２２の所定領域に設けられた第１演出制御プロセスタイマの初期値（変動パターンに対応する第１特図変動時間に応じた初期値）を設定する（Ｓ３０３１）。
【０３３２】
そして、画像表示装置５における飾り図柄等の変動を開始させるための設定を行なう（Ｓ３０３２）。このときには、例えばＳ３０３０で使用パターンとして設定された演出制御パターンに基づいて演出動作制御を開始すればよい。その後、第１演出プロセスフラグの値を「２」に更新してから（Ｓ３０３３）、第１可変表示開始設定処理を終了する。
【０３３３】
図４１に戻り、Ｓ３７２の第１可変表示中演出処理は、第１演出プロセスフラグの値が「２」のときに実行される処理である。図４７は、第１可変表示中演出処理として、図４１のＳ３７２で実行される処理の一例を示すフローチャートである。第１可変表示中演出処理において、演出制御用ＣＰＵ１２０は、まず、例えば第１演出制御プロセスタイマのタイマ値等に基づいて、今回の変動パターンに対応した可変表示時間（第１特図変動時間）が経過したか否かを判定する（Ｓ３０５１）。一例として、Ｓ３０５１の処理では、第１演出制御プロセスタイマのタイマ値を更新（例えば１減算）し、更新後の第１演出制御プロセスタイマのタイマ値に対応して第１演出制御パターンから終了コードが読出されたとき等に、可変表示時間（第１特図変動時間）が経過したと判定すればよい。
【０３３４】
Ｓ３０５１で可変表示時間が経過していない場合には（Ｓ３０５１；Ｎｏ）、残り時間報知により報知される残り時間が「０秒」になったかを判定し（Ｓ３０５２）、「０秒」になった場合には（Ｓ３０５２；Ｙｅｓ）、残り時間報知が終了し特定演出が実行されるので、残り時間報知フラグをオフ状態とし、ここから特定演出を開始する設定を行なう（例えば演出制御パターンを書き換える）（Ｓ３０５３）。
【０３３５】
「０秒」になった場合（Ｓ３０５２；Ｎｏ）、Ｓ３０５３の後、演出制御用ＣＰＵ１２０は、現在が特定演出の実行期間（開始タイミングを含む）であるかを判定し（Ｓ３０５４）（演出制御パターンにより特定すればよい。）、特定演出の実行期間であれば（Ｓ３０５４）、延長時間（中断）が「０」でないかを判定し（Ｓ３０５５）、延長時間（中断）が「０」でない場合（Ｓ３０５５；Ｙｅｓ）、特定演出の実行期間を延長時間（中断）の時間分だけ拡大し（Ｓ３０５６Ａ）、延長時間（中断）を「０秒」にリセットする（Ｓ３０５６Ｂ）。このような処理により、第１特図ゲームの実行中に第２特図ゲームが「大当り」となって第１特図ゲームが中断されたときに中断期間を特定演出の実行期間の拡大で対処することができる（特定演出の終了タイミングと第１特図ゲームの終了（確定飾り図柄の導出）タイミングとを合せることができる。）。
【０３３６】
延長時間（中断）が「０」である場合（Ｓ３０５５；Ｎｏ）、Ｓ３０５６Ｂの後、演出制御用ＣＰＵ１２０は、特定演出を実行するための特定演出動作制御を行ない（Ｓ３０５７）、現在が特定演出の終了タイミングであるかを判定し（Ｓ３０５８）、終了タイミングであれば（Ｓ３０５８；Ｙｅｓ）、チャンス期間演出を終了させるため、チャンス期間演出フラグをオフし（Ｓ３０５９）（チャンス期間演出を終了させる演出動作制御を行なってもよい。）、今回の可変表示結果の表示結果が「ハズレ」であるかを判定し（Ｓ３０６０）、「ハズレ」であれば（Ｓ３０６０；Ｙｅｓ）、チャンス期間（高確高ベース状態）は再度到来するので、ＲＡＭ１２２の所定領域に設けられた再到来フラグをオン状態とする（Ｓ３０６１）。
【０３３７】
特定演出の実行中に第１特図ゲームが中断されたときは、そもそも可変表示中演出が実行されないので（図４１）、実行されない期間分、特定演出の実行が中断される。なお、図４１の処理において、第１特図ゲームの中断中（Ｓ３０１；Ｎｏ）のときに、特定演出の実行中であるかを判定し（例えば、ＲＡＭ１２２の所定領域に特定演出実行中にオン状態となるフラグを設け、このフラグにより特定演出の実行中を判定すればよい。）、特定演出の実行中である場合には、ここで、特定演出の演出動作制御を行ない（演出制御パターンとして、例えば、延長用のパターン等を用意して使用し、特定演出を実行するようにすればよい。）、特定演出の実行が途切れなくてもよい。この処理により、特定演出実行中に第１特図ゲームが中断されても、特定演出の実行期間を拡大（延長）でき、特定演出の終了タイミングと第１特図ゲームの終了（確定飾り図柄の導出）タイミングとを合せることができる。
【０３３８】
なお、特定演出の実行（Ｓ３０５７）を、第１演出制御プロセス処理と並行して行なってもよい（例えば、図３７の処理において、第１演出制御プロセス処理の前又は後に実行する）。この場合には、Ｓ８１９で、チャンス期間演出フラグがオン状態であるか否かを判定してもよい（ここでは、第１特図ゲームが実行されていることが前提となるので、残り時間報知又は特定演出が実行中であるかの判定になる）。又は、残り時間報知フラグがオン状態であるか、又は、特定演出の実行中にオンとなるフラグ（ＲＡＭ１２２の所定領域に設ければよい。）がオン状態であるかを判定し、現在が残り時間報知又は特定演出が実行中であるかを判定してもよい。そして、現在が残り時間報知又は特定演出の実行中であると判定された場合に（Ｓ８１９；Ｙｅｓ）、Ｓ８２０以下の処理を行ない、現在が残り時間報知及び特定演出の実行中でないと判定された場合（Ｓ８１９；Ｎｏ）には、Ｓ８２２に進めばよい。また、特定演出の実行時には、Ｓ３０５５〜Ｓ３０５６Ｂと同様の処理等を行なって、特定演出の実行中に第１特図ゲームが中断されても、特定演出の実行期間を拡大（延長）して、特定演出の終了タイミングと第１特図ゲームの終了（確定飾り図柄の導出）タイミングとを合せてもよい。
【０３３９】
現在が特定演出実行期間でない場合（Ｓ３０５４；Ｎｏ）、特定演出の終了タイミングでない場合（Ｓ３０５８；Ｎｏ）、表示結果が「ハズレ」である場合（Ｓ３０６０；Ｎｏ）、Ｓ３０６１の後、その他の演出動作制御を行なって（Ｓ３０６２）、本処理を終了する。Ｓ３０５７やＳ３０６２等が繰返し実行されることで、飾り図柄の可変表示、リーチ演出、特定演出等の実行が実現される（図５５、図６０等）。
【０３４０】
Ｓ３０５１で可変表示時間が経過した場合には（Ｓ３０５１；Ｙｅｓ）、主基板１１から伝送される第１図柄確定指定コマンドの受信があったか否かを判定する（Ｓ３０６５）。このとき、第１図柄確定指定コマンドの受信がなければ（Ｓ３０６５；Ｎｏ）、第１可変表示中演出処理を終了して待機する。なお、可変表示時間が経過した後、第１図柄確定コマンドを受信することなく所定時間が経過した場合には、第１図柄確定コマンドを正常に受信できなかったことに対応して、所定のエラー処理が実行されてもよい。
【０３４１】
Ｓ３０６５で第１図柄確定コマンドの受信があった場合には（Ｓ３０６５；Ｙｅｓ）、可変表示結果が「５Ｒ通常」の「大当り」であるかを判定し（Ｓ３０６６）、「５Ｒ通常」の「大当り」であれば（Ｓ３０６６；Ｙｅｓ）、特定大当り図柄の導出条件を満たすか否かを判定する（Ｓ３０６７）。
【０３４２】
当該導出条件は、チャンス期間（高確高ベース状態）が長く継続しやすい条件であり（第１特図ゲームで長く「大当り」が発生しない条件であり）、例えば、（１）第１特図保留記憶数が「０」である場合（始動入賞時コマンドバッファにコマンドが格納されているかで判定すればよい。）、（２）第１特図ゲームの保留があるが、当該保留について大当り判定無し（始動入賞時コマンドバッファの大当り判定フラグがすべてオフになっていれば当該条件を満たす。）、（３）第１特図ゲームの保留があって大当り判定もあるが、大当りまでの特図変動時間が所定時間以上（ここでは１０分以上）（始動入賞時コマンドバッファにおいて、大当り判定フラグがオン状態になっている以前の保留表示番号に対応する変動パターン判定結果指定コマンドにより特定される変動パターンから大当りまでの特図変動時間を算出すればよい。例えば、各変動パターンの特図変動時間の合計が前記所定時間以上であれば、当該条件を満たす。）である（図４８参照）。なお、導出条件は、上記（１）〜（３）のいずれか１つ又は２つのみでもよい。また、導出条件は、上記（１）〜（３）以外の他の条件でもよい。上記「大当り」を、「５Ｒ短期」の「大当り」のみとしてもよい。
【０３４３】
上記いずれかの条件を満たす場合、チャンス期間（高確高ベース状態）が長く継続しやすいので、特定大当り図柄の導出条件を満たすと判定し（Ｓ３０６７；Ｙｅｓ）、特定大当り図柄（「７  ７  ７」）を最終停止図柄として、図柄を導出表示する制御をする（Ｓ３０６８）。これにより、到来するチャンス期間が長く継続しやすいことを報知できる。
【０３４４】
可変表示結果が「５Ｒ通常」の「大当り」でない場合（Ｓ３０６６；Ｎｏ）、特定大当り図柄の導出条件を満たさないと判定した場合（Ｓ３０６７；Ｎｏ）、予めＳ３７１で決定している図柄を最終停止図柄として、図柄を導出表示する制御を行なう（Ｓ３０６９）。
【０３４５】
例えば、演出制御用ＣＰＵ１２０は、表示制御部１２３のＶＤＰ等に対して所定の表示制御指令を伝送し、飾り図柄の可変表示で表示結果となる最終停止図柄（確定飾り図柄）を導出表示させる制御を行なうことで、図柄を導出表示する制御を行なう。この制御により、表示制御部１２３は、最終停止図柄を導出し、かつ当該最終停止図柄を所定時間表示し続ける処理をする図４８に最終停止図柄と、当該最終停止図柄の導出条件等を示す。
【０３４６】
Ｓ３０６８又はＳ３０６９の後、演出制御用ＣＰＵ１２０は、残り時間報知フラグがオン状態であるかを判定し（Ｓ３０７０）、オン状態である場合（Ｓ３０７０；Ｙｅｓ）、延長時間（中断）が「０秒」でないかを判定し（Ｓ３０７１）、「０秒」でない場合（Ｓ３０７１；Ｙｅｓ）、延長時間（中断）分の時間を残り時間報知で報知されている残り時間に上乗せする延長報知の演出動作制御を実行し（Ｓ３０７２）、延長時間（中断）を「０秒」にリセットする（Ｓ３０７３）。このような処理により、第１特図ゲームの中断期間を残り時間報知で報知される残り時間に上乗せ（延長）できる。
【０３４７】
残り時間報知フラグがオン状態でない場合（Ｓ３０７０；Ｎｏ）、延長時間（中断）が「０秒」でない場合（Ｓ３０７１；Ｎｏ）、Ｓ３０７３の後、第１当り開始指定コマンド受信待ち時間として予め定められた一定時間を第１演出制御プロセスタイマ（ＲＡＭ１２２の所定領域に設けられた別のタイマでもよい。）等に設定する（Ｓ３０７４）。そして、第１演出プロセスフラグの値を「３」に更新し（Ｓ３０７５）、第１可変表示中演出処理を終了する。
【０３４８】
図４１に戻り、Ｓ３７３の第１特図当り待ち処理は、第１演出プロセスフラグの値が「３」のときに実行される処理である。第１特図当り待ち処理で、演出制御用ＣＰＵ１２０は、主基板１１から伝送された第１当り開始指定コマンドの受信があったか否かを判定する。そして、第１当り開始指定コマンドを受信したきに演出プロセスフラグの値を「４」に更新して本処理を終了する。また、第１当り開始指定コマンドを受信せずに、第１演出制御プロセスタイマがタイムアウトしたときは（第１当り開始指定コマンド受信待ち時間が経過したときは）、第１特図ゲームの第１特図表示結果が「ハズレ」であったと判断し、第１演出プロセスフラグの値を初期値である「０」に更新して本処理を終了する。
【０３４９】
Ｓ３７３で、第１演出制御プロセスタイマがタイムアウトしたとき（第１特図ゲームにおける第１特図表示結果が「ハズレ」であるとき）には、図４９のフローチャートに示す処理を実行する。
【０３５０】
図４９のフローチャートで、演出制御用ＣＰＵ１２０は、以下の処理をする。まず、再到来フラグがオン状態であるかを判定し（Ｓ３２０１Ａ）、オン状態であれば（Ｓ３２０１Ａ；Ｙｅｓ）、再度チャンス期間が訪れるので、チャンス期間演出フラグをオン状態として、再到来フラグをオフ状態にリセットする（Ｓ３２０２Ａ）。その後チャンス期間演出の実行開始設定を行なう（Ｓ３２０３）。例えば、チャンス期間演出を実行するための演出制御パターンを使用パターンとして設定する。
【０３５１】
その後、第１特図ゲームの保留があるか否かを、始動入賞時コマンドバッファにコマンドが格納されているか否かで判定し（Ｓ３２０４）、保留がある場合には（Ｓ３２０４；Ｙｅｓ）、残り時間報知フラグをオン状態とし（Ｓ３２０５）、始動入賞時コマンドバッファにオン状態の大当り判定フラグがあるか否かを判定し（Ｓ３２０６）、ある場合には（Ｓ３２０６；Ｙｅｓ）、直近のオンの大当り判定フラグに対応する特定演出フラグをオン状態とする（Ｓ３２０７）。始動入賞時コマンドバッファにオン状態の大当り判定フラグがない場合には（Ｓ３２０６；Ｎｏ）、特定演出の実行対象の可変表示（保留されている可変表示）をランダムで特定し（Ｓ３２０８）（例えば、第１特図保留記憶数に応じたテーブルと乱数値等とを用いて決定すればよい。）、実行対象の可変表示（保留されている可変表示）に対応する特定演出フラグをオン状態とする（Ｓ３２０９）。
【０３５２】
Ｓ３２０７及びＳ３２０９の後、Ｓ３２１０〜Ｓ３２１３の処理（残り時間報知や延長報知を実行するための処理）を実行するが、これら処理は、Ｓ８５８〜Ｓ８６１と同じなので説明を省略する。ただし、Ｓ３２１３では、残り時間報知フラグをオン状態とする処理も行なう。再到来フラグがオフの場合（Ｓ３２０１Ａ；Ｎｏ）、第１特図の保留が無い場合（Ｓ３２０４；Ｎｏ）、本処理は終了する。このような処理により、特定演出や残り時間報知を実行するための設定が行なわれる。
【０３５３】
図４１に戻り、Ｓ３７４の第１大当り処理は、演出プロセスフラグの値が「４」のときに実行される処理である。この処理において、演出制御用ＣＰＵ１２０は、例えば、大当り遊技状態における演出内容に対応した演出制御パターン等を設定して、当該設定した演出パターンで演出動作制御を行ない、また、例えば主基板１１からの第１当り終了指定コマンドを受信したことに対応して、第１演出制御プロセスフラグの値を第１エンディング演出処理に対応した値である「５」に更新する。
【０３５４】
Ｓ３７５の第１エンディング演出処理は、第１演出プロセスフラグの値が「５」のときに実行される処理である。第１エンディング演出処理において、演出制御用ＣＰＵ１２０は、例えば大当り遊技状態の終了等に対応した演出制御パターン等を設定して、当該設定した演出パターンで演出動作制御を行なう。また、エンディング終了時において、第１演出制御プロセスフラグの値を初期値である「０」に更新する。「０」に更新するときには、例えば、図５０に示すフローチャートの処理も実行される。当該処理は、図４９の処理と基本的に同じであるので（ステップ番号が共通の処理は両者で同じ）、図４９の処理と異なる部分だけ説明する。図５０のフローチャートでは、まず、演出側高確高ベースフラグがオン状態であるかを判定し（Ｓ３２０１Ｂ）、オン状態でなければ（Ｓ３２０１；Ｎｏ）、本処理を終了し、オン状態であれば（Ｓ３２０１；Ｙｅｓ）、チャンス期間フラグをオン状態とする（Ｓ３２０２Ｂ）。後の処理は、図４９の処理と同様である。
【０３５５】
図５１は、第２演出制御プロセス処理の一例を示すフローチャートである。第２演出制御プロセス処理において演出制御用ＣＰＵ１２０は、次のような処理をする。まず、第２中断フラグがオン状態かを判定する（Ｓ４０４）。第２中断フラグがオン状態のときには（Ｓ４０４；Ｙｅｓ）、中断の旨の表示動作制御を行なって（Ｓ４０５）、処理を終了する。Ｓ４０５では、表示制御部１２３のＶＤＰ等に対して所定の表示制御指令を伝送させる表示動作制御を行なって中断中を示す「断」の画像を表示する（図６０参照）。
【０３５６】
次に、第２中断フラグがオフ状態である場合（Ｓ４０４；Ｎｏ）、ＲＡＭ１２２の所定領域に設けられた第２演出プロセスフラグの値（最初は、「０」である。）に応じて、以下の４７０〜Ｓ４７５の処理のいずれかを選択して実行する。
【０３５７】
Ｓ４７０の第２表示開始待ち処理は、第２演出プロセスフラグの値が「０」のときに実行される処理である。第２表示開始待ち処理は、主基板１１から第２変動開始指定コマンド等を受信したか否かに基づき、画像表示装置５における領域５Ｂへの第２特図ゲームが実行中であることを示す画像の表示（所定の画像の可変表示）を開始するか否かを判定する処理等を含む。第２変動開始指定コマンド等を受信し、画像表示装置５における画像の表示を開始すると判定した場合は、第２演出プロセスフラグの値が「１」に更新される。
【０３５８】
Ｓ４７１の第２表示開始設定処理は、第２演出プロセスフラグの値が「１」のときに実行される処理である。図５２は、第２表示開始設定処理として、図５１のＳ４７１で実行される処理の一例を示すフローチャートである。図５２に示す第２表示開始設定処理において、演出制御用ＣＰＵ１２０は、以下の処理をする。まず、図４５に示すモード演出設定処理を実行する（Ｓ３０２０）。例えば主基板１１から伝送された第２表示結果指定コマンド等に基づき、第２特図ゲームにおける可変表示結果を表示するときに領域５Ｂで表示する、第２特図ゲームでの可変表示結果を報知する画像（可変表示結果の表示画像）を、第２表示結果指定コマンドにより示される可変表示結果を示す画像に決定する（Ｓ４０２９）。第２表示結果通知コマンドにより示される可変表示結果が「大当り」であれば「○」の画像、「ハズレ」であれば「×」の画像、を、領域５Ｂで表示する画像として決定する。
【０３５９】
Ｓ４０２９の処理後は、主基板１１から伝送され受信した変動パターン指定コマンドにより指定された変動パターンに応じた演出制御パターン（変動パターンに対応する第２特図変動時間に対応した長さで所定の画像の可変表示を実行する演出制御パターン）を、この後に使用する使用パターンとして設定する（Ｓ４０３０）。
【０３６０】
次に、変動パターン指定コマンドにより指定された変動パターンに対応して、ＲＡＭ１２２の所定領域に設けられた第２演出制御プロセスタイマの初期値（変動パターンに対応する第２特図変動時間に応じた初期値）を設定する（Ｓ４０３１）。
【０３６１】
そして、画像表示装置５における画像表示を開始させるための設定を行なう（Ｓ４０３２）。例えば表示制御指令を表示制御部１２３のＶＤＰ等に対して伝送すること等により、演出動作制御を行なう。その後、第２演出プロセスフラグの値を第２表示中演出処理に対応した値である「２」に更新し（Ｓ４０３３）、第２表示開始設定処理を終了する。
【０３６２】
図５１に戻り、Ｓ４７２の第２表示中演出処理は、第２演出プロセスフラグの値が「２」のときに実行される処理である。図５３は、第２表示中演出処理として、図５１のＳ４７２で実行される処理の一例を示すフローチャートである。図５３に示す第２表示中演出処理において、演出制御用ＣＰＵ１２０は、次のような処理をする。まず、例えば第２演出制御プロセスタイマのタイマ値等に基づいて、変動パターンに対応した画像の表示時間が経過したか否かを判定する（Ｓ４０５１）。一例として、Ｓ４０５１の処理では、第２演出制御プロセスタイマのタイマ値を更新（例えば１減算）し、更新後の第２演出制御プロセスタイマのタイマ値に対応して第２演出制御パターンから終了コードが読出されたとき等に、画像の表示時間が経過したと判定すればよい。
【０３６３】
Ｓ４０５１で所定の画像の表示時間（例えば、「○」の画像と「×」の画像との可変表示時間）が経過していない場合には（Ｓ４０５１；Ｎｏ）、使用パターンとして設定された演出制御パターンに従って、第２特図ゲームが実行中であることを示す画像（前記の所定の画像）を領域５Ｂに表示する（例えば、識別情報の可変表示の一種として、「○」の画像と「×」の画像とを可変表示する）ための演出動作制御等を行なう（Ｓ４０５６）。Ｓ４０５６の後、第２表示中演出処理は終了する。
【０３６４】
Ｓ４０５１で所定の画像の表示時間（例えば、「○」の画像と「×」の画像との可変表示時間）が経過した場合には（Ｓ４０５１；Ｙｅｓ）、主基板１１から伝送される第２図柄確定指定コマンドを受信したか否かを判定する（Ｓ４０６５）。第２図柄確定指定コマンドの受信がなければ（Ｓ４０６５；Ｎｏ）、第２表示中演出処理を終了して待機する。なお、表示時間が経過した後、第２図柄確定指定コマンドを受信することなく所定時間が経過した場合には、第２図柄確定指定コマンドを正常に受信できなかったことに対応して、所定のエラー処理が実行されてもよい。
【０３６５】
Ｓ４０６５で第２図柄確定指定コマンドの受信があった場合には（Ｓ４０６５；Ｙｅｓ）、例えば演出動作制御により第２特図ゲームにおける可変表示結果を報知する画像を表示させる制御を行なう（Ｓ４０６６）。次に、第２当り開始指定コマンド受信待ち時間として予め定められた一定時間を第２演出制御プロセスタイマ（ＲＡＭ１２２の所定領域に設けられた別のタイマでもよい。）等に設定する（Ｓ４０６７）。そして、第２演出プロセスフラグの値を第２特図当り待ち処理に対応した値である「３」に更新し（Ｓ４０６８）、第２表示中演出処理を終了する。
【０３６６】
図５１に戻り、Ｓ４７３の第２特図当り待ち処理は、第２演出プロセスフラグの値が「３」のときに実行される処理である。第２特図当り待ち処理においては、主基板１１から伝送された第２当り開始指定コマンドの受信があったか否かを判定する。そして、第２当り開始指定コマンドを受信したきに演出プロセスフラグの値を「４」に更新して本処理を終了する。また、第２当り開始指定コマンドを受信せずに、第２演出制御プロセスタイマがタイムアウトしたときには（第２当り開始指定コマンド受信待ち時間が経過したときには）、第２特図ゲームにおける第２特図表示結果が「ハズレ」であったと判断し、第２演出プロセスフラグの値を初期値である「０」に更新して本処理を終了する。
【０３６７】
Ｓ４７４の第２大当り処理は、演出プロセスフラグの値が「４」のときに実行される処理である。この処理において、大当り遊技状態における演出内容に対応した演出制御パターン等を設定して、当該設定した演出パターンで演出動作制御（例えば、「当」の画像を表示する制御、図６１参照）を行ない、また、例えば主基板１１からの第２当り終了指定コマンドを受信したことに対応して、第２演出制御プロセスフラグの値を第２エンディング演出処理に対応した値である「５」に更新する。
【０３６８】
Ｓ４７５の第２エンディング演出処理は、第２演出プロセスフラグの値が「５」のときに実行される処理である。この第２エンディング演出処理においては、例えば大当り遊技状態の終了等に対応した演出制御パターン等を設定して、当該設定した演出パターンで演出動作制御を行なう。また、エンディング終了時に、第２演出制御プロセスフラグの値を初期値である「０」に更新する。
【０３６９】
次に、図５４を参照して、この実施の形態の遊技状態等について説明する。通常状態において第１特図ゲームが実行されて「５Ｒ短期」の「大当り」が導出表示された場合、短期開放大当り遊技状態に制御されるが（このときの遊技状態は、通常状態のまま）、大入賞口への入賞が発生しないので（確変検出領域４０への遊技球の進入がない。）、短期開放大当り遊技状態直後からの遊技状態は、通常状態のままとなる（図５４（Ａ））。
【０３７０】
通常状態で第１特図ゲームが実行され、「５Ｒ通常」の「大当り」が導出表示された場合、通常開放大当り遊技状態に制御され（このときの遊技状態は、通常状態のまま）、通常、大入賞口への入賞が発生し（確変検出領域４０への遊技球の進入が発生する。）、通常開放大当り遊技状態直後からの遊技状態は、高確高ベース状態となってチャンス期間となる（図５４（Ｂ））。つまり、高確高ベース状態（チャンス期間）が開始される。
【０３７１】
高確高ベース状態（チャンス期間）で第１特図ゲームが実行され、「５Ｒ短期」の「大当り」が導出表示される場合、その前に特定演出が実行され、当該特定演出の終了とともにチャンス期間は終了する。その後、短期開放大当り遊技状態に制御される（遊技状態は、通常状態となる）。短期開放大当り遊技状態では、大入賞口への入賞が発生しないので（確変検出領域４０への遊技球の進入がない）、短期開放大当り遊技状態直後からの遊技状態は、通常状態のままとなる（図５４（Ｃ））。高確高ベース状態は終了する。
【０３７２】
高確高ベース状態（チャンス期間）において第１特図ゲームが実行されて、「５Ｒ通常」の「大当り」が導出表示される場合、その前に特定演出が実行され、当該特定演出の終了とともにチャンス期間は終了する。その後、通常開放大当り遊技状態に制御され（遊技状態は、通常状態となる。）、通常、大入賞口への入賞が発生し（確変検出領域４０への遊技球の進入が発生する。）、通常開放大当り遊技状態直後からの遊技状態は、高確高ベース状態が継続され、再度チャンス期間（図５４（Ｄ））が到来する。
【０３７３】
高確高ベース状態（チャンス期間）において第２特図ゲームが実行されて、「５Ｒ通常」の「大当り」が導出表示される場合、通常開放大当り遊技状態に制御され（遊技状態は、通常状態となる。）、通常、大入賞口への入賞が発生し（確変検出領域４０への遊技球の進入が発生する。）、通常開放大当り遊技状態直後からの遊技状態は、高確高ベース状態が継続される。第２特図ゲームの「大当り」のときには、特定演出は実行されず（高確高ベース状態が終了する恐れがないためである。）、チャンス期間は終了せずに継続する（図５４（Ｅ））。
【０３７４】
次に、この実施の形態で、画像表示装置５に表示される演出画面の一例を説明する。まず、遊技状態が通常状態のときに、第１特図ゲームが実行され、「大当り」が導出表示されるときに演出画面について、図５５を参照して説明する。
【０３７５】
通常状態において第１特図ゲームが実行された場合、画面の領域５Ａで、飾り図柄の可変表示（図では、矢印で示している。以下、可変表示について同じ。）が開始する（図５５（Ａ））。そして、所定のタイミング（変動パターンごとに予め定められたタイミング）でリーチが成立する。リーチを構成する飾り図柄（停止表示された飾り図柄）は、ここでは「６」であるが、他の飾り図柄でもよい。
【０３７６】
その後、確定飾り図柄の導出表示直前に、一旦、飾り図柄を隠す演出が実行される（図５５（Ｃ））。このような演出は、例えば、演出制御パターン等により規定されており、Ｓ３０６２において実行される。
【０３７７】
その後、第１特図ゲームの可変表示結果の導出タイミングに同期して、「大当り」の最終停止図柄を導出表示するが、大当り種別が「５Ｒ通常」で状況が特定大当り図柄の導出条件（図４８、図５５参照）を満たす状況である場合、特定大当り図柄として、「７」が揃って導出表示される（Ｓ３０６８）（図５５（Ｄ））。この導出表示は、例えば、Ｓ３０６８の処理により行なわれる。大当り種別が「５Ｒ通常」で、特定大当り図柄の導出条件を満たさない場合、大当り種別が「５Ｒ通常」のときの通常の大当り図柄として、「５」が揃って導出表示される（図５５（Ｅ））。大当り種別が「５Ｒ短期」の場合、大当り種別が「５Ｒ短期」のときの通常の大当り図柄として「６」が揃って導出表示される（Ｓ３０６９）（図５５（Ｆ））。
【０３７８】
「５Ｒ通常」の「大当り」の場合（大当り図柄が「５」又は「７」の場合）、通常開放大当り遊技状態に制御される。なお、大当り図柄が「５」であろうが「７」であろうが、大当り遊技状態の内容は同じである。通常開放大当り遊技状態後は、通常、高確高ベース状態になり、チャンス期間が到来するので、当該通常開放大当り遊技状態で実行される演出では、現在が大当り遊技状態中であることと、チャンス期間が到来することとが報知される演出が実行される（Ｓ３７４）（図５５（Ｇ））。そして、その後、チャンス期間を報知するチャンス期間演出（「チャンス！！」の文字を表示する演出）や、チャンス期間が少なくとも終了しない期間を当該チャンス期間の残り時間として報知する残り時間報知（「残り時間５：００」を表示し、リアルタイムで時間を減じていくタイマ表示の演出）等が実行される（Ｓ８５２、Ｓ８６２）（図５５（Ｈ））。
【０３７９】
「５Ｒ短期」の「大当り」の場合、短期開放大当り遊技状態に制御される。短期開放大当り遊技状態の場合、通常、その後に高確高ベース状態にはならないので、当該短期開放大当り遊技状態では、高確高ベース状態にはならない旨の演出（「大当りなのに残念・・・」を表示する演出）が実行される（Ｓ３７４）（図５５（Ｉ））。その後は、通常状態の遊技が行なわれる（図５５（Ｊ））。
【０３８０】
次に、低確低ベース状態での画像表示装置５における第１演出モードおよび第２演出モードの演出画面の一例を、図５６を参照して説明する。図５６においては、飾り図柄、第２演出モードキャラクタ、および、小図柄以外の表示画像（たとえば、第１保留表示領域５ＨＡ、第２保留表示領域５ＨＢ、領域５Ｂの画像等の画像）を省略している。第１演出モードでは、図５６（１）〜（７）に示すように、演出モードキャラクタ、および、小図柄を使用せず、飾り図柄（「左」，「中」，「右」の飾り図柄表示エリア５Ｌ，５Ｃ，５Ｒにおいて、通常の大きさの飾り図柄を可変表示する演出がされる。
【０３８１】
一方、第２演出モードでは、図５６の（１１）〜（１７）に示すような、飾り図柄、第２演出モードキャラクタ９４、および、小図柄（「左」，「中」，「右」の小図柄表示エリア９１、９２、９３で表示する縮小された飾り図柄）を使用して可変表示をする演出がされる。
【０３８２】
第２演出モードにおいて、小図柄は、「左」，「中」，「右」の飾り図柄表示エリア５Ｌ，５Ｃ，５Ｒのような第１表示領域における飾り図柄の複数の表示領域に対応した第２表示領域における複数の表示領域において変動表示させる特殊識別情報として用いられる。特殊識別情報としては、飾り図柄を縮小した態様で隅部に表示する小図柄に限らず、飾り図柄を簡略化（簡略化かつ縮小化してもよい）して隅部に表示する図柄（たとえば、形状および色等の図柄の構成要素を簡略化した図柄等）、または、飾り図柄を縮小せずに隅部に表示する図柄等のその他の表示態様の図柄であってもよく、第１表示領域における飾り図柄の複数の表示領域に対応した第２表示領域における複数の表示領域において変動表示させる識別情報であれば、小図柄以外の識別情報も含まれる。
【０３８３】
具体的に、第２演出モードでは、図５６（１１）に示すように、可変表示における変動開始時に、Ｓ３０１３またはＳ３０１５で選択決定された第２演出モードキャラクタ９４が画像表示装置５の表示領域の中央部で表示領域全体に亘るような大きいサイズで表示され、飾り図柄表示エリア５Ｌ，５Ｃ，５Ｒで飾り図柄が表示されないことにより、飾り図柄が視認不可能とされ、かつ、画面右下隅部で、画面中央における左，中，右の３つの飾り図柄表示エリア５Ｌ，５Ｃ，５Ｒに対応する左，中，右の３つの小図柄表示エリア９１，９２，９３で、特殊識別情報としての左，中，右の小図柄による可変表示が開始される。小図柄表示エリア９１，９２，９３で可変表示される左，中，右の小図柄は、左，中，右の飾り図柄表示エリア５Ｌ，５Ｃ，５Ｒで可変表示される左，中，右の飾り図柄に対応して可変表示される図柄であり、通常表示される飾り図柄よりも縮小された表示態様で表示される。
【０３８４】
次に、左の飾り図柄の停止タイミングとなれば、図５６（１２）に示すように、左の飾り図柄表示エリア５Ｌで左の飾り図柄が出現することにより一部の飾り図柄が視認容易化されて停止表示されるとともに、それに対応する左の小図柄表示エリア９１で左の小図柄が消去される。次に、右の飾り図柄の停止タイミングとなれば、図５６（１３）〜（１６）に示すように、右の飾り図柄表示エリア５Ｒで右の飾り図柄が出現して停止表示されるとともに、それに対応する右の小図柄表示エリア９３で右の小図柄が消去される。
【０３８５】
右の飾り図柄の停止時において、変更演出として滑り演出をすることが選択されているときは、図５６（１３）のように、最終的な表示結果となる図柄の１図柄手前の図柄が出現することにより視認容易化されて仮停止（一旦停止）された後、図５６（１４）のように、Ｓ３０１３またはＳ３０１５で選択決定された第２演出モードキャラクタ９４（変動開始時よりも小さいキャラクタ画像）が、仮停止された図柄に乗る等、図柄に対して作用する。そして、図５６（１４），（１５）のように、第２演出モードキャラクタ９４が作用した図柄が下方へ滑って消去される表示と、上方から最終的な表示結果となる図柄が滑って出現する表示とが実行された後、図５６（１６）のように、右の飾り図柄が最終表示結果となる図柄に変更されて停止する（この例ではリーチ状態となる演出例が示されている）。この滑り演出が実行されるときは、大当り図柄の組合せとならない図柄が仮停止されたときでも、その図柄が滑って別の図柄に変更されるときがあるので、遊技者の期待感を向上させることができ、遊技の興趣を向上させることができる。
【０３８６】
その後、中の飾り図柄の停止タイミングとなれば、図５６（１７）のように、中の飾り図柄表示エリア５Ｃで中の飾り図柄が出現することで視認容易化され停止表示するとともに、対応する中の小図柄表示エリア９２で中の小図柄が消去される。
【０３８７】
また、右の飾り図柄の停止時において、滑り演出をすることが選択されていないときは、図５６（１４）、（１５）のような滑り演出はされず、直接的に、図５６（１６）のような最終表示結果となる図柄を停止する表示がされる。
【０３８８】
なお、第２演出モードでは、図５６（１１）のように変動開始時に第２演出モードキャラクタ９４を表示せずに、左，中，右の飾り図柄が表示されないものでもよい。また、第２演出モードでは、図５６（１２）のように第２演出モードキャラクタ９４を消去せずに所定期間に亘り、視認容易化される飾り図柄を邪魔しない態様で表示し続けてもよい。
【０３８９】
また、第２演出モードにおいては、変動開始時から所定期間に亘り飾り図柄を視認不可能な状態として３つの小図柄を変動させる例を示したが、飾り図柄は、たとえば変動表示されるがどのような図柄が表示されているが見分けることが難しいような、識別困難な状態とした後、前述のようなタイミングで視認容易化してもよい。つまり、第２演出モードでの飾り図柄は、所定期間に亘り視認困難または視認不可能な状態とすればよい。
【０３９０】
また、第２演出モードで飾り図柄を視認困難または視認不可能な状態とする態様は、図５６（１１）に示すような、飾り図柄以外の画像の表示により飾り図柄が視認困難または視認不可能な状態となる例に限らず、画像表示装置５の表示領域前方に動作可能な可動物の動作状態により、可動物が飾り図柄を隠すような態様で、飾り図柄が視認困難または視認不可能な状態となる例も含む。また、第２演出モードにおいて飾り図柄を視認困難または視認不可能な状態とする態様は、飾り図柄以外の画像の表示、および、可動物の動作状態によるものに限らず、単に飾り図柄自体を所定期間に亘り非表示とするものも含む。
【０３９１】
また、第２演出モードにおいて飾り図柄を視認容易化するときの態様は、図５６に示すような、図柄が停止（仮停止含む）した状態で出現するものに限らず、飾り図柄が変動しながら（たとえば、スクロール表示、または、差替え表示等による変動等）出現した後に停止するような表示態様としてもよい。
【０３９２】
また、第２演出モードでは、左，中，右の飾り図柄のうち右の飾り図柄のみ変更演出が実行される例を示したが、左の飾り図柄のみ、または、中の飾り図柄のみ変更演出が実行されるように、いずれか一部の図柄について変更演出がされてもよい。また、第２演出モードにおいては、左，中，右の全飾り図柄について変更演出が実行されてもよい。
【０３９３】
また、第２演出モードでは、第２演出モードキャラクタ９４以外の画像が右の飾り図柄に作用することで変更演出がされるようにしてもよい。たとえば、弾丸、弓矢の矢、または、球技用の球等のその他の物を示す画像が、右の飾り図柄に当たる等の作用をすることにより、変更演出がされるようにしてもよい。
【０３９４】
また、第２演出モードでは、第２演出モードキャラクタ９４が右の飾り図柄に作用することで変更演出がされる例を示したが、そのようなキャラクタを表示せずに、飾り図柄が滑る演出をする変更演出がされるようにしてもよい。また、キャラクタが作用したときと、作用しないときとのどちらも変更演出を実行可能とし、キャラクタが作用したときの方が作用しないときよりも、大当りとなる期待度が高いことを示唆するような演出をしてもよい（たとえば、キャラクタは遊技者の有利度向上の獲得に味方する意合いの画像として表示される）。
【０３９５】
また、第２演出モードでは、変動開始時に表示された第２演出モードキャラクタ９４が右の飾り図柄に作用するときに、大当りとなる期待度の高さに応じて選択割合が異ならされた複数種類の背景画像のうちから選択した背景画像を表示することで大当りとなる期待度の高さを背景画像で示唆可能な変更演出がされてもよい。
【０３９６】
また、第２演出モードにおいては、変動開始時に表示された第２演出モードキャラクタ９４が右の飾り図柄に作用することで変更演出がされる例を示したが、変動開始時に表示されたとは異なるキャラクタが作用することで変更演出がされてもよい。その場合には、大当りとなる期待度の高さに応じて選択割合が異ならされた複数種類のキャラクタのうちから選択したキャラクタが作用することで変更演出がされてもよい。その複数種類のキャラクタの中に第２演出モードキャラクタを含め、第２演出モードキャラクタが作用したときには大当りとなる期待度が最も高くなるような変更演出をしてもよい。
【０３９７】
また、第２演出モードにおいては、左，中，右の飾り図柄が視認容易化される順序によって大当りの期待度等の所定状態の発生に対する期待度が異なるようにする制御をしてもよい。たとえば、左→中→右という飾り図柄の視認容易化順序と、右→中→左という飾り図柄の視認容易化順序とで、前述の期待度が異なるようにする制御をしてもよい。
【０３９８】
また、第２演出モードにおいては、図５６（１６）のようにリーチ状態になった後は、所定のリーチ演出（たとえば、全画面で演出をするようなリーチ演出）に発展させる演出をし、その際には、まだ停止していない飾り図柄があっても、対応する小図柄を表示しないようにする演出をしてもよい。また、このようなリーチ演出に発展させるときには、小図柄も飾り図柄も表示しないようにしてもよい。また、このようなリーチ演出に発展させるときには、飾り図柄を再び視認不可能（視認困難でもよい）として、３つの小図柄を表示するようにしてもよい。
【０３９９】
また、第２演出モードにおいては、実行するすべての変動表示について図５６（１１）以降に示すような変動表示をしてもよく、実行する一部の変動表示について図５６（１１）以降に示すような変動表示をしてもよい。また、演出モードに限らず、すべての状態において、実行するすべての変動表示について図５６（１１）以降に示すような変動表示をしてもよく、実行する一部の変動表示について図５６（１１）以降に示すような変動表示をしてもよい。
【０４００】
また、第２演出モードにおいては、図５６（１１）に示すように変動表示の開始時から飾り図柄を視認不可能（視認困難でもよい）とする演出をする例を示したが、これに限らず、変動表示の開始時には飾り図柄を視認容易な状態として変動表示を開始させた後に、変動表示の途中において飾り図柄を視認不可能（視認困難でもよい）な状態とする演出（たとえば、所謂ブラックアウト演出のように表示画面が暗くなって飾り図柄が視認不可能（または視認困難）となるような演出等の演出）をし、その後の変動表示の途中から図５６（１１）以降に示すような変動表示を実行する演出をしてもよい。
【０４０１】
また、第２演出モードにおいては、図５６（１４）〜（１６）のように滑り演出（変更演出）が実行された後に、リーチ状態となってリーチ演出が実行される例を示したが、これに限らず、滑り演出（変更演出）が実行された後に、所定のチャンス目の図柄の組合せを仮停止した後、全図柄を再変動させて擬似連の演出を実行するようにしてもよい。擬似連とは、本来は１つの保留記憶に対応する１回の変動であるものの複数の保留記憶に対応する複数回の変動が連続して行なわれているように見せる演出表示である擬似連続変動を示す略語である。このように、滑り演出（変更演出）が実行された後に、擬似連の演出を実行するときには、擬似連の演出において、図５６（１１）のように小図柄を再び変動表示させてもよく、または、図５６（１）のように小図柄を変動表示に用いないようにしてもよい。
【０４０２】
また、第２演出モードにおいては、小図柄を表示するときに、それぞれの小図柄がどの位置（左，中，右の位置）の飾り図柄に対応するものであるかを特定可能な表示をしてもよい。たとえば、３つの小図柄にそれぞれ、「左，中，右」という表示、「←↓→」という表示、または、「１，２，３」という表示等のどの位置の飾り図柄に対応するものであるかを特定可能な表示を直接的または間接的にしてもよい。また、３つの小図柄のそれぞれを枠で囲む表示をすることで、「左，中，右」のどの飾り図柄に対応しているかえお識別しやすくしてもよく、その場合には、飾り図柄の視認容易化に応じて小図柄を消去するときでも枠線の表示を残すようにすればよい（なお、消去してもよい）。また、３つの小図柄の表示態様（形状等）を、表示位置（左，中，右の位置）によって異ならせる（変化させる）ようにすることで、「左，中，右」のどの飾り図柄に対応しているかえお識別しやすくしてもよい。
【０４０３】
また、この実施の形態では、１ライン上で左，中，右の３つの飾り図柄が変動表示するときの第２演出モードにおいて、小図柄が１ライン上で左，中，右の３つの飾り図柄に対応して変動表示する例を示した。しかし、これに限らず、前述したような飾り図柄と小図柄とを用いた演出制御は、たとえば９図柄等の４以上の図柄を変動表示させる演出表示、および、たとえば８ライン等の複数ライン上で変動表示をさせる演出表示に適用してもよい。その場合には、小図柄は、飾り図柄の変動表示図柄数、または、変動表示ライン数に対応するように、４以上の図柄を変動表示させ、または、複数ライン上で変動表示させる演出表示をすればよい。
【０４０４】
画像表示装置５において単に飾り図柄と小図柄とについて対応関係を持たせて整合させて表示するだけでは、次のような複雑な表示制御をする必要があり、表示制御の処理負担が高まるという問題が生じる。すなわち、飾り図柄を視認不可能な状態から視認可能としたときに小図柄の表示を継続したままであると、ある飾り図柄を停止表示するときに、対応する小図柄を当該飾り図柄と整合した図柄およびタイミングで停止表示する必要があり、表示制御の処理負担が高まる。また、飾り図柄の仮停止後に変更演出をするときに、小図柄を、可変表示中に仮停止する飾り図柄の最終停止タイミングのみに合せて停止する演出をするだけでは、飾り図柄が仮停止のために停止したときは小図柄が停止しないことにより、当該飾り図柄の仮停止による停止が仮停止であることを遊技者に認識されてしまい、演出の面白みが低下してしまうので、小図柄を飾り図柄の仮停止の動作にも合せて動作表示させなければならず、表示制御の処理負担が高まる。
【０４０５】
このような問題を解消するために、本実施形態では、第２演出モードにおいて、３つの飾り図柄を視認不可能として３つの小図柄を変動させる可変表示がされ、視認不可能とされた３つの飾り図柄のうち一部の飾り図柄を視認容易化するとともに、３つの小図柄のうち一部の小図柄を消去する演出がされる。これにより、小図柄の変動態様を、飾り図柄の変動態様に合せて制御する必要がないので、表示制御の処理負担を抑制することができる。さらに、第２演出モードにおいては、視認容易化された飾り図柄を停止表示させた後、滑り演出により、その飾り図柄を別の飾り図柄に変更する変更演出がされるが、その場合に、小図柄は既に消去しており、停止表示させた飾り図柄を変更するときに小図柄も合せて変更する必要がないので、表示制御の処理負担を抑制することができる。
【０４０６】
図５７は、図５６に示す第２演出モードでの飾り図柄と小図柄との制御タイミングの関係を示すタイミングチャートである。図５７においては、（Ａ）左の飾り図柄、（Ｂ）中の飾り図柄、（Ｃ）右の飾り図柄、（Ｄ）左の小図柄、（Ｅ）中の小図柄、および、（Ｆ）右の小図柄について、リーチ状態となった後に大当り表示結果となるときの変動開始時から変動停止時までの表示／非表示の態様が示される。
【０４０７】
図５７を参照して、第２演出モードで変動表示開始時には、左，中，右の飾り図柄は表示されておらず、これら飾り図柄の代わりに、左，中，右の小図柄が一斉に変動表示を開始する。そして、左の飾り図柄の停止タイミングとなると、左の飾り図柄が出現するとともに左の小図柄が消去され、左の飾り図柄の表示結果が確定する。次に、右の飾り図柄の出現タイミングとなると、左の飾り図柄が出現するとともに右の小図柄が消去され、前述のような滑り演出（変更演出）が所定期間に亘り行なわれた後、右の飾り図柄の停止タイミングになると、滑り演出が終了して、右の飾り図柄の表示結果が確定する。これによりリーチ状態となり、その後、中の飾り図柄の停止タイミングとなると、中の飾り図柄が出現するとともに中の小図柄が消去され、中の飾り図柄の表示結果が確定することにより、全図柄の表示結果が確定し、変動表示が終了する。
【０４０８】
次に、高確高ベース状態（チャンス期間）での演出画面の一例を、図５８を参照して説明する。図５８（Ａ）のように、チャンス期間には、チャンス期間演出が実行され、「チャンス！！」の文字が表示される演出が実行される（チャンス期間演出では、背景画像等をチャンス期間用の画像に変更してもよい。）。図５８（Ａ）では、領域５Ｂで「○」の画像と「×」の画像とが可変表示されている（図では矢印で示されている。）。図５８（Ａ）の例では、大当り遊技状態終了時に第１特図ゲームの保留が無く、これにより残り時間報知を実行しないと決定されたこと（Ｓ３２０４；Ｎｏ）等により、残り時間報知が実行されていない。
【０４０９】
図５８（Ｂ）のように、チャンス期間演出とともに残り時間報知が実行される場合がある。残り時間報知は、「残り時間５：００」を表示し、リアルタイムで時間を減じていくタイマを表示する演出である。残り時間報知は、特に、第１特図の保留があるときに実行されて、チャンス期間の終了を煽る演出となる。なお、図５８（Ｂ）のように、チャンス期間中では、「左」，「中」，「右」の飾り図柄表示エリア５Ｌ，５Ｃ，５Ｒが領域５Ａの左上の領域に移動し、ここで通常時よりも小さく飾り図柄の可変表示を実行する。
【０４１０】
次に延長報知（Ｓ８６９）の演出画面の一例を、図５９を参照して説明する。延長報知では、図５９（Ａ）のように、延長する時間（＋３０秒）を報知するとともに、その時間を残り時間報知で報知されている残り時間（４：００）に加算する演出がされる。なお、図５９（Ｂ）のように、実際に延長する時間（＋３０秒）よりも少ない時間を最初に報知し（＋５秒）、その後に延長する時間を増やすようにし、実際に延長する時間を報知してもよい（＋３０秒）。
【０４１１】
次に高確高ベース状態（チャンス期間）中に実行される第１特図ゲームに対応した演出画面（特定演出の画像を含む。）の一例を、図６０を参照して説明する。
【０４１２】
高確高ベース状態では、チャンス期間演出が実行されるので、第１特図ゲームに対応した飾り図柄の可変表示が目立たないように「左」，「中」，「右」の飾り図柄表示エリア５Ｌ，５Ｃ，５Ｒが領域５Ａの左上の方に移動し、通常時よりも小さく飾り図柄の可変表示が実行される（図６０（Ａ））。この可変表示において、所定タイミングに達すると、リーチが成立する（図６０（Ｂ）又は（Ｄ））。高確高ベース状態では、可変表示期間が長くなりリーチが成立する（但し、チャンス期間演出と被らないようにリーチ演出は実行されない。）（図１５参照）。そして、可変表示結果が「ハズレ」の場合かつ特定演出が実行されない場合は、リーチハズレの組合せの確定飾り図柄が導出表示される（図６０（Ｃ））。この場合は、そのままチャンス期間（高確高ベース状態）が継続する。
【０４１３】
特定演出が実行される場合（残り時間報知の残り時間が「０」になると特定演出が実行開始される。Ｓ３０５３）には（なお、特定演出は、リーチ成立前に実行開始されることもある。）、「チャンス終了？？」の文字を表示して、チャンス期間が終了す危機感（「５Ｒ短期」の「大当り」が導出されてしまう危機感）を煽る特定演出が実行される（Ｓ３０５７）（図６０（Ｅ））。特定演出の終了とともに確定飾り図柄が導出表示される（これにより、チャンス期間やチャンス期間演出等は終了する（Ｓ３０５９等））。
【０４１４】
確定飾り図柄が「ハズレ」の場合には、特定演出の最後として再度チャンス期間が到来すること（Ｓ３１０８で設定される）が報知され（「チャンス再開！」の表示）、リーチハズレの組合せの確定飾り図柄が導出表示される（図６０（Ｆ））。その後、チャンス期間演出が再度開始される（Ｓ３７３中の処理）。
【０４１５】
確定飾り図柄が「５Ｒ短期」の「大当り」の場合には、特定演出の最後としてチャンス期間が終了すること（高確高ベース状態が終了すること）（Ｓ３１０７で設定される）が報知され（「チャンス終了・・・」の表示）、「５Ｒ短期」に対応した「６」が揃った大当り組合せの確定飾り図柄が導出表示される（図６０（Ｇ））。その後、大当り遊技状態（短期開放大当り遊技状態）中には、その後にチャンス期間が到来しないことを報知する演出（「残念・・・」の表示）が実行される（図６０（Ｈ））。大当り遊技状態中の演出は、通常状態において「５Ｒ短期」の「大当り」が導出されたとき（図５５（Ｉ））と同じ演出でもよい。大当り遊技状態後は、通常状態の演出が実行される。
【０４１６】
確定飾り図柄が「５Ｒ通常」の「大当り」の場合には、特定演出の最後として再度チャンス期間が到来すること（Ｓ３１０６で設定される）が報知され（「チャンス復活！！」の表示）、「５Ｒ通常」に対応した「５」が揃った大当り組合せの確定飾り図柄が導出表示される（図６０（Ｉ））。その後、大当り遊技状態（通常開放大当り遊技状態）中には、その後にチャンス期間が到来することを報知する演出が実行される（図６０（Ｊ））。この大当り遊技状態中の演出は、通常状態において「５Ｒ通常」の「大当り」が導出されたとき（図５５（Ｇ））と同じ演出であるが、異なる演出としてもよい。
【０４１７】
なお、通常状態のときと同様、「５Ｒ通常」の「大当り」のときに上記導出条件（図４８）を満たす場合には、特定大当り図柄（「７」）を揃って導出表示するが、高確高ベース状態のときは、特定大当り図柄を揃って表示しなくてもよい（例えば、上記導出条件として、演出側高確高ベースがオフ状態になっていることを前提条件とすればよい）。
【０４１８】
第２特図ゲームが実行されると、それに同期して、領域５Ｂにおいて、「○」の画像と「×」の画像とが可変表示されるが（図６０（Ｇ）、図６０（Ｉ））（図６０の矢印参照）、第２特図ゲームの実行中に、第１特図ゲームで「大当り」が導出表示されて、大当り遊技状態となったときには、領域５Ｂに第２特図ゲームが中断中であることを示す「断」の文字が表示される（図６０（Ｈ）、図６０（Ｊ））。
【０４１９】
次に高確高ベース状態（チャンス期間）中に実行される第２特図ゲームに対応した演出画面（特定演出の画像を含む。）の一例を、図６１を参照して説明する。
【０４２０】
第２特図ゲームが実行されると、それに同期して、領域５Ｂにおいて、「○」の画像と「×」の画像とを可変表示し（図６０（Ａ））、第２特図ゲームの可変表示結果が「大当り」のときには、「○」の画像を導出表示し（図６０（Ｂ））、第２特図ゲームの可変表示結果が「ハズレ」のときには、「×」の画像を導出表示し（図６０（Ｃ））、大当り遊技状態中は、領域５Ｂに、大当り遊技状態中である画像として、「当」の画像を表示する（図６０（Ｄ））。なお、第２特図ゲームが「大当り」の場合には、「５Ｒ通常」の大当り種別しか選択されないので、高確高ベース状態（チャンス期間）は継続するので、また、高確高ベース状態では第２特図ゲームが「大当り」になりやすいため、大当り遊技状態中であることを特に報知しなくてもよい。
【０４２１】
第１特図ゲームが実行されると、それに同期して、領域５Ａにおいて、飾り図柄が可変表示されるが（図６１（Ａ）〜（Ｃ））（図６１の矢印参照）、第１特図ゲームの実行中に、第２特図ゲームで「大当り」が導出表示され、大当り遊技状態となったときは、領域５Ａに第１特図ゲームが中断中であることを示す「中断中」の文字が表示される（図６１（Ｃ））。
【０４２２】
次にチャンス期間（チャンス期間演出）と残り時間報知との関係について、図６２を参照して説明する。図６２のように、大当り遊技状態終了時（又は、特定演出が実行された第１特図ゲームの表示結果が「ハズレ」であったとき）に、第１特図ゲームの保留があれば、特定演出の実行設定がなされ、残り時間報知も大当り遊技状態終了直後から開始される（図６２（Ａ））（図４９、図５０等参照）。大当り遊技状態終了時（又は、特定演出が実行された第１特図ゲームの表示結果が「ハズレ」であった場合）に、第１特図ゲームの保留がなければ、第１始動入賞が発生したとき（ここでは、第１特図ゲームの開始するときでもある。）に、残り時間報知が開始される（図６２（Ｂ））（図３７等参照）。このようにして、残り時間報知を適切に実行できる。
【０４２３】
次に特定演出をどの可変表示で実行するかの決定方法について、図６３を参照して説明する。大当り遊技状態終了時（又は、特定演出が実行された第１特図ゲームの表示結果が「ハズレ」であったとき）に、第１特図ゲームの保留があり、かつ、大当り判定の保留がある場合、当該大当り判定の保留に対応する特定演出フラグをオン状態とし（図４９、図５０のＳ３２０６、Ｓ３２０７）、当該保留の可変表示実行時（大当りの第１特図ゲーム実行時）に特定演出を実行する（図６３（Ａ））。大当り遊技状態終了時（又は、特定演出が実行された第１特図ゲームの表示結果が「ハズレ」であったとき）に、第１特図ゲームの保留があり、かつ、大当り判定の保留がない場合、当該保留のうちいずれか（ランダムで決定する）に対応する特定演出フラグをオン状態とし（図４９、図５０のＳ３２０６、Ｓ３２０８、Ｓ３２０９）、当該保留の可変表示実行時（ハズレの第１特図ゲーム実行時）に特定演出を実行する（図６３（Ｂ））。大当り遊技状態終了時（又は、特定演出が実行された第１特図ゲームの表示結果がハズレであったとき）に、第１特図ゲームの保留がない場合、最初に実行される第１特図ゲーム（一旦保留記憶される第１特図ゲーム）に対応する特定演出フラグをオン状態として（Ｓ８５６）、第１特図ゲーム可変表示実行時に特定演出を実行する（図６３（Ｃ））。このように、特定演出を適切に実行できる。
【０４２４】
次に特定演出の繰り下げ（Ｓ８６７）について、図６４を参照して説明する。ハズレの第１特図ゲームに特定演出の実行が設定されていた場合（ハズレの保留に対応する特定演出フラグがオン状態のとき）、新たな始動入賞があると、当該始動入賞で実行される第１特図ゲームで特定演出を実行するように、特定演出フラグのオンを１つ繰り下げることがある。特定演出の繰り下げにより、特定演出の実行時期を適切にできる（特に、第１特図ゲームが「大当り」のときに特定演出を実行し易くできる。）。
【０４２５】
次に、残り時間報知で報知されている残り時間の延長（延長報知による延長）について、図６５を参照して説明する。
【０４２６】
延長報知で延長される時間は、例えば、残り時間報知の実行を開始するときに設定される他（Ｓ８６０、Ｓ３２１２等）、特定演出の繰り下げや、第１特図ゲームの中断によって、増加する（Ｓ８６８、Ｓ８２０）。例えば、図６５に示すように、残り時間報知で報知されている残り時間（リアルタイムで減少していく。）は、定期的に実行される延長報知Ａ１〜Ａ６によって延長される（Ｓ８６９）。また、第１特図ゲームの中断による延長報知Ｂ１〜Ｂ３によっても延長される（Ｓ８１９〜Ｓ８２１、Ｓ８６９）。また、残り時間が０秒になったときの延長報知Ｃ１によっても延長される（Ｓ８６９）。このような延長によって、残り時間報知で報知される残り時間が０秒になったときに、特定演出が実行されるようになる。特に、チャンス期間が第１特図ゲームの中断によって延びたり、特定演出の繰り下げがあっても、残り時間が０秒になったときに、特定演出が実行される。実行中又は保留された第１特図ゲームが長期の可変表示期間の変動パターンであるときには、比較的短い時間での延長報知がされやすい（Ｓ８６９）。このように、延長報知による残り時間の延長を適切に行なえる（例えば、特定演出の終了タイミングと第１特図ゲームの終了（確定飾り図柄の導出）タイミングとを合せることができる。）。
【０４２７】
次に、延長報知による延長の態様について図６６を参照して説明する。残り時間報知の実行中に、第１特図ゲームの実行が中断されたが、当該中断期間分の延長が当該第１特ゲームの実行中に実行されなかった場合には、当該第１特図ゲームの実行終了時において、当該中断期間分の延長が全てなされるように、延長報知が実行される（Ｓ３０７１〜Ｓ３０７２）。これにより、第１特図ゲームの中断があっても、延長報知による残り時間の延長を適切に行なえる（例えば、特定演出の終了タイミングと第１特図ゲームの終了（確定飾り図柄の導出）タイミングとを合せることができる。）。
【０４２８】
次に、第１特図ゲームの実行中断によって実行期間が拡大（伸長）される特定演出について図６７を参照して説明する。特定演出が実行される飾り図柄の可変表示に対応する第１特図ゲームの実行中断があると、特定演出の実行期間が中断期間分拡大される（Ｓ３０５６Ａ）。これにより、第１特図ゲームの中断があっても、特定演出の実行期間の拡大を適切に行なえる（例えば、特定演出の終了タイミングと第１特図ゲームの終了（確定飾り図柄の導出）タイミングとを合せることができる。）。
【０４２９】
上記構成によって、第１識別情報（例えば、第１特別図柄等）の可変表示を実行して表示結果を導出する第１可変表示手段（例えば、第１特別図柄表示装置４Ａ等）と、第２識別情報（例えば、第２特別図柄等）の可変表示を実行して表示結果を導出する第２可変表示手段（例えば、第２特別図柄表示装置４Ｂ等）とのいずれかに特定表示結果（例えば、大当り図柄等）が導出されたときに特定遊技状態（例えば、大当り遊技状態等）に移行する遊技機（例えば、パチンコ遊技機１等）が構成される。
【０４３０】
そして、上記構成によって、遊技機は、前記第１可変表示手段に第１識別情報の可変表示を実行させ、かつ、前記第２可変表示手段に第２識別情報の可変表示を実行させるとともに、第１識別情報の可変表示と第２識別情報の可変表示とを並行して実行させることが可能な可変表示実行手段（例えば、Ｓ９２１とＳ９２２とを実行するＣＰＵ１０３等）と、少なくとも第１識別情報の可変表示に対応して装飾識別情報の可変表示を実行して装飾表示結果を導出する装飾可変表示実行手段（例えば、Ｓ３７２の処理を実行する演出制御用ＣＰＵ１２０等）と、遊技状態を制御する遊技状態制御手段（例えば、Ｓ１５０３やＳ２５０３等で高確高ベースフラグをオン状態とするＣＰＵ１０３等）と、未だ開始されていない第１識別情報の可変表示を保留記憶として記憶する保留記憶手段（例えば、第１特図保留記憶部等）とを備える。
【０４３１】
そして、上記構成によって、前記遊技状態制御手段は、前記特定遊技状態の終了後の遊技状態を、遊技者にとって有利な有利状態（例えば、高確高ベース状態等）に制御可能である（例えば、Ｓ１５０３やＳ２５０３等で高確高ベースフラグをオン状態とする等）。
【０４３２】
有利状態は、遊技者にとって有利な遊技状態であればよく、低確高ベース状態であっても、高確低ベース状態でもよい。また、有利状態の開始は、確変検出領域４０に遊技球が進入したことを契機としたものでなくてもよい。例えば、大当り種別が「５Ｒ確変」等の特定の種別であるとき（又は特定遊技状態の種類が特定の種類であるとき）に、当該特定遊技状態後に有利状態に制御されるものであればよい。また、有利状態は、特定遊技状態の終了直後の他、終了してから所定期間経過後に制御されてもよい。例えば、特定遊技状態が終了してから実行される可変表示毎に、有利状態に昇格する抽選（乱数値とテーブルとを用いて行なわれればよい。以下同じ。）が行なわれ、当選した場合に、有利状態に制御されてもよい。このとき当選の確率が、特定の種別のときに高くなるようにすればよい。
【０４３３】
前記有利状態は、第１識別情報の可変表示が実行されて前記特定表示結果が導出されたときの前記特定遊技状態の終了後の方が、第２識別情報の可変表示が実行されて前記特定表示結果が導出されたときの前記特定遊技状態の終了後よりも終了しやすく（例えば、第１特図ゲームでは、高確高ベース状態を終了させる「５Ｒ短期」の「大当り」が導出表示されるが、第２特図ゲームでは、高確高ベース状態を終了させる「５Ｒ短期」の「大当り」が導出表示されない等）なる。
【０４３４】
また、有利状態の継続期間において、途中の特定遊技状態では通常状態になっていたが、特定遊技状態中に通常状態に戻らなくてもよい。有利状態の終了は、特定遊技状態後に当該有利状態が再制御されない状態であればよい。また、上記実施の形態では、有利状態は、第２識別情報の可変表示において特定種類の特定表示結果（「５Ｒ通常」）が導出されて特定遊技状態に制御されることで継続するものとしているが、第１識別情報の可変表示において所定の特定表示結果が導出されるまでは継続するものであればよい。上記実施の形態では、第２識別情報の可変表示で導出される特定表示結果は、必ず有利状態を継続させるものであるが、当該特定表示結果を複数用意し、その一部を有利状態を終了させる特定表示結果（「５Ｒ短期」の「大当り」等）としてもよい。このような場合には、第１識別情報の可変表示の方が、第２識別情報の可変表示よりも、有利状態を終了させる特定表示結果が導出されやすければよい。また、有利状態は、特定遊技状態の終了直後の他、終了してから所定期間経過後に終了するものでもよい。例えば、特定遊技状態が終了してから実行される可変表示毎等に、有利状態から通常状態に転落する抽選（乱数値とテーブルとを用いて行なわれればよい。以下同じ。）が行なわれ、当該抽選に当選してしまった場合に、有利状態を終了させてもよい。例えば、第１識別情報の可変表示の特定表示結果の導出に基づく特定遊技状態の後にのみ、例えば可変表示が実行される毎等に、転落抽選を行なってもよいし、第１識別情報の可変表示の特定表示結果の導出に基づく特定遊技状態の後の方が、第２識別情報の可変表示の特定表示結果の導出に基づく特定遊技状態の後よりも転落割合が高いものでもよい（転落抽選も、可変表示毎等に実行される。）。
【０４３５】
また、上記構成によって、前記装飾可変表示実行手段は、第１識別情報の可変表示が実行されて前記特定表示結果が導出されるときには、前記装飾表示結果として、複数種類の装飾特定表示結果のうちのいずれかを導出可能であり（例えば、「５」又は「７」のいずれかが揃う大当り組合せを構成する確定飾り図柄を導出表示する演出制御用ＣＰＵ１２０等）、第１識別情報の可変表示が実行されて前記特定表示結果が導出されるとき、かつ、前記保留記憶手段によって保留記憶が記憶されていないときに（例えば、第１特別図柄の可変表示で大当り図柄が導出表示され、かつ、第１特図保留記憶数が「０」であるとき等）、前記装飾表示結果として、前記複数種類の装飾特定表示結果のうちの特定の装飾特定表示結果（例えば、「７」が揃う特定大当り図柄等）を導出可能である（例えば、Ｓ３０６８の処理を実行する演出制御用ＣＰＵ１２０等）。
【０４３６】
上記の構成によれば、装飾特定表示結果の種類によって有利状態の終了（継続）のし易さを分かり易くでき、遊技の興趣を向上できる。特に、上記実施の形態のように、前記保留記憶手段によって保留記憶が記憶されているとき等、上記特定大当り図柄の導出条件を満たすときと満たさないときとで、図柄（装飾特定表示結果）を異ならせることで、有利状態の終了（継続）のし易さを分かり易くでき、遊技の興趣を向上できる。
【０４３７】
また、上記構成によって、前記有利状態は、特定の種類の前記特定遊技状態（例えば、通常開放大当り遊技状態等）に移行したことを契機として開始され、前記特定の種類とは異なる所定の種類の前記特定遊技状態（例えば、短期開放大当り遊技状態等）に移行したことを契機として終了し、前記遊技機は、第１識別情報の可変表示において、前記所定の種類の特定遊技状態に移行させる前記特定表示結果が導出されない非導出期間を報知する期間報知演出（例えば、残り時間報知等）を実行する期間報知演出実行手段（例えば、Ｓ８６２の処理を実行する演出制御用ＣＰＵ１２０等）をさらに備える。上記の構成によれば、期間報知演出によって、遊技者は非導出期間を把握でき、遊技の興趣を向上できる。
【０４３８】
また、上記構成によって、前記特定の装飾特定表示結果が導出されたときと、前記特定の装飾特定表示結果以外の所定の装飾特定表示結果が導出されたときとで、前記特定遊技状態の有利度は同じである（例えば、大当り組合せを構成する確定飾り図柄が「５」であっても、「７」であっても、通常開放大当り遊技状態に制御される等）。上記の構成によれば、特定の装飾特定表示結果が導出されたときの特定遊技状態が過度に有利となることを抑制できる。
【０４３９】
また、上記構成によって、遊技機は、前記保留記憶手段によって記憶される保留記憶に対応する第１識別情報の可変表示の態様を判定する判定手段（例えば、Ｓ１００６の処理を実行するＣＰＵ１０３等）をさらに備え、前記装飾可変表示実行手段は、第１識別情報の可変表示が実行されて前記特定表示結果が導出されるとき、かつ、前記判定手段の判定結果が特定条件を満たすときに（例えば、第１特別図柄の可変表示で大当り図柄が導出表示され、かつ、第１特別図柄の可変表示の保留に大当りの判定がない又は第１特別図柄の可変表示の保留において大当りの判定があるが「大当り」が導出されるまでの期間（第１特図変動時間）が長いとき等、上記導出条件の少なくともいずれかであればよい。）、前記装飾表示結果として、前記特定の装飾特定表示結果を導出可能である（例えば、Ｓ３０６８の処理を実行する演出制御用ＣＰＵ１２０等）。上記の構成によれば、装飾特定表示結果の種類によって有利状態の終了（継続）のし易さを分かり易くでき、遊技の興趣を向上できる。特に、上記実施の形態のように、前記判定手段の判定結果が特定条件を満たすとき等、上記特定大当り図柄の導出条件を満たすときと満たさないときとで、図柄（装飾特定表示結果）を異ならせることで、有利状態の終了（継続）のし易さを分かり易くでき、遊技の興趣を向上できる。
【０４４０】
また、上記構成によって、前記判定手段は、前記保留記憶手段によって記憶される保留記憶について、前記特定表示結果が導出されるか否かを判定し（例えば、Ｓ４０２の処理を実行するＣＰＵ１０３等）、前記判定手段の判定結果が前記特定条件を満たすときは、前記判定手段が、前記保留記憶手段によって記憶されている全ての保留記憶について、前記特定表示結果が導出されないと判定したときである（例えば、第１特別図柄の可変表示の保留に大当りの判定がない等）。
【０４４１】
なお、前記判定手段の判定結果が前記特定条件を満たすときは、前記判定手段が、前記保留記憶手段によって記憶されている全ての保留記憶について、前記有利状態を終了させる前記特定遊技状態となる前記特定表示結果（例えば、「５Ｒ短期」の「大当り」）が導出されないと判定したときでもよい。
【０４４２】
上記の構成によれば、装飾特定表示結果の種類によって有利状態の終了（継続）のし易さを分かり易くでき遊技の興趣を向上できる。また、上記構成によって、前記判定手段は、前記保留記憶手段によって記憶される保留記憶について、前記特定表示結果が導出されるか否かと、当該可変表示の可変表示期間とを判定し（例えば、Ｓ４０２、Ｓ４０６、Ｓ４１１の処理を実行するＣＰＵ１０３等）、前記判定手段の判定結果が前記特定条件を満たすときは、前記保留記憶手段によって記憶されている全ての保留記憶についての前記判定手段の判定結果によって特定される、前記特定表示結果が導出されるまでの期間が、特定期間以上であるときである（例えば、第１特別図柄の可変表示の保留において大当りの判定があるが「大当り」が導出されるまでの期間（第１特図変動時間）が長いとき等）。
【０４４３】
なお、前記判定手段の判定結果が前記特定条件を満たすときは、前記保留記憶手段によって記憶されている全ての保留記憶についての前記判定手段の判定結果によって特定される、前記有利状態を終了させる前記特定遊技状態となる前記特定表示結果（例えば、「５Ｒ短期」の「大当り」）が導出されるまでの期間が、特定期間以上であるときであるときでもよい。上記の構成によれば、装飾特定表示結果の種類によって有利状態の終了（継続）のし易さを分かり易くでき、遊技の興趣を向上できる。
【０４４４】
また、上記構成により、前記遊技機は、少なくとも第１識別情報の可変表示において前記有利状態を終了させることとなる表示結果が導出されない非導出期間を報知する期間報知演出（例えば、チャンス期間において実行される残り時間報知等）を実行する期間報知演出実行手段（例えば、Ｓ８６２の処理を実行する演出制御用ＣＰＵ１２０等）と、報知されている前記非導出期間を延長する延長演出（例えば、延長報知等）を実行する延長演出実行手段（例えば、Ｓ８６９の処理を実行する演出制御用ＣＰＵ１２０等）とをさらに備える。
【０４４５】
上記実施の形態では、期間報知演出は、非導出期間を連続して報知しているが（リアルタイムで残り時間を減じているが）、非導出期間は、定期的又は不定期のタイミングごとにのみ報知されてもよい。
【０４４６】
また、上記構成によって、前記延長演出は、第１延長演出（例えば、延長する時間が４０秒又は５０秒の長期延長報知等）と、当該第１延長演出よりも延長する延長期間が短い第２延長演出（例えば、延長する時間が１０秒又は２０秒の短期延長報知等）と、を含み、前記延長演出実行手段は、可変表示期間が特定期間（第１期間）以上である第１識別情報の可変表示の実行中に前記第２延長演出を実行しやすい（例えば、実行中の第１特別図柄の可変表示の変動パターンが長期変動である場合に、短期延長報知を実行する演出制御用ＣＰＵ１２０等）。
【０４４７】
なお、上記実施の形態では、可変表示期間が特定期間以上である第１識別情報の可変表示の実行中に前記短期延長演出を実行し、可変表示期間が特定期間未満である第１識別情報の可変表示の実行中に前記第２延長演出を実行しないようにしていたが、可変表示期間が特定期間以上であっても特定期間未満であっても、前記第２延長演出を実行可能とし、当該第２延長演出の実行割合を、可変表示期間が特定期間以上であるときの方が可変表示期間が特定期間未満であるときよりも高くしてもよい。
【０４４８】
前記延長演出実行手段は、可変表示期間が特定期間以上であるときが、可変表示期間が特定期間以上でないときよりも、延長演出で延長する延長期間の平均を短くすればよい。上記の構成によれば、延長演出によって、非導出期間の報知が単調になってしまうことを防止でき、遊技の興趣を向上できる。また、可変表示期間が特定期間以上である長い期間である場合における延長演出の実行機会（短い時間を報知することで、何回も延長演出を実行できるため。）を増やすことができ、遊技の興趣の向上できる。
【０４４９】
上記構成によって、前記延長演出実行手段は、可変表示期間が前記特定期間以上である第１識別情報の可変表示の実行中において、可変表示期間が前記特定期間未満である第１識別情報の可変表示の実行中に前記延長演出で延長し得る延長期間のうちの最も短い延長期間（例えば、長期延長報知において延長し得る最も短い３０秒等）よりも短い延長期間（例えば、短期延長報知において延長し得る最も短い１０秒等）で前記非導出期間を延長する延長演出を実行可能である（例えば、Ｓ８６９の処理を実行する演出制御用ＣＰＵ１２０等）。上記の構成によれば、延長演出によって、遊技の興趣を向上できる。また、可変表示期間が特定期間以上である長い期間である場合における延長演出の実行機会（短い時間を報知することで、何回も延長演出を実行できるため。）を増やすことができ、遊技の興趣の向上できる。
【０４５０】
上記構成によって、前記延長演出実行手段は、前記延長演出として、可変表示期間が前記特定期間以上である第１識別情報の可変表示の実行中に、短い延長期間で前記非導出期間を延長する演出を実行した後に、当該短い延長期間よりも長い延長期間で前記非導出期間を延長する演出を実行可能である（例えば、図５９（Ｂ）のように、延長時間を上乗せする延長報知を実行する演出制御用ＣＰＵ１２０等）。上記の構成によれば、延長期間が短くても、当該延長期間が長くなる可能性があるので、期待感が持続し、遊技の興趣を向上できる。
【０４５１】
上記構成によれば、未だ開始されていない第１識別情報の可変表示を保留記憶として記憶する保留記憶手段（例えば、第１特図保留記憶部等）と、前記保留記憶手段によって記憶される保留記憶に対応する第１識別情報の可変表示の可変表示期間を判定する判定手段（例えば、可変表示期間が前記特定期間以上の期間であるか否かを判定する判定手段）（例えば、Ｓ１００６の判定結果に基づいてＳ８８４の処理を実行する演出制御用ＣＰＵ１２０等）と、をさらに備え、前記延長演出実行手段は、前記保留記憶手段によって記憶されている保留記憶に、可変表示期間が特定期間（第２期間、上記特定期間（第１期間）と異なる期間でもよい。）となる保留記憶が含まれるとき（前記保留記憶手段によって記憶されている保留記憶に、前記判定手段によって前記可変表示期間が特定期間以上であると判定された保留記憶が含まれるとき）に、前記第２延長演出を実行しやすい（例えば、第１特別図柄の可変表示の保留記憶に長期変動の変動パターンの保留記憶が含まれているときに短期延長報知を実行する演出制御用ＣＰＵ１２０等）。
【０４５２】
なお、上記実施の形態では、前記保留記憶手段によって記憶されている保留記憶に、前記判定手段によって前記可変表示期間が特定期間以上であると判定された保留記憶が含まれるときに前記短期延長演出を実行し、前記特定期間以上であると判定された保留記憶が含まれないときに可変表示期間が特定期間未満である第１識別情報の可変表示の実行中に前記第２延長演出を実行しないようにしたが、前記特定期間以上であると判定された保留記憶が含まれても含まれなくても、前記第２延長演出を実行可能とし、当該第２延長演出の実行割合を、前記特定期間以上であると判定された保留記憶が含まれるときの方が前記特定期間以上であると判定された保留記憶が含まれていないときよりも高くしてもよい。
【０４５３】
また、前記判定手段は、前記可変表示期間を判定し、前記延長演出実行手段は、前記保留記憶手段によって記憶されている保留記憶それぞれについて前記判定手段によって判定された前記可変表示期間の合計が所定期間以上であるときに、前記第２延長演出を実行しやすいとしてもよい。
【０４５４】
前記延長演出実行手段は、前記特定期間又は前記所定期間以上であるときの方が、特定期間以上又は所定期間以上でないときよりも、延長演出によって延長する延長期間の平均を短くすればよい。上記の構成によれば、延長演出によって、非導出期間の報知が単調になってしまうことを防止でき、遊技の興趣を向上できる。また、可変表示期間が長い期間である場合における延長演出の実行機会（短い時間を報知することで、何回も延長演出を実行できるため。）を増やすことができ、遊技の興趣の向上できる。
【０４５５】
上記構成によって、前記延長演出実行手段は、前記保留記憶手段によって記憶された保留記憶に、前記判定手段によって前記可変表示期間が前記特定期間以上であると判定された保留記憶が含まれるときにおいて、当該保留記憶が含まれないときに前記延長演出で延長し得る延長期間のうちの最も短い延長期間（例えば、長期延長報知において延長し得る最も短い３０秒等）よりも短い延長期間（例えば、短期延長報知において延長し得る最も短い１０秒等）で前記非導出期間を延長する延長演出を実行可能である（例えば、Ｓ８６９の処理を実行する演出制御用ＣＰＵ１２０等）。上記の構成によれば、延長演出によって、遊技の興趣を向上できる。また、可変表示期間が長い期間である場合における延長演出の実行機会（短い時間を報知することで、何回も延長演出を実行できるため。）を増やすことができ、遊技の興趣の向上できる。
【０４５６】
上記構成によって、前記延長演出実行手段は、前記延長演出として、可変表示期間が前記特定期間以上である第１識別情報の可変表示の実行中に、短い延長期間で前記非導出期間を延長した後に、当該短い延長期間よりも長い延長期間で前記非導出期間を延長する演出を実行可能である（例えば、図５９（Ｂ）のように、延長時間を上乗せする延長報知を実行する演出制御用ＣＰＵ１２０等）。上記の構成によれば、延長期間が短くても、当該延長期間が長くなる可能性があるので、期待感が持続し、遊技の興趣を向上できる。
【０４５７】
上記構成により、前記遊技機は、第１識別情報の可変表示の可変表示期間を決定する可変表示期間決定手段（例えば、Ｓ１１１の処理を実行するＣＰＵ１０３等）を備え、前記可変表示実行手段は、前記可変表示期間決定手段によって決定された可変表示期間で第１識別情報の可変表示を実行させるとともに、第１識別情報の可変表示の実行中に第２識別情報の可変表示において前記特定表示結果が導出されるときに、当該第１識別情報の可変表示の可変表示期間の時間経過（例えば、可変表示期間の計測）を中断させ、当該特定表示結果が導出されるときの前記特定遊技状態の終了後に当該可変表示期間の時間経過（例えば、可変表示期間の計測）を再開させ（例えば、Ｓ１０２〜Ｓ１０６を実行して、第１特別図柄の可変表示の実行中に第２特別図柄の可変表示で「大当り」が導出されて大当り遊技状態に制御されたときに当該第１特別図柄の可変表示の処理を中断するＣＰＵ１０３等）る。なお、特定表示結果が導出される第２識別情報の可変表示時から、第１識別情報の可変表示の可変表示期間の時間経過（例えば、可変表示期間の計測）を中断させてもよい（以下の延長演出や特定演出は、例えば、特定表示結果が導出される第２識別情報の可変表示時からの当該中断時間に応じて実行するものでもよい。）。例えば、「大当り」となる第２特図ゲームの開始時から、当該「大当り」に基づく大当り遊技状態終了まで、第１特図ゲームを中断してもよい。なお、特定表示結果が導出される第１識別情報の可変表示時から、第２識別情報の可変表示の可変表示期間の時間経過（例えば、可変表示期間の計測）を中断させてもよい。例えば、「大当り」となる第１特図ゲームの開始時から、当該「大当り」に基づく大当り遊技状態終了まで、第２特図ゲームを中断してもよい。
【０４５８】
可変表示期間の時間経過を中断させるとは、見た目上可変表示が実行されていても、可変表示期間の計測等が内部的に行なわれず、中断期間が、可変表示期間に含まれないことを含む。見た目上でも可変表示が実行されないようにしてもよい。また、演出制御パターン等のようなデータ（つまり、時系列的に並んだデータを順次読出して）で第１識別情報の可変表示を実行する場合に、当該データの読出しを中断して、第１識別情報の可変表示の実行を中断することをも含む。
【０４５９】
上記構成によって、前記延長演出実行手段は、前記期間報知演出の実行開始後、かつ、第１識別情報の可変表示の可変表示期間の時間経過（例えば、可変表示期間の計測）が中断されたことに基づいて、当該中断された期間に応じた前記延長演出を実行する（例えば、Ｓ８６９で、第１特別図柄の可変表示の中断によってオン状態とされた加算フラグに基づいて延長報知を実行する演出制御用ＣＰＵ１２０等）。
【０４６０】
上記の構成によれば、延長演出により、遊技者の違和感（期間報知演出で報知された非導出期間の終了タイミングと第１識別情報の可変表示における表示結果の導出タイミングとのずれが大きくなることによる違和感）を軽減することができ、遊技の興趣の低下を抑制することができる。なお、前記特定演出は不要でもよい。なお、特定演出を実行するとしても、第１識別情報の可変表示の中断によって、期間報知演出で報知された非導出期間の終了タイミングと第１識別情報の可変表示における表示結果の導出タイミングとが本来のずれから大きくなるので、上記構成によって遊技者の違和感を軽減することができる。
【０４６１】
例えば、前記延長演出実行手段は、前記非導出期間を延長し得る延長期間が所定期間以上となった場合に、前記延長演出を実行する（例えば、図６８の処理を実行する演出制御用ＣＰＵ１２０等）、ようにしてもよい。例えば、演出制御用ＣＰＵ１２０は、Ｓ８６９において、図６８の処理を行なってもよい。演出制御用ＣＰＵ１２０は、加算フラグがオンであるかを判定し（Ｓ９０１）、加算フラグがオンであれば（Ｓ９０１；Ｙｅｓ）、中断中の第１特図ゲームが再開されたことになり、延長時間（中断）が所定時間以上であるかを判定し（Ｓ９０２）、所定時間以上であれば、延長時間（中断）分の延長報知を実行する制御を行ない（Ｓ９０３）、その後、延長時間（中断）を「０」にリセットする（Ｓ９０４）。加算フラグがオフであったり（Ｓ９０１；Ｎｏ）、所定時間以上でなかったり（Ｓ９０２；Ｎｏ）、Ｓ９０４の後は、本処理を終了する。上記の構成によれば、延長演出での延長期間を長い期間にでき、遊技の興趣を向上できる。特に、中断された期間分の時間だけ延長を行なう延長演出によって（図７０参照）、遊技者の違和感をより軽減できる。
【０４６２】
また、上記構成によって、前記延長演出実行手段は、第１識別情報の可変表示の実行中に第２識別情報の可変表示において前記特定表示結果が導出されるごとに前記延長演出を実行する（例えば、Ｓ８６９で、第１特別図柄の可変表示の中断によってオン状態とされた加算フラグに基づいて延長報知を実行する演出制御用ＣＰＵ１２０等）。
【０４６３】
この構成の他の例として、演出制御用ＣＰＵ１２０は、例えば、Ｓ８６９において、図６９の処理を行なってもよい。演出制御用ＣＰＵ１２０は、加算フラグがオンであるかを判定し（Ｓ９０１）、加算フラグがオンであれば（Ｓ９０１；Ｙｅｓ）、中断中の第１特図ゲームが再開されたことになり、延長時間（中断）分の延長報知を実行する制御を行ない（Ｓ９０３）、その後、延長時間（中断）を「０」にリセットする（Ｓ９０４）。加算フラグがオフの場合（Ｓ９０１；Ｎｏ）Ｓ９０４の後は、本処理を終了する。上記の構成によれば、延長演出の実行機会を増やすことができ、遊技の興趣を向上できる。特に、中断された期間分の時間だけ延長を行なう延長演出によって（図７０参照）、遊技者の違和感をより軽減できる。
【０４６４】
上記構成によって、遊技機は、前記期間報知演出において報知された前記非導出期間の経過後、第１識別情報の可変表示において前記特定表示結果が導出されるまでの間に、特定演出（例えば、特定演出等）を実行する特定演出実行手段（例えば、Ｓ３０５７の処理を実行する演出制御用ＣＰＵ１２０等）と、前記期間報知演出が実行され、かつ、第１識別情報の可変表示の可変表示期間の時間経過（例えば、可変表示期間の計測）が中断されたことに基づいて、前記特定演出の実行期間を延長させる特定演出延長手段（例えば、Ｓ３０５６Ａの処理で特定演出の実行期間を拡大する演出制御用ＣＰＵ１２０等）とをさらに備える。
【０４６５】
上記の構成によれば、特定演出によって、遊技者の違和感（期間報知演出で報知された非導出期間の終了タイミングと第１識別情報の可変表示における表示結果の導出タイミングとのずれが大きくなることによる違和感）を軽減することができ、遊技の興趣の低下を抑制することができる。特に、中断された期間分の時間だけ特定演出の実行期間を延長させることによって、遊技者の違和感をより軽減できる。なお、上記実施の形態では、特定演出の実行期間を時系列的に前に延長しているが（特定演出の実行開始タイミングを前倒ししているが）、時系列的に後に延長してもよい（特定演出の実行開始タイミングを後に持ってきてもよい）。
【０４６６】
上記構成によって、前記特定演出実行手段は、前記期間報知演出において報知された前記非導出期間の終了時から、第１識別情報の可変表示において前記特定表示結果以外の表示結果が導出されるまでの間に、前記特定演出をさらに実行可能である（可変表示結果が「ハズレ」の場合にも特定演出を実行する演出制御用ＣＰＵ１２０等）。上記の構成によれば、特定演出のバリエーションを増やすことができ、遊技の興趣を向上できる。
【０４６７】
また、上記構成によって、遊技機は、第１識別情報の可変表示の可変表示期間を決定する可変表示期間決定手段（例えば、Ｓ１１１の処理を実行するＣＰＵ１０３等）を備え、前記有利状態として、第１状態（例えば、図７１の決定テーブルＢを参照するＣＰＵ１０３等）、又は、当該第１状態よりも第１識別情報の可変表示の可変表示期間を短い期間に決定し易い第２状態（例えば、図７１の決定テーブルＡを参照するＣＰＵ１０３等）に制御可能であり、前記装飾可変表示実行手段は、第１識別情報の可変表示が実行されて前記特定表示結果が導出されるとき、かつ、前記有利状態として前記第１状態に制御されるときに（例えば、第１特別図柄の可変表示で大当り図柄が導出表示され、かつ、大当り種別が「５Ｒ通常Ｂ」であるとき等）、前記装飾表示結果として、前記複数種類の装飾特定表示結果のうちの特定の装飾特定表示結果（例えば、「７」が揃う特定大当り図柄等）を導出可能である（例えば、Ｓ３０６８の処理を実行する演出制御用ＣＰＵ１２０等）、ようにしてもよい。
【０４６８】
このような構成の詳細を説明する。ＣＰＵ１０３は、高確高ベース状態時に第１特図ゲームの変動パターンを決定するときに、図７１（Ｂ）〜（Ｅ）の変動パターンを参照する。また、図７２に示すように、大当り種別として、「５Ｒ通常Ａ」、「５Ｒ通常Ｂ」、「５Ｒ短期」が用意される。なお、上記実施の形態と同様に「５Ｒ短期」は、第２特図ゲームでは選択されないようになっている。また、「５Ｒ通常Ａ」の「大当り」になったことに基づく大当り遊技状態の後の高確高ベース状態では、図７１（Ｂ）及び（Ｄ）のテーブルＡが参照され、「５Ｒ通常Ｂ」の「大当り」になったことに基づく大当り遊技状態の後の高確高ベース状態では、図７１（Ｃ）及び（Ｅ）のテーブルＢが参照される。第２特図ゲームでは、大当り種別によらず、上記実施形態と同様に変動パターンを決定してもよいし、大当り種別に応じて参照テーブルを変更してもよい。なお、ここでは、高確高ベース突入時の大当り種別によって参照されるテーブルが、高確高ベース中はずっと参照される。例えば、通常状態において第１特図ゲームの「大当り」の大当り種別が「５Ｒ通常Ａ」だとした場合、つまり、高確高ベース状態においてテーブルＡを参照すると決定した場合、当該高確高ベース状態においては、第２特図ゲームでの「大当り」の大当り種別に依らず、最初の大当り種別に応じたテーブルＡが参照される。
【０４６９】
図７１（Ｂ）及び（Ｄ）のテーブルＡを参照して決定される第１特図変動時間は、図７１（Ｃ）及び（Ｅ）のテーブルＢを参照して決定される第１特図変動時間よりも短くなっている。なお、テーブルの決定割合や変動パターンを調整することによって、テーブルＡを参照したときの平均的な第１特図変動時間をテーブルＢを参照したときの平均的な第１特図変動時間よりも短くするようにすればよい。
【０４７０】
このような状況によって、Ｓ３０６８では、大当り種別が「５Ｒ通常Ｂ」であるときも、特定大当り図柄を導出する導出条件を満たすとして処理が行なわれる（図７３参照。なお、図７３や導出条件についての説明は、図４８や上記実施の形態における説明に準じる。）。大当り種別が「５Ｒ通常Ｂ」の場合、その後の第１特図ゲームの可変表示期間は「５Ｒ通常Ａ」よりも長くなるので、高確高ベース状態は他の導出条件と同様に長く継続しやすい。このため、大当り種別が「５Ｒ通常Ｂ」であるときも特定大当り図柄を導出するようにすることで、高確高ベース状態が継続し易いことを報知できる。
【０４７１】
なお、大当り発生毎にその大当り種別によって参照されるテーブルが変化してもよい。例えば、通常状態における第１特図ゲームの「大当り」の大当り種別が「５Ｒ通常Ａ」のときは、その後にテーブルＡを参照する高確高ベース状態に制御し、その後に高確高ベース状態中に第２特図ゲームで「大当り」が発生し、その大当り種別が「５Ｒ通常Ｂ」のときは、その後にテーブルＢを参照する高確高ベース状態に制御するようにしてもよい。
【０４７２】
上記の構成によれば、装飾特定表示結果の種類によって有利状態の終了（継続）のし易さを分かり易くでき、遊技の興趣を向上できる。特に、大当り種別が「５Ｒ通常Ｂ」であるとき等、上記特定大当り図柄の導出条件を満たすときと満たさないときとで、図柄（装飾特定表示結果）を異ならせることで、有利状態の終了（継続）のし易さを分かり易くでき、遊技の興趣を向上できる。
【０４７３】
〔第２実施形態〕
次に、第２実施形態を説明する。第２実施形態では、飾り図柄を視認不可能とするとともに小図柄を表示する演出をするときに、リーチ状態のような特定状態において、前述の変更演出を実行せず、複数の飾り図柄のうち一部の飾り図柄が視認容易化されても、対応する小図柄の消去を制限する例を説明する。
【０４７４】
低確低ベース状態での第２演出モード状態のように、飾り図柄を視認不可能とするとともに小図柄を表示する演出を行なうときであっても、たとえば、リーチ状態のような特定状態である場合に、演出制御用ＣＰＵ１２０は、前述の滑り演出のような変更演出の実行を禁止する制御を行なう。そして、そのような変更演出の実行を禁止する制御を行なうときには、特定状態である場合に、演出制御用ＣＰＵ１２０が、リーチ図柄を形成する図柄のような一部の飾り図柄が視認容易化されても、対応する小図柄について消去せずに表示を継続する制御をする。このようにすれば、変更演出が実行されない状態において、小図柄を継続表示することにより、遊技者が飾り図柄の状態を認識しやすくなるようにすることができる。
【０４７５】
なお、このように、変更演出をせず小図柄を継続表示する制御を行なう対象となる特定状態は、第２演出モード以外の特定の演出モードの状態、確変状態、時短状態、潜伏演出状態（確変状態であるか否かを報知しない制御をすることにより確変状態が潜伏しているように遊技者に思わせる演出がされる状態）、および、先読み演出状態（保留記憶情報を実際の変動表示実行前に先読みし、大当り予告演出等の演出がされる状態）のうち、何れか１つまたは複数の状態であってもよい。
【０４７６】
次に、前述した実施の形態により得られる主な効果を説明する。
（１）  図５６（１１）〜（１７）に示すように、第２演出モードにおいては、３つの飾り図柄を視認不可能として３つの小図柄を変動させる可変表示がされ、視認不可能とされた３つの飾り図柄のうち一部の飾り図柄を視認容易化するとともに、３つの小図柄のうち一部の小図柄を消去する演出がされる。これにより、小図柄の変動態様を、飾り図柄の変動態様に合せて制御する必要がないので、表示制御の処理負担を抑制することができる。さらに、第２演出モードにおいては、視認容易化された飾り図柄を停止表示させた後、滑り演出により、その飾り図柄を別の飾り図柄に変更する変更演出がされるが、その場合に、小図柄は既に消去しており、停止表示させた飾り図柄を変更するときに小図柄も合せて変更する必要がないので、表示制御の処理負担を抑制することができる。
【０４７７】
（２）  図４４のＳ３０２３，Ｓ３０２４，Ｓ３０２７により、大当り遊技状態に制御するか否か、および、所定の判定条件に基づいて、識別情報の変動表示における表示結果を決定するので、このような決定をする構成において、表示制御手段の処理負担を抑制することができる。
【０４７８】
（３）  図４３に示すように、変更演出としては、図４３の第１キャラクタ〜第３キャラクタを滑り演出に用いることによる複数種類の滑り演出のような複数種類の変更演出から選択された演出が実行されることとなるため、変更演出のバリエーションが増え、遊技の興趣を向上させることができる。
【０４７９】
（４）  図５６に示すように、第２演出モードという所定状態であるときに、飾り図柄を視認不可能とする演出が実行され、第１演出モードというような所定状態以外の状態では飾り図柄を視認不可能とする演出が実行されない。これにより、第２演出モードとなっているか否かに応じて実行される演出が異なり、遊技の興趣を向上させることができる。
【０４８０】
（５）  第２実施形態に示すように、変更演出が実行されない状態において、小図柄を継続表示することにより、遊技者が飾り図柄の状態を認識しやすくなるようにすることができる。
【０４８１】
この発明は、上記で説明した構成等についてさらに様々な変形及び応用が可能である。例えばパチンコ遊技機１は、上記実施の形態等で示した全ての技術的特徴を備えなくてもよく、従来技術における少なくとも１つの課題を解決できるように、上記実施の形態で説明した一部の構成のみを備えたものでもよい。以下に変形例を示す。下記の変形例それぞれについて、少なくとも一部を組合せてもよい。
【０４８２】
（１）  延長報知は、画像表示装置５の表示の他、画像表示装置５とは異なる副画像表示装置（液晶表示装置の他、ＬＥＤのセグメント表示等でもよい。）での表示、スピーカ８Ｌ、８Ｒによる音声出力等によるものでもよい。
【０４８３】
（２）  延長演出の実行時間を複数種類用意し（例えば、１０秒の実行期間で延長演出を実行するものと、５秒の実行期間で延長演出を実行するもの）、延長演出実行手段は、可変表示期間が特定期間以上である第１識別情報の可変表示の実行中等の上記所定条件（前記保留記憶手段によって記憶されている保留記憶に、前記判定手段によって前記可変表示期間が前記特定期間以上であると判定された保留記憶が含まれるとき等も含む。）を満たす場合に短い実行時間の延長演出を実行しやすくするようにしてもよい。これによっても、延長演出の実行機会を増やすことができる。
【０４８４】
（３）  残り時間報知は、保留記憶は考慮せずに、第１特図ゲームの実行開始時に、当該第１特図ゲームの変動時間を報知又は変動時間から特定演出の実行時間を引いた時間を報知するようにしてもよい。
【０４８５】
（４）  上記実施の形態では、一方の特図ゲームに基づいて大当り遊技状態に制御された場合に、他方の特図ゲームの実行を中断していたが、他方の特図ゲームの可変表示結果を強制的にハズレとしてもよい。このような場合、例えば、第２特図ゲームで「大当り」が発生した場合、第１特図ゲームが「ハズレ」となり、高確高ベース状態の終了時期が先延ばしされ、ゲーム性が上がる。特に、第１特図ゲームを「ハズレ」となることで、当該第１特図ゲームの可変表示時間に応じて延長報知を行なうことで（特に上記実施形態の構成による延長報知を行なうことで）、遊技の興趣を向上できる。
【０４８６】
（５）  大当り種別や大当り遊技状態は、上記した他、どのようなものでもよい。例えば、高確高ベース状態に移行する大当り種別と、移行しない大当り種別とで、大当り遊技状態の態様（ラウンド遊技の態様）を同じにしてもよい。
【０４８７】
（６）  上記実施の形態では、大入賞口に入賞した遊技球は、必ず確変検出領域４０に進入するとしたが、他の経路も設け、大入賞口に入賞した遊技球のうちの一定割合は、確変検出領域４０に入賞できないようにしてもよい。また、例えば、確変判定装置（確変検出領域）を内部に有する第１アタッカー（特別可変入賞球装置）と、確変判定装置（確変検出領域）を内部に有さない第２アタッカー（特別可変入賞球装置）と、を設け、高確高ベース状態等の有利状態に移行する第１大当り種別（上記「５Ｒ通常」に対応）の大当り遊技状態では、第１アタッカーを解放し、高確高ベース状態等の有利状態に移行しない又は有利状態を終了させる第２大当り種別（上記「５Ｒ短期」に対応）の大当り遊技状態では、第２アタッカーを開放するようにしてもよい。また、第２大当り種別の大当り遊技状態では、確変判定装置（確変検出領域）に蓋をして、遊技球が進入できないようにして、その後の遊技状態が確変状態にならないようにしてもよい。また、確変検出領域４０に進入する遊技球を検出するための有効期間（当該有効期間内に遊技球の進入を検出したときにのみ、当該進入を有効とする期間）を設けてもよい。この場合、例えば、第１大当り種別の大当り遊技状態と第２大当り種別の大当り遊技状態とで、ともに大入賞口の開放期間を、当該大入賞口に遊技球が進入可能な期間（期間の長さは、両者で同じであっても、異なってもよい。）とし、第１大当り種別の大当り遊技状態では有効期間を長くし、第２大当り種別の大当り遊技状態では有効期間を無くす（又は、実質的に遊技球を検出できないような有効期間にする）ようにしてもよい。なお、第２大当り種別の大当り遊技状態においても、前記第１アタッカーを開放し（但し、開放する期間を第１大当り種別よりも短くする。）、前記蓋をしない期間を設け（但し、当該期間を第１大当り種別よりも短くする。）、又は、前記有効期間（但し、当該期間を第１大当り種別よりも短くする。）を設けるようにしてもよい。これらの場合、第２大当り種別の大当りを、第１特図ゲームで導出可能とし、第２特図ゲームで導出されないようにするか、大当り時における第２大当り種別の導出割合を第１特図ゲームの方が第２特図ゲームよりも高くすることで、「前記有利状態は、第１識別情報の可変表示が実行されて前記特定表示結果が導出されたときの前記特定遊技状態の終了後の方が、第２識別情報の可変表示が実行されて前記特定表示結果が導出されたときの前記特定遊技状態の終了後よりも終了しやすい」としてもよい。
【０４８８】
（７）  Ｓ１００６において、現在の遊技状態に基づいて先読みを行なって、演出制御基板１２側で先読み予告演出を実行してもよい。
【０４８９】
（８）  高確高ベース状態用（チャンス期間用）の変動パターンについて、「大当り」の変動パターンの方が、「ハズレ」の変動パターンよりも第１特図変動期間が短いものとしてもよい。
【０４９０】
（９）  第１特図用の遊技用乱数と第２特図用の遊技用乱数とを共通としてもよい。つまり、乱数値ＭＲ１〜ＭＲ３を共通して用いるようにしてもよい。
【０４９１】
（１０）  第２特図用の変動パターンは、「ハズレ」と「大当り」とで、それぞれ、複数種類用意してもよい。また、「ハズレ」と「大当り」とで異なる変動時間としてもよい。また、変動時間が同じであれば、「ハズレ」と「大当り」とで共通の変動パターンを用意してもよい。
【０４９２】
（１１）  通常状態において第２始動入賞が発生したときに、第２特図ゲームの可変表示で「大当り」が発生しにくくなるように（又は左打ちを促すために）、第２特図ゲームの特図変動時間を非常に長くしてもよい（例えば、３０分等）。
【０４９３】
（１２）  第２始動入賞口の近傍にもう一つの第１始動入賞口を設け、第１始動入賞と第２始動入賞とが所定割合で発生するように、遊技球を第１始動入賞と第２始動入賞とに振り分けてもよく、この場合に、第１始動入賞と第２始動入賞との発生割合に偏りが出て、異常が発生した場合に、異常を報知するようにしてもよい。
【０４９４】
（１３）  図４０に関連して、延長する時間の決定は、延長時間（合計）に応じて決定してもよい。例えば、延長する時間を延長時間（合計）の２０％、４０％、８０％等の割合で規定してもよい。
【０４９５】
（１４）  特定大当り図柄を導出するための導出条件（図４８等）を満たすかの判定（Ｓ３０６７）は、可変表示開始時、リーチ時、所定時間の経過時に行なってもよい。また、導出条件を満たした場合は、必ず特定大当り図柄を導出するのではなく、一定割合で特定大当り図柄を導出してもよい。
【０４９６】
（１５）  「５Ｒ短期」の「大当り」の確定飾り図柄は、所定のリーチハズレ目等として、「５Ｒ短期」の「大当り」を遊技者に気付かせないようにしてもよい。
【０４９７】
（１６）  第２特図ゲームに対応する可変表示等の画面表示は行なわなくてもよい。
（１７）  第１特図ゲームの中断は、内部的なものであればよく、飾り図柄は見た目上変動したままでもよい。
【０４９８】
（１８）  高確高ベース状態の終了は、特殊ハズレ図柄や小当り図柄の導出を契機として終了するものでもよい。
【０４９９】
（１９）  高確高ベース状態における第１特図ゲームで「５Ｒ通常」の「大当り」が導出される場合には、特定演出を実行しなくてもよい（高確高ベース状態やチャンス期間がそのまま継続するようにしてもよい。）。特定演出は、残り時間報知におけるタイマ表示が残り０秒になる前に実行開始され、タイマーが０秒になるときに、特定演出が終了するようにしてもよい（このとき、「大当り」や「ハズレ」の可変表示結果が導出されるようにしてもよい。）。
【０５００】
（２０）  特定大当り図柄を導出するときには、「６  ６  ６」等の他の大当り図柄を一旦停止表示（仮停止）してから、特定大当り図柄を揃って導出するようにしてもよい。
【０５０１】
（２１）  上記実施の形態は、遊技状態として、高確高ベース状態と通常状態とを用意していたが、低確高ベース状態、高確低ベース状態等を用意してもよい。例えば、大当り遊技状態中に確変検出領域４０等の確変判定装置への遊技球の進入がなかった場合（確変検出スイッチ２４等による検出が無かった場合）、その後の遊技状態として確変状態には制御せずに高ベース状態（時短状態）に制御するようにしてもよい。このように、大当り遊技状態後に低確高ベース状態に制御してもよい。なお、高ベース状態に制御する大当り遊技状態は、複数種類のうちの一部のみ（例えば、５Ｒ通常大当り遊技状態のみ）でもよい。また、所定の種類の大当り遊技状態のときには、確変検出領域４０等の確変判定装置への遊技球の進入があった場合、確変状態に制御するが、高ベース状態には制御しなくてもよい。このように、大当り遊技状態後に高確低ベース状態に制御してもよい。上記有利状態は、高ベース状態としても、確変状態（高確状態）としてもよい。
【０５０２】
（２２）  上記実施の形態においては、変動時間及びリーチ演出の種類等の変動態様を示す変動パターンを演出制御マイクロコンピュータに通知するために、変動を開始するときに1つの変動パターンコマンドを送信する例を示したが、２つ乃至それ以上のコマンドにより変動パターンを演出制御マイクロコンピュータに通知する様にしてもよい。具体的には、２つのコマンドにより通知する場合、遊技制御マイクロコンピュータは、１つ目のコマンドでは擬似連の有無、滑り演出の有無等、リーチとなる以前（リーチとならない場合には所謂第２停止の前）の変動時間や変動態様を示すコマンドを送信し、２つ目のコマンドではリーチの種類や再抽選演出の有無等、リーチとなった以降（リーチとならない場合には所謂第２停止の後）の変動時間や変動態様を示すコマンドを送信する様にしてもよい。この場合、演出制御マイクロコンピュータは２つのコマンドの組合せから導かれる変動時間に基づいて変動表示における演出制御を行なうようにすればよい。尚、遊技制御用マイクロコンピュータの方では２つのコマンドのそれぞれにより変動時間を通知し、それぞれのタイミングで実行される具体的な変動態様については演出制御マイクロコンピュータの方で選択を行なう様にしてもよい。２つのコマンドを送る場合、同一のタイマ割込内で２つのコマンドを送信する様にしてもよく、１つ目のコマンドを送信した後、所定期間が経過してから（例えば次のタイマ割込において）２つ目のコマンドを送信する様にしてもよい。尚、それぞれのコマンドで示される変動態様はこの例に限定されるわけではなく、送信する順序についても適宜変更可能である。このように２つ乃至それ以上のコマンドにより変動パターンを通知する様にすることで、変動パターンコマンドとして記憶しておかなければならないデータ量を削減することができる。
【０５０３】
（２３）  その他にも、遊技機の装置構成やデータ構成、フローチャートで示した処理、等を実行するための画像表示装置における画像表示動作やスピーカにおける音声出力動作さらには遊技効果ランプや装飾用ＬＥＤにおける点灯動作を含めた各種の演出動作等は、本発明の趣旨を逸脱しない範囲で、任意に変更及び修正が可能である。加えて、本発明の遊技機は、入賞の発生に基づいて所定数の遊技媒体を景品として払出す払出式遊技機に限定されるものではなく、遊技媒体を封入し入賞の発生に基づいて得点を付与する封入式遊技機にも適用することができる。
【０５０４】
（２４）  本発明を実現するためのプログラム及びデータは、例えばパチンコ遊技機１という、遊技機に含まれるコンピュータ装置等に対して、着脱自在の記録媒体により配布・提供される形態に限定されるものではなく、予めコンピュータ装置等の有する記憶装置にプリインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。
【０５０５】
そして、ゲームの実行形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行なうことによりゲームを実行するような形態とすることもできる。
【０５０６】
（２５）  本実施の形態として、入賞の発生に応じて遊技媒体を遊技者の手元に払い出す遊技機を説明したが、遊技媒体が封入され、入賞の発生に応じて遊技媒体を遊技者の手元に払い出すことなく遊技点（得点）を加算する封入式の遊技機を採用してもよい。封入式の遊技機には、遊技媒体の一例となる複数の玉を遊技機内で循環させる循環経路が形成されているとともに、遊技点を記憶する記憶部が設けられており、玉貸操作に応じて遊技点が記憶部に加算され、玉の発射操作に応じて遊技点が記憶部から減算され、入賞の発生に応じて遊技点が記憶部に加算される。また、遊技機は、発射装置および玉払出装置を備えた遊技枠に遊技球が打ち込まれる遊技領域を形成する遊技盤を取り付けた構成としたが、これに限らず、発射装置は玉払出装置などの基本的な機能を共通化し、遊技の特長的構成である遊技盤のみを流通させるようにしてもよい。この場合、遊技の特長的構成であるところの遊技盤を遊技機と称する。このような封入式の遊技機には、遊技点を計数した上で、計数結果を記録媒体処理装置（遊技用装置）の一例となるカードユニットに送信する機能を設けてもよい。この場合、遊技点の計数を指示するための計数操作手段（計数ボタン）を封入式の遊技機に設けることが望ましい。たとえば、遊技点の計数結果は“持点”に変換されて、カードユニットに挿入されている（受付けられている）カードまたは端末などの「遊技者によって携帯される記録媒体」に直接記録される。あるいは、カードユニットに接続された点数管理用サーバで記録媒体に記録されているカードＩＤを管理し、計数結果をカードユニットから点数管理用サーバに送信することによって、点数管理用サーバがカードＩＤ毎に遊技者の持点を記憶するようにしてもよい。
【０５０７】
（２６）  本実施の形態では、「割合（比率、確率）」を例示したが、「割合（比率、確率）」は、これに限るものではなく、たとえば０％〜１００％の範囲内の値のうち、０％を含む値や、１００％を含む値、０％および１００％を含まない値であってもよい。
【０５０８】
（２７）  前述の実施の形態における第１特別図柄と第２特別図柄とは、同時並行して可変表示可能な例を示したが、一方が可変表示をしているときは他方が可変表示できないように制御することで、同時並行した可変表示をしないようにしてもよい。その場合には、第１特別の保留記憶と第２特別の保留記憶とについて、入賞順に可変表示をする制御をしてもよく、いずれか一方を優先的に用いて可変表示をする制御をしてもよい。
【０５０９】
（２８）  前述の実施の形態における変更演出は、視認容易化した図柄を別の図柄に変更する演出であれば、滑り演出に限らず、視認容易化した図柄を別の図柄に差替える差替え演出、および、視認容易化した図柄を別の図柄に変形させる変形演出等のその他の演出を実行してよい。
【０５１０】
（２９）  前述の実施の形態で、変更演出を実行するか否かの判定および変更演出を実行するタイミングの決定は、変動表示開始時にする例を示したが、これに限らず、大当り表示結果となる可変表示中に第１特別図柄の入賞状況（保留記憶情報の状況）に応じて、複数種類の大当り表示結果のうちの特定大当り表示結果（例えば、「７」が揃う大当り図柄等）を導出するか、他の大当り表示結果（例えば、「５」が揃う大当り図柄等）を導出するか等の表示結果の種類の変更が可能となるようにしてもよい。
【０５１１】
（３０）  なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【符号の説明】
【０５１２】
５  画像表示装置、１  パチンコ遊技機、１２０  演出制御用ＣＰＵ、５Ｌ，５Ｃ，５Ｒ  飾り図柄表示エリア、９１，９２，９３  小当り表示エリア、９４  第２演出モードキャラクタ、４Ａ  第１特別図柄表示装置、４Ｂ  第２特別図柄表示装置、１０３  ＣＰＵ。
【図１】
0006420979.tif 000002
【図２】
0006420979.tif 000003
【図３】
0006420979.tif 000004
【図４】
0006420979.tif 000005
【図５】
0006420979.tif 000006
【図６】
0006420979.tif 000007
【図７】
0006420979.tif 000008
【図８】
0006420979.tif 000009
【図９】
0006420979.tif 000010
【図１０】
0006420979.tif 000011
【図１１】
0006420979.tif 000012
【図１２】
0006420979.tif 000013
【図１３】
0006420979.tif 000014
【図１４】
0006420979.tif 000015
【図１５】
0006420979.tif 000016
【図１６】
0006420979.tif 000017
【図１７】
0006420979.tif 000018
【図１８】
0006420979.tif 000019
【図１９】
0006420979.tif 000020
【図２０】
0006420979.tif 000021
【図２１】
0006420979.tif 000022
【図２２】
0006420979.tif 000023
【図２３】
0006420979.tif 000024
【図２４】
0006420979.tif 000025
【図２５】
0006420979.tif 000026
【図２６】
0006420979.tif 000027
【図２７】
0006420979.tif 000028
【図２８】
0006420979.tif 000029
【図２９】
0006420979.tif 000030
【図３０】
0006420979.tif 000031
【図３１】
0006420979.tif 000032
【図３２】
0006420979.tif 000033
【図３３】
0006420979.tif 000034
【図３４】
0006420979.tif 000035
【図３５】
0006420979.tif 000036
【図３６】
0006420979.tif 000037
【図３７】
0006420979.tif 000038
【図３８】
0006420979.tif 000039
【図３９】
0006420979.tif 000040
【図４０】
0006420979.tif 000041
【図４１】
0006420979.tif 000042
【図４２】
0006420979.tif 000043
【図４３】
0006420979.tif 000044
【図４４】
0006420979.tif 000045
【図４５】
0006420979.tif 000046
【図４６】
0006420979.tif 000047
【図４７】
0006420979.tif 000048
【図４８】
0006420979.tif 000049
【図４９】
0006420979.tif 000050
【図５０】
0006420979.tif 000051
【図５１】
0006420979.tif 000052
【図５２】
0006420979.tif 000053
【図５３】
0006420979.tif 000054
【図５４】
0006420979.tif 000055
【図５５】
0006420979.tif 000056
【図５６】
0006420979.tif 000057
【図５７】
0006420979.tif 000058
【図５８】
0006420979.tif 000059
【図５９】
0006420979.tif 000060
【図６０】
0006420979.tif 000061
【図６１】
0006420979.tif 000062
【図６２】
0006420979.tif 000063
【図６３】
0006420979.tif 000064
【図６４】
0006420979.tif 000065
【図６５】
0006420979.tif 000066
【図６６】
0006420979.tif 000067
【図６７】
0006420979.tif 000068
【図６８】
0006420979.tif 000069
【図６９】
0006420979.tif 000070
【図７０】
0006420979.tif 000071
【図７１】
0006420979.tif 000072
【図７２】
0006420979.tif 000073
【図７３】
0006420979.tif 000074